(57)【特許請求の範囲】
【請求項１】
データ送信方法であって、
ユーザ機器によって、測定プロセスのタイプにしたがって、測定手順及びフィードバックされるチャネル状態情報(CSI)のタイプを決定するステップであって、測定プロセスの異なるタイプは、異なる測定手順及びフィードバックされるチャネル状態情報(CSI)の異なるタイプに対応し、1つの測定プロセスは、M個の信号測定パイロット及びK個の干渉測定パイロットを含み、Mは、1以上の整数であり、Kは、1よりも大きな整数であり、前記K個の干渉測定パイロットは、前記1つの測定プロセスについて制限的な測定の複数の独立の構成を使用する、ステップと、
前記ユーザ機器によって、前記決定された測定手順及び前記フィードバックされるCSIの前記決定されたタイプにしたがって測定及びフィードバックを実行するステップと、を含む、
方法。
【請求項２】
前記制限的な測定の前記複数の独立の構成は、時間とともに変化するとともに基地局によって前記ユーザ機器のために使用されるビームに対応する時間ウィンドウと関連し、前記制限的な測定は、測定されることを可能とされるリソースの移動平均の範囲を制限するように構成される、請求項１に記載の方法。
【請求項３】
前記制限的な測定の前記独立の構成は、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成、のうちの少なくとも1つを含む、請求項２に記載の方法。
【請求項４】
前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含む、請求項２に記載の方法。
【請求項５】
データ送信方法であって、
基地局によってユーザ機器に、測定プロセスのタイプを示すステップであって、前記測定プロセスの前記タイプは、前記ユーザ機器が、前記測定プロセスの前記タイプにしたがって、測定手順及びフィードバックされるチャネル状態情報(CSI)のタイプを決定することを可能にするのに使用され、測定プロセスの異なるタイプは、異なる測定手順及びフィードバックされるチャネル状態情報(CSI)の異なるタイプに対応し、1つの測定プロセスは、M個の信号測定パイロット及びK個の干渉測定パイロットを含み、Mは、1以上の整数であり、Kは、1よりも大きな整数であり、前記K個の干渉測定パイロットは、前記1つの測定プロセスについて制限的な測定の複数の独立の構成を使用する、ステップと、
前記ユーザ機器が送信するフィードバックを前記基地局によって受信するステップと、を含み、前記フィードバックは、前記決定された測定手順及びフィードバックされるCSIにしたがって前記ユーザ機器によって生成される、
方法。
【請求項６】
前記制限的な測定の前記複数の独立の構成は、時間とともに変化するとともに基地局によって前記ユーザ機器のために使用されるビームに対応する時間ウィンドウと関連し、前記制限的な測定は、測定されることを可能とされるリソースの移動平均の範囲を制限するように構成される、請求項５に記載の方法。
【請求項７】
前記制限的な測定の前記独立の構成は、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成、のうちの少なくとも1つを含む、請求項６に記載の方法。
【請求項８】
前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含む、請求項６に記載の方法。
【請求項９】
ユーザ機器であって、
測定プロセスのタイプにしたがって、測定手順及びフィードバックされるチャネル状態情報(CSI)のタイプを決定するように構成されるプロセッサであって、測定プロセスの異なるタイプは、異なる測定手順及びフィードバックされるチャネル状態情報(CSI)の異なるタイプに対応し、1つの測定プロセスは、M個の信号測定パイロット及びK個の干渉測定パイロットを含み、Mは、1以上の整数であり、Kは、1よりも大きな整数であり、前記K個の干渉測定パイロットは、前記1つの測定プロセスについて制限的な測定の複数の独立の構成を使用する、プロセッサと、
前記決定された測定手順及び前記フィードバックされるCSIの前記決定されたタイプにしたがって測定及びフィードバックを実行するように構成される送信機と、を含む、
ユーザ機器。
【請求項１０】
前記制限的な測定の前記複数の独立の構成は、時間とともに変化するとともに基地局によって前記ユーザ機器のために使用されるビームに対応する時間ウィンドウと関連し、前記制限的な測定は、測定されることを可能とされるリソースの移動平均の範囲を制限するように構成される、請求項９に記載のユーザ機器。
【請求項１１】
前記プロセッサは、さらに、前記制限的な測定の前記独立の構成が、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成、のうちの少なくとも1つを含むということを決定するように構成される、請求項１０に記載のユーザ機器。
【請求項１２】
前記プロセッサは、さらに、前記K個の干渉測定パイロットが、すべてが、非ゼロ電力パイロットであるか、又は、すべてが、ゼロ電力パイロットであり、或いは、前記K個の干渉測定パイロットが、非ゼロ電力パイロット及びゼロ電力パイロットを含むということを決定するように構成される、請求項１０に記載のユーザ機器。
【請求項１３】
基地局であって、
ユーザ機器に測定プロセスのタイプを示すように構成される送信機であって、前記測定プロセスの前記タイプは、前記ユーザ機器が、前記測定プロセスの前記タイプにしたがって、測定手順及びフィードバックされるチャネル状態情報(CSI)のタイプを決定することを可能にするのに使用され、測定プロセスの異なるタイプは、異なる測定手順及びフィードバックされるチャネル状態情報(CSI)の異なるタイプに対応し、1つの測定プロセスは、M個の信号測定パイロット及びK個の干渉測定パイロットを含み、Mは、1以上の整数であり、Kは、1よりも大きな整数であり、前記K個の干渉測定パイロットは、前記1つの測定プロセスについて制限的な測定の複数の独立の構成を使用する、送信機と、
前記ユーザ機器が送信したフィードバックを受信するように構成される受信機と、を含み、前記フィードバックは、前記決定された測定手順及びフィードバックされるCSIにしたがって前記ユーザ機器によって生成される、
基地局。
【請求項１４】
前記制限的な測定の前記複数の独立の構成は、時間とともに変化するとともに基地局によって前記ユーザ機器のために使用されるビームに対応する時間ウィンドウと関連し、前記制限的な測定は、測定されることを可能とされるリソースの移動平均の範囲を制限するように構成される、請求項１３に記載の基地局。
【請求項１５】
前記送信機は、さらに、前記制限的な測定の前記独立の構成が、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成、のうちの少なくとも1つを含むということを示すように構成される、請求項１４に記載の基地局。
【請求項１６】
前記送信機は、さらに、前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含むということを示すように構成される、請求項１４に記載の基地局。
【請求項１７】
コンピュータ実行可能な命令を含むコンピュータプログラムであって、前記コンピュータ実行可能な命令は、ユーザ機器のプロセッサで実行されると、前記ユーザ機器に、データ送信方法を実行させ、前記データ送信方法は、
測定プロセスのタイプにしたがって、測定プロセス及びフィードバックされるチャネル状態情報(CSI)のタイプを決定するステップであって、測定プロセスの異なるタイプは、異なる測定手順及びフィードバックされるチャネル状態情報(CSI)の異なるタイプに対応し、1つの測定プロセスは、M個の信号測定パイロット及びK個の干渉測定パイロットを含み、Mは、1以上の整数であり、Kは、1よりも大きな整数であり、前記K個の干渉測定パイロットは、前記1つの測定プロセスについて制限的な測定の複数の独立の構成を使用する、ステップと、
前記決定された測定手順及び前記フィードバックされるCSIの前記決定されたタイプにしたがって測定及びフィードバックを実行するステップと、を含む、
コンピュータプログラム。
【請求項１８】
コンピュータ実行可能な命令を含むコンピュータプログラムであって、前記コンピュータ実行可能な命令は、基地局のプロセッサで実行されると、前記基地局に、データ送信方法を実行させ、前記データ送信方法は、
ユーザ機器に測定プロセスのタイプを示すステップであって、前記測定プロセスの前記タイプは、前記ユーザ機器が、前記測定プロセスの前記タイプにしたがって、測定手順及びフィードバックされるチャネル状態情報(CSI)のタイプを決定することを可能にするのに使用され、測定プロセスの異なるタイプは、異なる測定手順及びフィードバックされるチャネル状態情報(CSI)の異なるタイプに対応し、1つの測定プロセスは、M個の信号測定パイロット及びK個の干渉測定パイロットを含み、Mは、1以上の整数であり、Kは、1よりも大きな整数であり、前記K個の干渉測定パイロットは、前記1つの測定プロセスについて制限的な測定の複数の独立の構成を使用する、ステップと、
前記ユーザ機器が送信するフィードバックを受信するステップと、を含み、前記フィードバックは、前記決定された測定手順及びフィードバックされるCSIにしたがって前記ユーザ機器によって生成される、
コンピュータプログラム。
【発明の詳細な説明】
【技術分野】
【０００１】
この出願は、2015年9月25日付で中国特許庁に出願された"データ送信方法及び関連するデバイス"と題する中国特許出願番号第201510624685.1号に基づく優先権を主張し、その内容は、参照により全体が本明細書に取り込まれる。
【０００２】
本発明は、通信技術の分野に関し、特に、データ送信方法及び関連するデバイスに関する。
【背景技術】
【０００３】
現在では、LTE全二重通信技術FDDシステムにおいては、ユーザ機器は、基地局が送信した参照信号を受信し、チャネル推定を実行し、その後、チャネル状態情報を決定し、そして、フィードバックを提供する。そのユーザ機器による測定の過程において、量子化損失が存在する。TDD(Time  Division  Duplexing,  時分割複信)システムについては、ある1つのチャネルの中で、アップリンク及びダウンリンクの異質性が存在する。したがって、基地局は、ユーザ機器が送信したアップリンク信号を測定して、アップリンクチャネルhを取得し、hを直接的に転置して、ダウンリンクチャネルh'を取得し、そして、そのダウンリンクチャネルh'にしたがって固有値分解を実行して、ダウンリンクプリコーディング行列を取得する。したがって、FDDをTDDと比較することによって、FDDのプリコーディング行列について、ユーザ機器は、測定を実行し、そして、基地局に量子化されたプリコーディング行列をフィードバックする。したがって、量子化損失が存在する。結果として、フィードバックされるチャネル情報は、TDDのチャネル情報と比較して誤差を有しており、低くなったパフォーマンスにつながる。
【発明の概要】
【０００４】
本発明の複数の実施形態は、パフォーマンスを改善することが可能であるデータ送信方法及び関連するデバイスを提供する。
【０００５】
本発明の複数の実施形態の第1の態様は、データ送信方法であって、
ユーザ機器によって、測定プロセスのタイプにしたがって、測定手順及びフィードバックされるチャネル状態情報(CSI)のタイプを決定するステップであって、前記測定プロセスの前記タイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、ステップと、
前記ユーザ機器によって、前記決定された測定手順及び/又は前記フィードバックされるCSIの前記決定されたタイプにしたがって測定及びフィードバックを実行するステップと、を含む、データ送信方法を提供する。
【０００６】
選択的に、ユーザ機器によって、測定プロセスのタイプにしたがって、測定手順及びフィードバックされるチャネル状態情報(CSI)のタイプを決定するステップは、
前記測定プロセスによって定義される前記信号測定パイロットが、第1の測定パイロットである場合に、前記ユーザ機器によって、前記フィードバックされるCSIの前記タイプが第1のCSIであるということを決定するステップ、又は、
前記測定プロセスによって定義される前記信号測定パイロットが、第2の測定パイロットである場合に、前記ユーザ機器によって、前記フィードバックされるCSIの前記タイプが第2のCSIであるということを決定するステップ、を含み、前記第1のCSIに含まれるフィードバック量と前記第2のCSIに含まれるフィードバック量は、異なっている。
【０００７】
選択的に、前記第1の測定パイロットは、プリコーディングされていないパイロット又はプリコーディングされているパイロットであり、及び/又は前記第1の測定パイロットは、周期的に送られるパイロットであり、
前記第2の測定パイロットは、プリコーディングされているパイロットであり、及び/又は前記第2の測定パイロットは、周期的には送られず、及び/又は前記第2の測定パイロットは、前記基地局によってトリガされ、及び/又は前記第2の測定パイロットは、サブバンドにおいて送られる。
【０００８】
選択的に、前記第1のCSIは、ランク指標(RI)、プリコーディング行列指標(PMI)、及びチャネル品質指標(CQI)を含むか、又は前記第1のCSIは、RI及びPMIを含み、
前記第2のCSIは、RI、PMI、及びCQIを含むか、又は前記第2のCSIは、CQIを含むか、又は前記第2のCSIは、選択されたビームを示すインデックス(BI)、RI、及びCQIを含む。
【０００９】
選択的に、測定プロセスの異なるタイプが、異なる測定手順及び/又はフィードバックされるチャネル状態情報(CSI)の異なるタイプに対応することは、
1つの測定プロセスが、M個の信号測定パイロット及びK個の干渉測定パイロットを含むということを含み、Mは、1以上の整数であり、Kは、1より大きな整数であり、前記K個の干渉測定パイロットは、制限的な測定の独立の構成を使用し、前記制限的な測定は、測定されることを可能とされるリソースの移動平均の範囲を制限するように構成される。
【００１０】
選択的に、測定プロセスの異なるタイプが、異なる測定手順及び/又はフィードバックされるチャネル状態情報(CSI)の異なるタイプに対応することは、
1つの測定プロセスが、M個の信号測定パイロット及びK個の干渉測定パイロットを含むということを含み、Mは、1より大きな整数であり、Kは、1以上の整数であり、前記M個の信号測定パイロットは、制限的な測定の独立の構成を使用し、前記制限的な測定は、測定されることを可能とされるリソースの移動平均の範囲を制限するように構成される。
【００１１】
選択的に、前記制限的な測定の前記独立の構成は、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成のうちの少なくとも1つを含む。
【００１２】
選択的に、1つのCQIを決定するために、前記K個の干渉測定パイロットにしたがって測定されるK個の干渉のうちのK1個の干渉の測定量にしたがって、合成が実行され、K1は、1よりも大きく、且つ、K以下の整数である。
【００１３】
選択的に、1つのCQIを決定するために、前記M個の信号測定パイロットにしたがって測定されるM個の信号の測定においてM1個の信号にしたがって、合成が実行され、M1は、1より大きく、且つ、M以下の整数である。
【００１４】
選択的に、前記制限的な測定の前記シグナリングのタイプの前記独立の構成は、前記制限的な測定が、上位層シグナリング又は動的シグナリングを使用することによって独立に構成されることを含み、前記動的シグナリングは、UL  grantシグナリング又はDL  grantシグナリングを使用することによって通知される。
【００１５】
選択的に、前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含む。
【００１６】
選択的に、前記K個の干渉測定パイロットのうちの少なくとも1つは、干渉測定を実行するための制限的な測定を無効化する手法にしたがって構成される。
【００１７】
選択的に、N個のポートのパイロットは、前記測定プロセスにおいて構成され、N1個のポートのパイロットが、信号を測定するのに使用され、すべての前記N個のポートの前記パイロットが、干渉を測定するのに使用される。
【００１８】
選択的に、N個のポートを含む1つの測定パイロットは、前記測定プロセスにおいて構成され、1つのポートのパイロットは、信号を測定するのに使用され、目標ポートのパイロットは、干渉を測定するのに使用され、前記N個のポートの前記測定パイロットは、信号を測定するのに使用される1つのポートの前記パイロット及び前記目標ポートの前記パイロットを含み、前記ユーザ機器は、前記N個のポートの前記測定パイロットにしたがって測定を実行して、N個のCQIを取得するように構成される。
【００１９】
選択的に、N個のポートを含む1つの測定パイロットは、前記測定プロセスにおいて構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【００２０】
選択的に、前記ユーザ機器が前記CQIを算出する際に、前記ユーザ機器は、データの電力に対する各々のパイロットポートの信号測定電力の比がXであるということを決定し、Xは、前記N個のポートの周波数分割多重化サブキャリアの数に関連付けられているか、又は一定値である。
【００２１】
選択的に、前記ユーザ機器が前記CQIを算出する際に、前記ユーザ機器は、前記ユーザ機器が受信するデータの干渉の電力に対する各々のパイロットポートの干渉測定電力の比がYであるということを決定し、Yは、前記N個のポートの周波数分割多重化サブキャリアの数に関連付けられているか、または一定値である。
【００２２】
選択的に、データの電力に対する各々のパイロットポートの信号測定電力の前記比Xは、前記ユーザ機器が受信するデータの干渉の電力に対する各々のパイロットポートの干渉測定電力の前記比Yと等しい。
【００２３】
選択的に、前記第2の測定パイロットの時間周波数リソース位置は、サブフレームの第1のスロットの中に存在する。
【００２４】
選択的に、前記ユーザ機器は、前記第2の測定パイロットが位置している前記サブフレームの第2のスロットにおいて、前記第2のCSIをフィードバックする。
【００２５】
選択的に、構成シグナリング及び前記第2の測定パイロットは、同じスロットの中に存在し、前記構成シグナリングは、前記第2の測定パイロットを構成するのに使用され、前記構成シグナリングが位置しているシンボルは、前記第2の測定パイロットを送信するのに使用されるシンボルの前に位置している。
【００２６】
選択的に、構成シグナリング及び前記第2の測定パイロットは、同じスロットの中に存在し、前記構成シグナリングは、前記第2の測定パイロットを構成するのに使用され、前記構成シグナリングが位置しているシンボルは、前記第2の測定パイロットを送信するのに使用されるシンボルの前に位置している。
【００２７】
選択的に、トリガシグナリング及び前記第2の測定パイロットは、同じスロットの中に存在し、前記トリガシグナリングは、CSIをフィードバックするように前記ユーザ機器に指示するのに使用され、前記トリガシグナリング及び前記第2の測定パイロットは、同じスロットの中に存在し、そして、前記トリガシグナリングが位置しているシンボルは、前記第2の測定パイロットを送信するのに使用されるシンボルの前に位置している。
【００２８】
選択的に、トリガシグナリング及び前記第2の測定パイロットは、同じスロットの中に存在し、前記トリガシグナリングは、CSIをフィードバックするように前記ユーザ機器に指示するのに使用され、前記トリガシグナリング及び前記第2の測定パイロットは、同じスロットの中に存在し、そして、前記トリガシグナリングが位置しているシンボルは、前記第2の測定パイロットを送信するのに使用されるシンボルの前に位置している。
【００２９】
選択的に、前記第2の測定パイロットを構成するのに使用される前記構成シグナリング及びCSIをフィードバックするように前記ユーザ機器に指示するのに使用される前記トリガシグナリングは、同じDCIの中に存在する。
【００３０】
選択的に、上記の方法は、前記基地局が送信した動的シグナリングを前記ユーザ機器によって受信するステップをさらに含み、前記動的シグナリングは、
CSIフィードバックのタイプセット、CSIの周波数領域粒度、CSIフィードバックの前記タイプセットをフィードバックするのに使用されるフィードバック時点、又は、CSIフィードバックのアップリンクチャネルタイプ、のうちの少なくとも2つを示し、
CSIフィードバックの前記タイプセットは、
RI、PMI、CQI干渉電力、干渉共分散行列、チャネル共分散行列、CQI、ビーム選択情報、ビームの合成のための係数、明示的なフィードバックを実行するように前記ユーザ機器に指示するのに使用される指示情報、又は、黙示的なフィードバックを実行するように前記ユーザ機器に指示するのに使用される指示情報、のうちの少なくとも2つのCSIフィードバックタイプを含む。
【００３１】
選択的に、前記ユーザ機器は、前記動的シグナリングにしたがって目標CSIフィードバックタイプを決定し、前記目標CSIフィードバックタイプは、CSIフィードバックの前記タイプセットに含まれる前記少なくとも2つのCSIフィードバックタイプのうちのいずれか1つであり、前記ユーザ機器は、さらに、前記動的シグナリングにしたがって、前記少なくとも2つのCSIフィードバックタイプのうちのいずれか1つをフィードバックするのに使用されるフィードバック時点を決定する。
【００３２】
選択的に、当該方法は、前記動的シグナリングにしたがって前記ユーザ機器によって、前記目標CSIフィードバックタイプのうちのいずれか1つをフィードバックするのに使用される前記フィードバック時点が目標フィードバック時点であるということを決定するステップをさらに含み、前記目標フィードバック時点は、少なくとも2つの異なる時点を含む。
【００３３】
選択的に、当該方法は、前記ユーザ機器によって、前記動的シグナリングにしたがって参照信号構成情報の少なくとも1つの部分を決定するステップと、
前記ユーザ機器によって、参照信号構成情報の前記少なくとも1つの部分にしたがって少なくとも1つの参照信号を決定するステップと、をさらに含み、参照信号構成情報の前記少なくとも1つの部分は、前記少なくとも1つの参照信号を構成するのに使用され、
前記少なくとも1つの参照信号のうちのいずれか1つは、CSIフィードバックの前記タイプセットに含まれる少なくとも1つのCSIフィードバックタイプに対応する。
【００３４】
選択的に、当該方法は、前記ユーザ機器によって、前記動的シグナリングにしたがってフィードバックチャネル構成情報の少なくとも1つの部分を決定するステップと、
前記ユーザ機器によって、フィードバックチャネル構成情報の前記少なくとも1つの部分にしたがって少なくとも1つのフィードバックチャネルを決定するステップと、をさらに含み、フィードバックチャネル構成情報の前記少なくとも1つの部分は、前記少なくとも1つのフィードバックチャネルを構成するのに使用され、
前記少なくとも1つのフィードバックチャネルのうちのいずれか1つは、CSIフィードバックの前記タイプセットに含まれる少なくとも1つのCSIフィードバックタイプに対応する。
【００３５】
選択的に、前記第2の測定パイロットにしたがった前記ユーザ機器による測定によって取得される前記第2のCSIの基準リソースから報告時点までの時間期間は、X1であり、前記第1の測定パイロットにしたがった測定によって取得される前記第1のCSIの基準リソースから報告時点までの時間期間は、X2であり、X1＜X2であり、前記基準リソースは、前記第2の測定パイロットを送信するのに使用されるサブフレームである。
【００３６】
選択的に、前記第2の測定パイロットにしたがった前記ユーザ機器による測定によって取得される前記第2のCSIの基準リソースから報告時点までの時間期間は、X1であり、X1は、上位層シグナリングを使用することによって構成されるか、又は、動的シグナリングを使用することによって構成され、前記基準リソースは、前記第2の測定パイロットを送信するのに使用されるサブフレームである。
【００３７】
選択的に、前記第2の測定パイロットにしたがった前記ユーザ機器による測定の基準リソースから報告時点までの時間期間は、X1であり、X1は、1つの測定プロセスに含まれる前記第2の測定パイロットのリソースの数及び/又は各々の第2の測定パイロットに含まれるポートの数に関連付けられ、前記基準リソースは、前記第2の測定パイロットを送信するのに使用されるサブフレームである。
【００３８】
本発明の複数の実施形態の第2の態様は、データ送信方法であって、
基地局によってユーザ機器に、測定プロセスのタイプを示すステップであって、前記測定プロセスの前記タイプは、前記ユーザ機器が、前記測定プロセスの前記タイプにしたがって、測定手順及びフィードバックされるチャネル状態情報(CSI)のタイプを決定することを可能にするのに使用され、前記測定プロセスの前記タイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、ステップと、
前記ユーザ機器が送信するフィードバックを前記基地局によって受信するステップと、を含み、前記フィードバックは、前記決定された測定プロセス及び/又はフィードバックされるCSIにしたがって前記ユーザ機器によって生成される、データ送信方法を提供する。
【００３９】
選択的に、前記測定プロセスによって定義される前記信号測定パイロットが、第1の測定パイロットである場合に、前記ユーザ機器が送信して前記基地局が受信するCSIのタイプは、第1のCSIであり、又は、
前記測定プロセスによって定義される前記信号測定パイロットが、第2の測定パイロットである場合に、前記ユーザ機器が送信して前記基地局が受信するCSIのタイプは、第2のCSIであり、前記第1のCSIに含まれるフィードバック量と前記第2のCSIに含まれるフィードバック量は、異なっている。
【００４０】
選択的に、前記第1の測定パイロットは、プリコーディングされていないパイロット又はプリコーディングされているパイロットであり、及び/又は前記第1の測定パイロットは、周期的に送られるパイロットであり、
前記第2の測定パイロットは、プリコーディングされているパイロットであり、及び/又は前記第2の測定パイロットは、周期的には送られず、及び/又は前記第2の測定パイロットは、前記基地局によってトリガされ、及び/又は前記第2の測定パイロットは、サブバンドにおいて送られる。
【００４１】
選択的に、前記第1のCSIは、ランク指標(RI)、プリコーディング行列指標(PMI)、及びチャネル品質指標(CQI)を含むか、又は前記第1のCSIは、RI及びPMIを含み、
前記第2のCSIは、RI、PMI、及びCQIを含むか、又は前記第2のCSIは、CQIを含むか、又は前記第2のCSIは、選択されたビームを示すインデックス(BI)、RI、及びCQIを含む。
【００４２】
選択的に、測定プロセスの異なるタイプが、異なる測定手順及び/又はフィードバックされるチャネル状態情報(CSI)の異なるタイプに対応することは、
1つの測定プロセスが、M個の信号測定パイロット及びK個の干渉測定パイロットを含むということを含み、Mは、1以上の整数であり、Kは、1より大きな整数であり、前記K個の干渉測定パイロットは、制限的な測定の独立の構成を使用し、前記制限的な測定は、測定されることを可能とされるリソースの移動平均の範囲を制限するように構成される。
【００４３】
選択的に、測定プロセスの異なるタイプが、異なる測定手順及び/又はフィードバックされるチャネル状態情報(CSI)の異なるタイプに対応することは、
1つの測定プロセスが、M個の信号測定パイロット及びK個の干渉測定パイロットを含むということを含み、Mは、1より大きな整数であり、Kは、1以上の整数であり、前記M個の信号測定パイロットは、制限的な測定の独立の構成を使用し、前記制限的な測定は、測定されることを可能とされるリソースの移動平均の範囲を制限するように構成される。
【００４４】
選択的に、前記制限的な測定の独立の構成は、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成、のうちの少なくとも1つを含む。
【００４５】
選択的に、前記基地局は、前記ユーザ機器が送信したCQIを受信し、前記CQIは、前記K個の干渉測定パイロットにしたがって測定されるK個の干渉のうちのK1個の干渉の測定量にしたがって合成を実行することによって前記ユーザ機器によって決定された1つのCQIであり、K1は、1よりも大きく、且つ、K以下である整数である。
【００４６】
選択的に、前記基地局は、前記ユーザ機器が送信したCQIを受信し、前記CQIは、前記M個の信号測定パイロットにしたがって測定されるM個の信号の測定においてM1個の信号にしたがって合成を実行することによって前記ユーザ機器によって決定された1つのCQIであり、M1は、1より大きく、且つ、M以下である整数である。
【００４７】
選択的に、前記制限的な測定の前記シグナリングのタイプの前記独立の構成は、前記制限的な測定が、上位層シグナリング又は動的シグナリングを使用することによって独立に構成されることを含み、前記動的シグナリングは、UL  grantシグナリング又はDL  grantシグナリングを使用することによって通知される。
【００４８】
選択的に、前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含む。
【００４９】
選択的に、前記K個の干渉測定パイロットのうちの少なくとも1つは、干渉測定を実行するための制限的な測定を無効化する手法にしたがって構成される。
【００５０】
選択的に、N個のポートのパイロットは、前記測定プロセスにおいて構成され、N1個のポートのパイロットは、信号を測定するのに使用され、すべての前記N個のポートの前記パイロットは、干渉を測定するのに使用される。
【００５１】
選択的に、N個のポートを含む1つの測定パイロットは、前記測定プロセスにおいて構成され、1つのポートのパイロットは、信号を測定するのに使用され、目標ポートのパイロットは、干渉を測定するのに使用され、前記N個のポートの前記測定パイロットは、信号を測定するのに使用される1つのポートの前記パイロット及び前記目標ポートの前記パイロットを含み、前記ユーザ機器は、前記N個のポートの前記測定パイロットにしたがって測定を実行して、N個のCQIを取得するように構成される。
【００５２】
選択的に、N個のポートを含む1つの測定パイロットは、前記測定プロセスにおいて構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【００５３】
選択的に、データの電力に対する各々のパイロットポートの信号測定電力の比Xは、前記ユーザ機器が受信するデータの干渉の電力に対する各々のパイロットポートの干渉測定電力の比Yと等しい。
【００５４】
選択的に、前記第2の測定パイロットの時間周波数リソース位置は、サブフレームの第1のスロットの中に存在する。
【００５５】
選択的に、前記基地局は、前記第2の測定パイロットが位置している前記サブフレームの第2のスロットにおいて、前記ユーザ機器が送信した前記第2のCSIのフィードバックを受信する。
【００５６】
選択的に、基地局は、時間期間X1を決定し、X1は、前記第2の測定パイロットにしたがった前記ユーザ機器による測定によって取得される前記第2のCSIの基準リソースから報告時点までの時間期間であり、
前記基地局は、時間期間X2を決定し、X2は、前記第1の測定パイロットにしたがった前記ユーザ機器による測定によって取得される前記第1のCSIの基準リソースから報告時点までの時間期間であり、
X1＜X2であり、前記基準リソースは、前記第2の測定パイロットを送信するのに使用されるサブフレームである。
【００５７】
選択的に、前記基地局は、時間期間X1を決定し、X1は、前記第2の測定パイロットにしたがった前記ユーザ機器による測定によって取得される前記第2のCSIの基準リソースから報告時点までの時間期間であり、X1は、上位層シグナリングを使用することによって構成されるか、又は、動的シグナリングを使用することによって構成され、前記基準リソースは、前記第2の測定パイロットを送信するのに使用されるサブフレームである。
【００５８】
選択的に、前記基地局は、時間期間X1を決定し、X1は、前記第2の測定パイロットにしたがった前記ユーザ機器による測定によって取得される前記第2のCSIの基準リソースから報告時点までの時間期間であり、X1は、1つの測定プロセスに含まれる前記第2の測定パイロットのリソースの数及び/又は各々の第2の測定パイロットに含まれるポートの数に関連付けられ、前記基準リソースは、前記第2の測定パイロットを送信するのに使用されるサブフレームである。
【００５９】
選択的に、構成シグナリング及び前記第2の測定パイロットは、同じスロットの中に存在し、前記構成シグナリングは、前記第2の測定パイロットを構成するのに使用され、前記構成シグナリングが位置しているシンボルは、前記第2の測定パイロットを送信するのに使用されるシンボルの前に位置している。
【００６０】
選択的に、構成シグナリング及び前記第2の測定パイロットは、同じスロットの中に存在し、前記構成シグナリングは、前記第2の測定パイロットを構成するのに使用され、前記構成シグナリングが位置しているシンボルは、前記第2の測定パイロットを送信するのに使用されるシンボルの前に位置している。
【００６１】
選択的に、トリガシグナリング及び前記第2の測定パイロットは、同じスロットの中に存在し、前記トリガシグナリングは、CSIをフィードバックするように前記ユーザ機器に指示するのに使用され、前記トリガシグナリング及び前記第2の測定パイロットは、同じスロットの中に存在し、そして、前記トリガシグナリングが位置しているシンボルは、前記第2の測定パイロットを送信するのに使用されるシンボルの前に位置している。
【００６２】
選択的に、トリガシグナリング及び前記第2の測定パイロットは、同じスロットの中に存在し、前記トリガシグナリングは、CSIをフィードバックするように前記ユーザ機器に指示するのに使用され、前記トリガシグナリング及び前記第2の測定パイロットは、同じスロットの中に存在し、そして、前記トリガシグナリングが位置しているシンボルは、前記第2の測定パイロットを送信するのに使用されるシンボルの前に位置している。
【００６３】
選択的に、前記第2の測定パイロットを構成するのに使用される前記構成シグナリング及びCSIをフィードバックするように前記ユーザ機器に指示するのに使用される前記トリガシグナリングは、同じDCIの中に存在する。
【００６４】
選択的に、当該方法は、前記基地局によって前記ユーザ機器に動的シグナリングを送信するステップをさらに含み、前記動的シグナリングは、
CSIフィードバックのタイプセット、CSIの周波数領域粒度、CSIフィードバックの前記タイプセットの周波数領域粒度をフィードバックするのに使用されるフィードバック時点、又は、CSIフィードバックのアップリンクチャネルタイプ、のうちの少なくとも2つを示し、
CSIフィードバックの前記タイプセットは、
RI、PMI、CQI干渉電力、干渉共分散行列、チャネル共分散行列、CQI、ビーム選択情報、ビームの合成のための係数、明示的なフィードバックを実行するように前記ユーザ機器に指示するのに使用される指示情報、又は、黙示的なフィードバックを実行するように前記ユーザ機器に指示するのに使用される指示情報、のうちの少なくとも2つのCSIフィードバックタイプを含む。
【００６５】
選択的に、前記動的シグナリングは、目標CSIフィードバックタイプを決定するように前記ユーザ機器に指示するのに使用され、前記目標CSIフィードバックタイプは、CSIフィードバックの前記タイプセットに含まれる前記少なくとも2つのCSIフィードバックタイプのうちのいずれか1つであり、前記動的シグナリングは、前記少なくとも2つの目標CSIフィードバックタイプのうちのいずれか1つをフィードバックするのに使用されるフィードバック時点を決定するように前記ユーザ機器に指示するのに使用される。
【００６６】
選択的に、当該方法は、前記動的シグナリングが、前記目標CSIフィードバックタイプのうちのいずれか1つをフィードバックするのに使用される前記フィードバック時点が目標フィードバック時点であるということを決定するように前記ユーザ機器に指示するのに使用され、前記目標フィードバック時点が、少なくとも2つの異なる時点を含む、ということをさらに含む。
【００６７】
選択的に、当該方法は、前記動的シグナリングが、参照信号構成情報の少なくとも1つの部分を決定するように前記ユーザ機器に指示するのに使用され、
前記ユーザ機器は、参照信号構成情報の前記少なくとも1つの部分にしたがって少なくとも1つの参照信号を決定し、参照信号構成情報の前記少なくとも1つの部分は、前記少なくとも1つの参照信号を構成するのに使用され、
前記少なくとも1つの参照信号のうちのいずれか1つは、CSIフィードバックの前記タイプセットに含まれる少なくとも1つのCSIフィードバックタイプに対応する、ということをさらに含む。
【００６８】
選択的に、当該方法は、前記動的シグナリングが、フィードバックチャネル構成情報の少なくとも1つの部分を決定するように前記ユーザ機器に指示するのに使用され、
前記ユーザ機器は、フィードバックチャネル構成情報の前記少なくとも1つの部分にしたがって少なくとも1つのフィードバックチャネルを決定し、フィードバックチャネル構成情報の前記少なくとも1つの部分は、前記少なくとも1つのフィードバックチャネルを構成するのに使用され、
前記少なくとも1つのフィードバックチャネルのうちのいずれか1つは、CSIフィードバックの前記タイプセットに含まれる少なくとも1つのCSIフィードバックタイプに対応する、ということをさらに含む。
【００６９】
本発明の複数の実施形態の第3の態様は、ユーザ機器であって、
測定プロセスのタイプにしたがって、測定手順及びフィードバックされるチャネル状態情報(CSI)のタイプを決定するように構成される決定ユニットであって、前記測定プロセスの前記タイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、決定ユニットと、
前記決定された測定手順及び/又は前記フィードバックされるCSIの前記決定されたタイプにしたがって測定及びフィードバックを実行するように構成されるフィードバックユニットと、を含む、ユーザ機器を提供する。
【００７０】
選択的に、前記決定ユニットは、
前記測定プロセスによって定義される前記信号測定パイロットが、第1の測定パイロットである場合に、前記フィードバックされるCSIの前記タイプが第1のCSIであるということを決定するように構成される第1の決定モジュール、又は、
前記測定プロセスによって定義される前記信号測定パイロットが、第2の測定パイロットである場合に、前記フィードバックされるCSIの前記タイプが第2のCSIであるということを決定するように構成される第2の決定モジュール、を含み、前記第1のCSIに含まれるフィードバック量と前記第2のCSIに含まれるフィードバック量は、異なっている。
【００７１】
選択的に、前記第1の決定モジュールが決定する前記第1の測定パイロットは、プリコーディングされていないパイロット又はプリコーディングされているパイロットであり、及び/又は前記第1の測定パイロットは、周期的に送信されるパイロットであり、
前記第2の決定モジュールが決定する前記第2の測定パイロットは、プリコーディングされているパイロットであり、及び/又は前記第2の測定パイロットは、周期的には送られず、及び/又は前記第2の測定パイロットは、前記基地局によってトリガされ、及び/又は前記第2の測定パイロットは、サブバンドにおいて送信される。
【００７２】
選択的に、前記第1の決定モジュールが決定する前記第1のCSIは、ランク指標(RI)、プリコーディング行列指標(PMI)、及びチャネル品質指標(CQI)を含むか、又は前記第1のCSIは、RI及びPMIを含み、
前記第2の決定モジュールが決定する前記第2のCSIは、RI、PMI、及びCQIを含むか、又は前記第2のCSIは、CQIを含むか、又は前記第2のCSIは、選択されたビームを示すインデックス(BI)、RI、及びCQIを含む。
【００７３】
選択的に、前記決定ユニットは、さらに、1つの測定プロセスが、M個の信号測定パイロット及びK個の干渉測定パイロットを含むということを決定するように構成され、Mは、1以上の整数であり、Kは、1より大きな整数であり、前記K個の干渉測定パイロットは、制限的な測定の独立の構成を使用し、前記制限的な測定は、測定されることを可能とされるリソースの移動平均の範囲を制限するように構成される。
【００７４】
選択的に、前記決定ユニットは、さらに、1つの測定プロセスが、M個の信号測定パイロット及びK個の干渉測定パイロットを含むということを決定するように構成され、Mは、1より大きな整数であり、Kは、1以上の整数であり、前記M個の信号測定パイロットは、制限的な測定の独立の構成を使用し、前記制限的な測定は、測定されることを可能とされるリソースの移動平均の範囲を制限するように構成される。
【００７５】
選択的に、前記決定ユニットは、さらに、前記制限的な測定の前記独立の構成が、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成のうちの少なくとも1つを含むということを決定するように構成される。
【００７６】
選択的に、当該ユーザ機器は、1つのCQIを決定するために、前記K個の干渉測定パイロットにしたがって測定されるK個の干渉のうちのK1個の干渉の測定量にしたがって合成を実行するように構成される第3の決定モジュールをさらに含み、K1は、1よりも大きく、且つ、K以下の整数である。
【００７７】
選択的に、当該ユーザ機器は、1つのCQIを決定するために、前記M個の信号測定パイロットにしたがって測定されるM個の信号の測定においてM1個の信号にしたがって合成を実行するように構成される第4の決定モジュールをさらに含み、M1は、1より大きく、且つ、M以下の整数である。
【００７８】
選択的に、前記決定ユニットは、前記制限的な測定の前記シグナリングのタイプの前記独立の構成は、前記制限的な測定が、上位層シグナリング又は動的シグナリングを使用することによって独立に構成されるということ含むということを決定し、前記動的シグナリングは、UL  grantシグナリング又はDL  grantシグナリングを使用することによって通知される。
【００７９】
選択的に、前記決定ユニットは、さらに、前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含むということを決定するように構成される。
【００８０】
選択的に、前記決定ユニットは、さらに、前記K個の干渉測定パイロットのうちの少なくとも1つは、干渉測定を実行するための制限的な測定を無効化する手法にしたがって構成されるということを決定するように構成される。
【００８１】
選択的に、前記決定ユニットは、さらに、N個のポートのパイロットは、前記測定プロセスにおいて構成されるということを決定するように構成され、N1個のポートのパイロットが、信号を測定するのに使用され、すべての前記N個のポートの前記パイロットが、干渉を測定するのに使用される。
【００８２】
選択的に、前記決定ユニットは、さらに、N個のポートを含む1つの測定パイロットが、前記測定プロセスにおいて構成されるということを決定するように構成され、1つのポートのパイロットは、信号を測定するのに使用され、目標ポートのパイロットは、干渉を測定するのに使用され、前記N個のポートの前記測定パイロットは、信号を測定するのに使用される1つのポートの前記パイロット及び前記目標ポートの前記パイロットを含み、当該ユーザ機器は、前記N個のポートの前記測定パイロットにしたがって測定を実行して、N個のCQIを取得するように構成される。
【００８３】
選択的に、前記決定ユニットは、さらに、N個のポートを含む1つの測定パイロットが、前記測定プロセスにおいて構成されるということを決定するように構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【００８４】
選択的に、前記CQIを算出することを決定する際に、当該ユーザ機器は、データの電力に対する各々のパイロットポートの信号測定電力の比がXであるということを決定し、Xは、前記N個のポートの周波数分割多重化サブキャリアの数に関連付けられているか、又は一定値である。
【００８５】
選択的に、前記CQIを算出することを決定する際に、当該ユーザ機器は、当該ユーザ機器が受信するデータの干渉の電力に対する各々のパイロットポートの干渉測定電力の比がYであるということを決定し、Yは、前記N個のポートの周波数分割多重化サブキャリアの数に関連付けられているか、または一定値である。
【００８６】
選択的に、データの電力に対する各々のパイロットポートの信号測定電力の前記比Xは、当該ユーザ機器が受信するデータの干渉の電力に対する各々のパイロットポートの干渉測定電力の前記比Yと等しいということを決定する。
【００８７】
選択的に、前記決定ユニットは、さらに、前記第2の測定パイロットの時間周波数リソース位置が、サブフレームの第1のスロットの中に存在するということを決定するように構成される。
【００８８】
選択的に、当該ユーザ機器は、送信ユニットをさらに含み、前記送信ユニットは、前記第2の測定パイロットが位置している前記サブフレームの第2のスロットにおいて、前記第2のCSIをフィードバックするように構成される。
【００８９】
選択的に、前記決定ユニットは、さらに、前記第2の測定パイロットにしたがった測定によって取得される前記第2のCSIの基準リソースから報告時点までの時間期間が、X1であり、前記第1の測定パイロットにしたがった測定によって取得される前記第1のCSIの基準リソースから報告時点までの時間期間が、X2であるということを決定するように構成され、X1＜X2であり、前記基準リソースは、前記第2の測定パイロットを送信するのに使用されるサブフレームである。
【００９０】
選択的に、前記決定ユニットは、さらに、前記第2の測定パイロットにしたがった測定によって取得される前記第2のCSIの基準リソースから報告時点までの時間期間が、X1であるということを決定するように構成され、X1は、上位層シグナリングを使用することによって構成されるか、又は、動的シグナリングを使用することによって構成され、前記基準リソースは、前記第2の測定パイロットを送信するのに使用されるサブフレームである。
【００９１】
選択的に、前記決定ユニットは、さらに、前記第2の測定パイロットにしたがった測定の基準リソースから報告時点までの時間期間が、X1であるということを決定するように構成され、X1は、1つの測定プロセスに含まれる前記第2の測定パイロットのリソースの数及び/又は各々の第2の測定パイロットに含まれるポートの数に関連付けられ、前記基準リソースは、前記第2の測定パイロットを送信するのに使用されるサブフレームである。
【００９２】
本発明の複数の実施形態の第4の態様は、基地局であって、
ユーザ機器に測定プロセスのタイプを示すように構成される指示ユニットであって、前記測定プロセスの前記タイプは、前記ユーザ機器が、前記測定プロセスの前記タイプにしたがって、測定手順及びフィードバックされるチャネル状態情報(CSI)のタイプを決定することを可能にするのに使用され、前記測定プロセスの前記タイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、指示ユニットと、
前記ユーザ機器が送信したフィードバックを受信するように構成される受信ユニットと、を含み、前記フィードバックは、前記決定された測定手順及び/又はフィードバックされるCSIにしたがって前記ユーザ機器によって生成される、基地局を提供する。
【００９３】
選択的に、前記受信ユニットは、
前記測定プロセスによって定義される前記信号測定パイロットが、第1の測定パイロットである場合に、前記ユーザ機器が送信するとともにタイプが第1のCSIであるCSIを受信するように構成される第1の受信モジュール、又は、
前記測定プロセスによって定義される前記信号測定パイロットが、第2の測定パイロットである場合に、前記ユーザ機器が送信するとともにタイプが第2のCSIであるCSIを受信するように構成される第2の受信モジュール、を含み、前記第1のCSIに含まれるフィードバック量と前記第2のCSIに含まれるフィードバック量は、異なっている。
【００９４】
選択的に、前記指示ユニットは、さらに、前記第1の測定パイロットが、プリコーディングされていないパイロット又はプリコーディングされているパイロットであり、及び/又は前記第1の測定パイロットが、周期的に送信されるパイロットであり、
前記第2の測定パイロットが、プリコーディングされているパイロットであり、及び/又は前記第2の測定パイロットが、周期的には送信されず、及び/又は前記第2の測定パイロットが、前記基地局によってトリガされ、及び/又は前記第2の測定パイロットが、サブバンドにおいて送信される、ということを示すように構成される。
【００９５】
選択的に、前記受信ユニットが受信する前記第1のCSIは、ランク指標(RI)、プリコーディング行列指標(PMI)、及びチャネル品質指標(CQI)を含むか、又は前記第1のCSIは、RI及びPMIを含み、
前記受信ユニットが受信する前記第2のCSIは、RI、PMI、及びCQIを含むか、又は前記第2のCSIは、CQIを含むか、又は前記第2のCSIは、選択されたビームを示すインデックス(BI)、RI、及びCQIを含む。
【００９６】
選択的に、前記指示ユニットは、さらに、1つの測定プロセスが、M個の信号測定パイロット及びK個の干渉測定パイロットを含むということを示すように構成され、Mは、1以上の整数であり、Kは、1より大きな整数であり、前記K個の干渉測定パイロットは、制限的な測定の独立の構成を使用し、前記制限的な測定は、測定されることを可能とされるリソースの移動平均の範囲を制限するように構成される。
【００９７】
選択的に、前記指示ユニットは、さらに、1つの測定プロセスが、M個の信号測定パイロット及びK個の干渉測定パイロットを含むということを示すように構成され、Mは、1より大きな整数であり、Kは、1以上の整数であり、前記M個の信号測定パイロットは、制限的な測定の独立の構成を使用し、前記制限的な測定は、測定されることを可能とされるリソースの移動平均の範囲を制限するように構成される。
【００９８】
選択的に、前記指示ユニットは、さらに、前記制限的な測定の前記独立の構成が、
前記制限的な測定の独立の有効化及び無効化、前記制限的な測定の時間ウィンドウの開始時間の独立の構成、前記制限的な測定の時間ウィンドウの終了時間の独立の構成、前記制限的な測定の平均ウィンドウの時間長の独立の構成、又は前記制限的な測定のシグナリングのタイプの独立の構成のうちの少なくとも1つを含むということを示すように構成される。
【００９９】
選択的に、前記受信ユニットは、さらに、前記ユーザ機器が送信したCQIを受信するように構成され、前記CQIは、前記K個の干渉測定パイロットにしたがって測定されるK個の干渉のうちのK1個の干渉の測定量にしたがって合成を実行することによって前記ユーザ機器によって決定された1つのCQIであり、K1は、1よりも大きく、且つ、K以下である整数である。
【０１００】
選択的に、前記受信ユニットは、さらに、前記ユーザ機器が送信したCQIを受信するように構成され、前記CQIは、前記M個の信号測定パイロットにしたがって測定されるM個の信号の測定においてM1個の信号にしたがって合成を実行することによって前記ユーザ機器によって決定された1つのCQIであり、M1は、1より大きく、且つ、M以下である整数である。
【０１０１】
選択的に、前記指示ユニットは、さらに、前記制限的な測定の前記シグナリングのタイプの前記独立の構成は、前記制限的な測定が、上位層シグナリング又は動的シグナリングを使用することによって独立に構成されるということを含むということを示すように構成され、前記動的シグナリングは、UL  grantシグナリング又はDL  grantシグナリングを使用することによって通知される。
【０１０２】
選択的に、前記指示ユニットは、さらに、前記K個の干渉測定パイロットは、すべてが、非ゼロ電力パイロットであるか、又は、すべてが、ゼロ電力パイロットであり、或いは、前記K個の干渉測定パイロットは、非ゼロ電力パイロット及びゼロ電力パイロットを含むということを示すように構成される。
【０１０３】
選択的に、前記指示ユニットは、さらに、前記K個の干渉測定パイロットのうちの少なくとも1つは、干渉測定を実行するための制限的な測定を無効化する手法にしたがって構成されるということを示すように構成される。
【０１０４】
選択的に、前記指示ユニットは、さらに、N個のポートのパイロットが、前記測定プロセスにおいて構成されるということを示すように構成され、N1個のポートのパイロットは、信号を測定するのに使用され、すべての前記N個のポートの前記パイロットは、干渉を測定するのに使用される。
【０１０５】
選択的に、前記指示ユニットは、さらに、N個のポートを含む1つの測定パイロットが、前記測定プロセスにおいて構成されるということを示すように構成され、1つのポートのパイロットは、信号を測定するのに使用され、目標ポートのパイロットは、干渉を測定するのに使用され、前記N個のポートの前記測定パイロットは、信号を測定するのに使用される1つのポートの前記パイロット及び前記目標ポートの前記パイロットを含み、前記ユーザ機器は、前記N個のポートの前記測定パイロットにしたがって測定を実行して、N個のCQIを取得するように構成される。
【０１０６】
選択的に、前記指示ユニットは、さらに、N個のポートを含む1つの測定パイロットが、前記測定プロセスにおいて構成されるということを示すように構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【０１０７】
選択的に、前記指示ユニットは、さらに、データの電力に対する各々のパイロットポートの信号測定電力の比Xは、前記ユーザ機器が受信するデータの干渉の電力に対する各々のパイロットポートの干渉測定電力の比Yと等しいということを示すように構成される。
【０１０８】
選択的に、前記指示ユニットは、さらに、前記第2の測定パイロットの時間周波数リソース位置が、サブフレームの第1のスロットの中に存在するということを示すように構成される。
【０１０９】
選択的に、前記受信ユニットは、さらに、前記第2の測定パイロットが位置している前記サブフレームの第2のスロットにおいて、前記ユーザ機器が送信した前記第2のCSIのフィードバックを受信するように構成される。
【０１１０】
選択的に、前記指示ユニットは、さらに、時間期間X1を決定し、X1は、前記第2の測定パイロットにしたがった前記ユーザ機器による測定によって取得される前記第2のCSIの基準リソースから報告時点までの時間期間であり、
時間期間X2を決定する、ように構成され、X2は、前記第1の測定パイロットにしたがった前記ユーザ機器による測定によって取得される前記第1のCSIの基準リソースから報告時点までの時間期間であり、
X1＜X2であり、前記基準リソースは、前記第2の測定パイロットを送信するのに使用されるサブフレームである。
【０１１１】
選択的に、前記指示ユニットは、さらに、時間期間X1を決定するように構成され、X1は、前記第2の測定パイロットにしたがった前記ユーザ機器による測定によって取得される前記第2のCSIの基準リソースから報告時点までの時間期間であり、X1は、上位層シグナリングを使用することによって構成されるか、又は、動的シグナリングを使用することによって構成され、前記基準リソースは、前記第2の測定パイロットを送信するのに使用されるサブフレームである。
【０１１２】
選択的に、前記指示ユニットは、さらに、時間期間X1を決定するように構成され、X1は、前記第2の測定パイロットにしたがった前記ユーザ機器による測定によって取得される前記第2のCSIの基準リソースから報告時点までの時間期間であり、X1は、1つの測定プロセスに含まれる前記第2の測定パイロットのリソースの数及び/又は各々の第2の測定パイロットに含まれるポートの数に関連付けられ、前記基準リソースは、前記第2の測定パイロットを送信するのに使用されるサブフレームである。
【０１１３】
本発明の複数の実施形態の第5態様は、データ送信方法であって、
ユーザ機器によって、N個の参照信号リソースを含むセットの中のN1個の参照信号リソースにしたがってチャネル情報測定を実行して、チャネル情報を取得するステップであって、Nは、2以上の正の整数であり、N1は、N以下の正の整数である、ステップと、
前記ユーザ機器によって、前記N個の参照信号リソースを含む前記セットの中のN2個の参照信号リソースにしたがって干渉情報測定を実行して、干渉情報を取得するステップであって、N2は、N以下の正の整数である、ステップと、
前記ユーザ機器によって、前記チャネル情報及び前記干渉情報にしたがってチャネル状態情報(CSI)を決定するステップと、
前記ユーザ機器によって基地局に前記決定されたチャネル状態情報(CSI)を送信するステップと、を含む、データ送信方法を提供する。
【０１１４】
選択的に、前記N個の参照信号リソースを含む前記セットの中の前記N1個の参照信号ソース及び前記N個の参照信号リソースを含む前記セットの中の前記N2個の参照信号リソースは、重複するリソースを有し、前記N1個の参照信号リソースは、チャネル情報測定を実行するのに使用され、前記N2個の参照信号リソースは、干渉情報測定を実行するのに使用される。
【０１１５】
選択的に、前記N個の参照信号リソースを含む前記セットの中の前記N2個の参照信号リソースは、非ゼロ電力を有するように構成されるN21個の参照信号リソース及び/又はゼロ電力を有するように構成されるN22個の参照信号リソースを含み、N21は、N以下であり、N22は、N以下である。
【０１１６】
選択的に、前記ユーザ機器は、第1の干渉測定リソース、第2の干渉測定リソース、及び第3の干渉測定リソースの間で動的な切り替えを実行し、前記第1の干渉測定リソースは、もっぱら、非ゼロ電力参照信号リソースであり、前記非ゼロ電力参照信号リソースの数は、N21であり、N21は、Nと等しく、前記第2の干渉測定リソースは、もっぱら、ゼロ電力参照信号リソースであり、前記ゼロ電力参照信号リソースの数は、N22であり、N22は、Nと等しく、前記第3の干渉測定リソースは、非ゼロ電力参照信号リソース及びゼロ電力干渉信号リソースを含み、前記非ゼロ電力参照信号リソースの数は、N21であり、N21は、Nより小さく、前記ゼロ電力参照信号リソースの数は、N22であり、N22は、Nよりも小さい。
【０１１７】
選択的に、前記N2個の参照信号リソースに含まれるとともに非ゼロ電力を有するように構成される前記N21個の参照信号リソースは、前記N個の参照信号リソースを含む前記セットの中の前記N1個の参照信号リソースと同じである。
【０１１８】
選択的に、ユーザ機器によって、N個の参照信号リソースを含むセットの中のN1個の参照信号リソースにしたがってチャネル測定を実行するステップの前に、当該方法は、
前記基地局が送信して、前記N個の参照信号リソースを含む前記セットの中の前記N1個の参照信号リソースの構成情報を示すのに使用される上位層シグナリングを前記ユーザ機器によって受信するステップ、又は、前記基地局が送信して、前記N個の参照信号リソースを含む前記セットの中の前記N1個の参照信号リソースの構成情報を示すのに使用される動的シグナリングを前記ユーザ機器によって受信するステップ、をさらに含み、
前記構成情報は、前記N個の参照信号リソースの前記セットの中の前記N1個の参照信号リソースの時間周波数リソースの位置情報を含み、
前記構成情報は、
前記N個の参照信号リソースの前記セットの中の前記N1個の参照信号リソースの電力情報、又は、前記N個の参照信号リソースの前記セットの中の前記N1個の参照信号リソースの符号リソース情報、のうちの少なくとも1つをさらに含む。
【０１１９】
選択的に、X1個のポートは、前記N個の参照信号リソースを含む前記セットの中の前記N1個の参照信号リソースについて多重化され、
ユーザ機器によって、N個の参照信号リソースを含むセットの中のN1個の参照信号リソースにしたがってチャネル測定を実行するステップの前に、当該方法は、
前記基地局が送信した構成情報を前記ユーザ機器によって受信するステップを含み、前記構成情報は、前記X1個のポートのうちのM1個のポートが、チャネル測定を実行するのに使用される第1の参照信号を送信するように構成されるということを示すのに使用され、前記第1の参照信号は、非ゼロ電力参照信号であり、M1は、X1以下であり、
ユーザ機器によって、N個の参照信号リソースを含むセットの中のN1個の参照信号リソースにしたがってチャネル測定を実行するステップは、
前記ユーザ機器によって、前記X1個のポートのうちの前記M1個のポートを使用することによって前記第1の参照信号を受信するステップと、
前記ユーザ機器によって、前記X1個のポートのうちの前記M1個のポートを使用することによって取得される前記第1の参照信号にしたがってチャネル測定を実行するステップと、を含む。
【０１２０】
選択的に、前記構成情報は、第1の指示情報及び第2の指示情報を含み、前記第1の指示情報は、上位層シグナリングを使用することによって前記ユーザ機器によって取得される情報であり、前記第1の指示情報は、前記N個の参照信号リソースの前記セットの中の前記N1個の参照信号リソースについて多重化される前記X1個のポートを示すのに使用され、前記第2の指示情報は、動的シグナリングを使用することによって前記ユーザ機器によって取得される情報であり、前記第2の指示情報は、前記N個の参照信号リソースの前記セットの中の前記N1個の参照信号リソースについて多重化される前記X1個のポートのうちの前記M1個のポートを示すのに使用される。
【０１２１】
選択的に、前記N個の参照信号リソースを含む前記セットの中の前記N1個の参照信号リソースについての前記X1個のポートの前記多重化は、符号分割多重化であり、又は、
前記N個の参照信号リソースを含む前記セットの中の前記N1個の参照信号リソースについての前記X1個のポートの前記多重化は、時間周波数多重化及び符号分割多重化である。
【０１２２】
選択的に、前記ユーザ機器によって、前記N個の参照信号リソースを含む前記セットの中のN2個の参照信号リソースにしたがって干渉測定を実行するステップの前に、当該方法は、
前記基地局が送信して、前記N個の参照信号リソースを含む前記セットの中の前記N2個の参照信号リソースの構成情報を示すのに使用される上位層シグナリングを前記ユーザ機器によって受信するステップ、又は、前記基地局が送信して、前記N個の参照信号リソースを含む前記セットの中の前記N2個の参照信号リソースの構成情報を示すのに使用される動的シグナリングを前記ユーザ機器によって受信するステップ、をさらに含み、
前記構成情報は、前記N2個の参照信号リソースの時間周波数リソースの位置情報を含み、
前記構成情報は、
前記N2個の参照信号リソースの電力情報、又は、前記N2個の参照信号リソースの符号リソース情報、のうちの少なくとも1つをさらに含む。
【０１２３】
選択的に、当該方法は、
前記ユーザ機器によって、あらかじめ格納されている情報にしたがって、前記N個の参照信号リソースを含む前記セットの構成情報を決定するステップであって、前記指示情報は、前記基地局と前記ユーザ機器とによって前もって合意されており、前記指示情報は、前記N個の参照信号リソースを含む前記セットの前記構成情報を示すのに使用される、ステップ、又は、
前記基地局が送信して、前記N個の参照信号リソースを含む前記セットの構成を示すのに使用される上位層シグナリングを前記ユーザ機器によって受信するステップ、又は、
前記基地局が送信して、前記N個の参照信号リソースを含む前記セットの構成及び情報を示すのに使用される動的シグナリングを前記ユーザ機器によって受信するステップ、をさらに含む。
【０１２４】
選択的に、当該方法は、
前記構成情報が、第3の指示情報及び第4の指示情報を含み、前記第3の指示情報は、上位層シグナリングを使用することによって前記ユーザ機器によって取得される情報であり、
前記第3の指示情報は、前記N個の参照信号リソースの前記セットの時間周波数リソースの位置情報を含み、
前記第3の指示情報は、
前記N個の参照信号リソースの前記セットの電力情報、又は、前記N個の参照信号リソースの前記セットの符号リソース情報、のうちの少なくとも1つを含み、
前記第4の指示情報は、前記N個の参照信号リソースの前記セットの中の前記第3の指示情報によって示される前記時間周波数リソースの範囲の中の目標ポートを示すのに使用され、前記目標ポートは、前記N個の参照信号リソースの前記セットの中の前記N1個の参照信号リソースについて多重化される前記X1個のポートのうちの前記M1個のポートである、ということをさらに含む。
【０１２５】
選択的に、前記ユーザ機器によって、前記N個の参照信号リソースを含む前記セットの中のN2個の参照信号リソースにしたがって干渉測定を実行するステップの前に、当該方法は、
前記ユーザ機器によって、前記N個の参照信号リソースを含む前記セットの前記時間周波数リソースの前記位置情報及び前記N個の参照信号リソースを含む前記セットの中の前記N1個の参照信号リソースの前記時間周波数リソースの前記位置情報にしたがって、前記N個の参照信号リソースを含む前記セットの中の前記N2個の参照信号リソースの時間周波数リソースの位置を決定するステップをさらに含む。
【０１２６】
選択的に、前記X1個のポートは、前記N個の参照信号リソースを含む前記セットの中の前記N1個の参照信号リソースについて多重化され、前記X1個のポートのうちの前記M1個のポートは、チャネル測定を実行するのに使用される前記非ゼロ電力参照信号を送信するように構成され、M1は、X1以下であり、
前記ユーザ機器によって、前記N個の参照信号リソースを含む前記セットの中のN2個の参照信号リソースにしたがって干渉測定を実行するステップの前に、当該方法は、
前記ユーザ機器によって、前記N個の参照信号リソースを含む前記セットの時間周波数リソースの前記位置及び前記X1個のポートのうちの前記M1個のポートにしたがって、前記N個の参照信号リソースを含む前記セットの中の前記N2個の参照信号リソースの時間周波数リソースの位置を決定するステップをさらに含む。
【０１２７】
選択的に、前記ユーザ機器によって、前記N個の参照信号リソースを含む前記セットの中のN2個の参照信号リソースにしたがって干渉測定を実行するステップは、
前記ユーザ機器によって、前記N個の参照信号リソースを含む前記セットの中のN2個の参照信号を使用することによって干渉測定を実行するステップを含み、前記N個の参照信号リソースを含む前記セットの中の前記N2個の参照信号リソースは、第1の参照信号リソース及び第2の参照信号リソースを含み、前記第1の参照信号リソースは、前記ユーザ機器の前記X1個のポートのうちの前記M1個のポートに対応する非ゼロ電力参照信号リソースであり、前記第2の参照信号リソースは、前記ユーザ機器が仮定したゼロ電力参照信号であり、
前記第2の参照信号リソースは、前記ユーザ機器の前記N個の参照信号リソースを含む前記セットに対応する前記時間周波数リソースのうちで、前記M1個のポートに対応する前記非ゼロ電力参照信号リソース以外の対応する時間周波数リソースである。
【０１２８】
選択的に、当該方法は、
前記非ゼロ電力参照信号リソースを使用して前記ユーザ機器が受信する信号は、前記基地局が前記ユーザ機器に送信した信号、干渉、及び雑音の合計を含むということ、及び、
前記ゼロ電力参照信号リソースを使用して前記ユーザ機器が受信する信号は、干渉及び雑音の合計を含むということ、をさらに含む。
【０１２９】
本発明の複数の実施形態の第6の態様は、データ送信方法であって、
基地局によってユーザ機器に、N個の参照信号リソースを含むセットを示すステップであって、前記N個の参照信号リソースの前記セットの中のN1個の参照信号リソースは、チャネル情報測定を実行するのに使用され、前記N個の参照信号リソースを含む前記セットの中のN2個の参照信号リソースは、干渉情報測定を実行するのに使用され、Nは、2以上の正の整数であり、N1は、N以下の正の整数であり、N2は、N以下の正の整数であり、それによって、前記ユーザ機器は、前記N個の参照信号リソースを含む前記セットの中の前記N1個の参照信号リソースにしたがって、チャネル情報測定を実行して、チャネル情報を取得し、前記ユーザ機器は、前記N個の参照信号リソースを含む前記セットの中の前記N2個の参照信号リソースにしたがって、干渉情報測定を実行して、干渉情報を取得し、前記ユーザ機器は、前記チャネル情報及び前記干渉情報にしたがって、チャネル状態情報(CSI)を決定する、ステップと、
前記ユーザ機器が送信した前記チャネル状態情報(CSI)を前記基地局によって受信するステップと、を含むデータ送信方法を提供する。
【０１３０】
選択的に、前記N個の参照信号リソースを含む前記セットの中の前記N1個の参照信号ソース及び前記N個の参照信号リソースを含む前記セットの中の前記N2個の参照信号リソースは、重複するリソースを有し、前記N1個の参照信号リソースは、チャネル情報測定を実行するのに使用され、前記N2個の参照信号リソースは、干渉情報測定を実行するのに使用される。
【０１３１】
選択的に、前記N個の参照信号リソースを含む前記セットの中の前記N2個の参照信号リソースは、非ゼロ電力を有するように構成されるN21個の参照信号リソース及び/又はゼロ電力を有するように構成されるN22個の参照信号リソースを含み、N21は、N以下であり、N22は、N以下である。
【０１３２】
選択的に、前記N2個の参照信号リソースに含まれるとともに非ゼロ電力を有するように構成される前記N21個の参照信号リソースは、前記N個の参照信号リソースを含む前記セットの中の前記N1個の参照信号リソースと同じである。
【０１３３】
選択的に、前記基地局は、前記ユーザ機器に、前記N個の参照信号リソースを含む前記セットの中の前記N1個の参照信号リソースの構成情報を示すのに使用される上位層シグナリングを送信し、又は、前記基地局は、前記ユーザ機器に、前記N個の参照信号リソースを含む前記セットの中の前記N1個の参照信号リソースの構成情報を示すのに使用される動的シグナリングを送信し、
前記構成情報は、前記N個の参照信号リソースの前記セットの中の前記N1個の参照信号リソースの時間周波数リソースの位置情報を含み、
前記構成情報は、
前記N個の参照信号リソースの前記セットの中の前記N1個の参照信号リソースの電力情報、又は、前記N個の参照信号リソースの前記セットの中の前記N1個の参照信号リソースの符号リソース情報、のうちの少なくとも1つをさらに含む。
【０１３４】
選択的に、X1個のポートは、前記N個の参照信号リソースを含む前記セットの中の前記N1個の参照信号リソースについて多重化され、
前記基地局は、前記ユーザ機器に構成情報を送信し、前記構成情報は、前記X1個のポートのうちのM1個のポートが、チャネル測定を実行するのに使用される第1の参照信号を送信するように構成されるということを示すのに使用され、前記第1の参照信号は、非ゼロ電力参照信号であり、M1は、X1以下であり、
前記基地局は、前記X1個のポートのうちの前記M1個のポートを使用することによって、前記ユーザ機器に前記第1の参照信号を送信し、それによって、前記ユーザ機器は、前記X1個のポートのうちの前記M1個のポートを使用することによって取得される前記第1の参照信号にしたがってチャネル測定を実行する。
【０１３５】
選択的に、前記構成情報は、第1の指示情報及び第2の指示情報を含み、前記第1の指示情報は、上位層シグナリングを使用することによって前記ユーザ機器によって取得される情報であり、前記第1の指示情報は、前記N個の参照信号リソースの前記セットの中の前記N1個の参照信号リソースについて多重化される前記X1個のポートを示すのに使用され、前記第2の指示情報は、動的シグナリングを使用することによって前記ユーザ機器によって取得される情報であり、前記第2の指示情報は、前記N個の参照信号リソースの前記セットの中の前記N1個の参照信号リソースについて多重化される前記X1個のポートのうちの前記M1個のポートを示すのに使用される。
【０１３６】
選択的に、前記N個の参照信号リソースを含む前記セットの中の前記N1個の参照信号リソースについての前記X1個のポートの前記多重化は、符号分割多重化であり、又は、
前記N個の参照信号リソースを含む前記セットの中の前記N1個の参照信号リソースについての前記X1個のポートの前記多重化は、時間周波数多重化及び符号分割多重化である。
【０１３７】
選択的に、前記基地局は、前記ユーザ機器に、前記N個の参照信号リソースを含む前記セットの中の前記N2個の参照信号リソースの構成情報を示すのに使用される上位層シグナリングを送信し、又は、前記基地局は、前記ユーザ機器に、前記N個の参照信号リソースを含む前記セットの中の前記N2個の参照信号リソースの構成情報を示すのに使用される動的シグナリングを送信し、
前記構成情報は、前記N2個の参照信号リソースの時間周波数リソースの位置情報を含み、
前記構成情報は、
前記N2個の参照信号リソースの電力情報、又は、前記N2個の参照信号リソースの符号リソース情報、のうちの少なくとも1つをさらに含む。
【０１３８】
選択的に、当該方法は、
前記ユーザ機器によって、あらかじめ格納されている指示情報にしたがって、前記N個の参照信号リソースを含む前記セットの構成情報を決定するステップであって、前記指示情報は、前記基地局と前記ユーザ機器とによって前もって合意されており、前記指示情報は、前記N個の参照信号リソースを含む前記セットの前記構成情報を示すのに使用される、ステップ、又は、
前記基地局によって前記ユーザ機器に、前記N個の参照信号リソースを含む前記セットの構成を示すのに使用される上位層シグナリングを送信するステップ、又は、
前記基地局によって前記ユーザ機器に、前記N個の参照信号リソースを含む前記セットの構成及び情報を示すのに使用される動的シグナリングを送信するステップ、をさらに含む。
【０１３９】
選択的に、当該方法は、
前記構成情報が、第3の指示情報及び第4の指示情報を含み、前記第3の指示情報は、上位層シグナリングを使用することによって前記ユーザ機器によって取得される情報であり、
前記第3の指示情報は、前記N個の参照信号リソースの前記セットの時間周波数リソースの位置情報を含み、
前記第3の指示情報は、
前記N個の参照信号リソースの前記セットの電力情報、又は、前記N個の参照信号リソースの前記セットの符号リソース情報、のうちの少なくとも1つを含み、
前記第4の指示情報は、前記N個の参照信号リソースの前記セットの中の前記第3の指示情報によって示される前記時間周波数リソースの範囲の中の目標ポートを示すのに使用され、前記目標ポートは、前記N個の参照信号リソースの前記セットの中の前記N1個の参照信号リソースについて多重化される前記X1個のポートのうちの前記M1個のポートである、ということをさらに含む。
【０１４０】
選択的に、前記ユーザ機器は、前記N個の参照信号リソースを含む前記セットの前記時間周波数リソースの前記位置情報及び前記N個の参照信号リソースを含む前記セットの中の前記N1個の参照信号リソースの前記時間周波数リソースの前記位置情報にしたがって、前記N個の参照信号リソースを含む前記セットの中の前記N2個の参照信号リソースの時間周波数リソースの位置を決定する。
【０１４１】
選択的に、X1個のポートは、前記N個の参照信号リソースを含む前記セットの中の前記N1個の参照信号リソースについて多重化され、前記X1個のポートのうちのM1個のポートは、チャネル測定を実行するのに使用される前記非ゼロ電力参照信号を送信するように構成され、M1は、X1以下であり、
前記ユーザ機器は、前記N個の参照信号リソースを含む前記セットの時間周波数リソースの位置及び前記X1個のポートのうちの前記M1個のポートにしたがって、前記N個の参照信号リソースを含む前記セットの中の前記N2個の参照信号リソースの時間周波数リソースの位置を決定する。
【０１４２】
選択的に、前記ユーザ機器は、前記N個の参照信号リソースを含む前記セットの中のN2個の参照信号を使用することによって干渉測定を実行し、前記N個の参照信号リソースを含む前記セットの中の前記N2個の参照信号リソースは、第1の参照信号リソース及び第2の参照信号リソースを含み、前記第1の参照信号リソースは、前記ユーザ機器の前記X1個のポートのうちの前記M1個のポートに対応する非ゼロ電力参照信号リソースであり、前記第2の参照信号リソースは、前記ユーザ機器が仮定したゼロ電力参照信号であり、
前記第2の参照信号リソースは、前記ユーザ機器の前記N個の参照信号リソースを含む前記セットに対応する前記時間周波数リソースのうちで、前記M1個のポートに対応する前記非ゼロ電力参照信号リソース以外の対応する時間周波数リソースである。
【０１４３】
本発明の複数の実施形態の第7の態様は、ユーザ機器であって、
N個の参照信号リソースを含むセットの中のN1個の参照信号リソースにしたがってチャネル情報測定を実行して、チャネル情報を取得するように構成される第1のユニットであって、Nは、2以上の正の整数であり、N1は、N以下の正の整数である、第1のユニットと、
前記N個の参照信号リソースを含む前記セットの中のN2個の参照信号リソースにしたがって干渉情報測定を実行して、干渉情報を取得するように構成される第2のユニットであって、N2は、N以下の正の整数である、第2のユニットと、
前記チャネル情報及び前記干渉情報にしたがってチャネル状態情報(CSI)を決定するように構成される第3のユニットと、
基地局に前記決定されたチャネル状態情報(CSI)を送信するように構成される第4のユニットと、を含むユーザ機器を提供する。
【０１４４】
選択的に、前記N個の参照信号リソースを含む前記セットの中の前記N1個の参照信号ソース及び前記N個の参照信号リソースを含む前記セットの中の前記N2個の参照信号リソースは、重複するリソースを有し、前記N1個の参照信号リソースは、チャネル情報測定を実行するのに使用され、前記N2個の参照信号リソースは、干渉情報測定を実行するのに使用される。
【０１４５】
選択的に、前記N個の参照信号リソースを含む前記セットの中の前記N2個の参照信号リソースは、非ゼロ電力を有するように構成されるN21個の参照信号リソース及び/又はゼロ電力を有するように構成されるN22個の参照信号リソースを含み、N21は、N以下であり、N22は、N以下である。
【０１４６】
選択的に、前記ユーザ機器は、第1の干渉測定リソース、第2の干渉測定リソース、及び第3の干渉測定リソースの間で動的な切り替えを実行し、前記第1の干渉測定リソースは、もっぱら、非ゼロ電力参照信号リソースであり、前記非ゼロ電力参照信号リソースの数は、N21であり、N21は、Nと等しく、前記第2の干渉測定リソースは、もっぱら、ゼロ電力参照信号リソースであり、前記ゼロ電力参照信号リソースの数は、N22であり、N22は、Nと等しく、前記第3の干渉測定リソースは、非ゼロ電力参照信号リソース及びゼロ電力干渉信号リソースを含み、前記非ゼロ電力参照信号リソースの数は、N21であり、N21は、Nより小さく、前記ゼロ電力参照信号リソースの数は、N22であり、N22は、Nよりも小さい。
【０１４７】
選択的に、前記N2個の参照信号リソースに含まれるとともに非ゼロ電力を有するように構成される前記N21個の参照信号リソースは、前記N個の参照信号リソースを含む前記セットの中の前記N1個の参照信号リソースと同じである。
【０１４８】
選択的に、ユーザ機器は、さらに、前記基地局が送信して、前記N個の参照信号リソースを含む前記セットの中の前記N1個の参照信号リソースの構成情報を示すのに使用される上位層シグナリングを受信するか、又は、前記基地局が送信して、前記N個の参照信号リソースを含む前記セットの中の前記N1個の参照信号リソースの構成情報を示すのに使用される動的シグナリングを前記ユーザ機器によって受信する、ように構成され、
前記構成情報は、前記N個の参照信号リソースの前記セットの中の前記N1個の参照信号リソースの時間周波数リソースの位置情報を含み、
前記構成情報は、
前記N個の参照信号リソースの前記セットの中の前記N1個の参照信号リソースの電力情報、又は、前記N個の参照信号リソースの前記セットの中の前記N1個の参照信号リソースの符号リソース情報、のうちの少なくとも1つをさらに含む。
【０１４９】
選択的に、X1個のポートは、前記N個の参照信号リソースを含む前記セットの中の前記N1個の参照信号リソースについて多重化され、
前記ユーザ機器は、さらに、前記基地局が送信した構成情報を受信するように構成され、前記構成情報は、前記X1個のポートのうちのM1個のポートが、チャネル測定を実行するのに使用される第1の参照信号を送信するように構成されるということを示すのに使用され、前記第1の参照信号は、非ゼロ電力参照信号であり、M1は、X1以下であり、
前記ユーザ機器は、さらに、前記X1個のポートのうちの前記M1個のポートを使用することによって前記第1の参照信号を受信し、そして、前記X1個のポートのうちの前記M1個のポートを使用することによって取得される前記第1の参照信号を使用することによってチャネル測定を実行する、ように構成される。
【０１５０】
選択的に、前記構成情報は、第1の指示情報及び第2の指示情報を含み、前記第1の指示情報は、上位層シグナリングを使用することによって前記ユーザ機器によって取得される情報であり、前記第1の指示情報は、前記N個の参照信号リソースの前記セットの中の前記N1個の参照信号リソースについて多重化される前記X1個のポートを示すのに使用され、前記第2の指示情報は、動的シグナリングを使用することによって前記ユーザ機器によって取得される情報であり、前記第2の指示情報は、前記N個の参照信号リソースの前記セットの中の前記N1個の参照信号リソースについて多重化される前記X1個のポートのうちの前記M1個のポートを示すのに使用される。
【０１５１】
選択的に、前記N個の参照信号リソースを含む前記セットの中の前記N1個の参照信号リソースについての前記X1個のポートの前記多重化は、符号分割多重化であり、又は、
前記N個の参照信号リソースを含む前記セットの中の前記N1個の参照信号リソースについての前記X1個のポートの前記多重化は、時間周波数多重化及び符号分割多重化である。
【０１５２】
選択的に、前記ユーザ機器によって、前記N個の参照信号リソースを含む前記セットの中のN2個の参照信号リソースにしたがって干渉測定を実行するステップの前に、当該方法は、
前記基地局が送信して、前記N個の参照信号リソースを含む前記セットの中の前記N2個の参照信号リソースの構成情報を示すのに使用される上位層シグナリングを前記ユーザ機器によって受信するステップ、又は、前記基地局が送信して、前記N個の参照信号リソースを含む前記セットの中の前記N2個の参照信号リソースの構成情報を示すのに使用される動的シグナリングを前記ユーザ機器によって受信するステップ、をさらに含み、
前記構成情報は、前記N2個の参照信号リソースの時間周波数リソースの位置情報を含み、
前記構成情報は、
前記N2個の参照信号リソースの電力情報、又は、前記N2個の参照信号リソースの符号リソース情報、のうちの少なくとも1つをさらに含む。
【０１５３】
選択的に、当該方法は、
前記ユーザ機器によって、あらかじめ格納されている情報にしたがって、前記N個の参照信号リソースを含む前記セットの構成情報を決定するステップであって、前記指示情報は、前記基地局と前記ユーザ機器とによって前もって合意されており、前記指示情報は、前記N個の参照信号リソースを含む前記セットの前記構成情報を示すのに使用される、ステップ、又は、
前記基地局が送信して、前記N個の参照信号リソースを含む前記セットの構成を示すのに使用される上位層シグナリングを前記ユーザ機器によって受信するステップ、又は、
前記基地局が送信して、前記N個の参照信号リソースを含む前記セットの構成及び情報を示すのに使用される動的シグナリングを前記ユーザ機器によって受信するステップ、をさらに含む。
【０１５４】
選択的に、当該方法は、
前記構成情報が、第3の指示情報及び第4の指示情報を含み、前記第3の指示情報は、上位層シグナリングを使用することによって前記ユーザ機器によって取得される情報であり、
前記第3の指示情報は、前記N個の参照信号リソースの前記セットの時間周波数リソースの位置情報を含み、
前記第3の指示情報は、
前記N個の参照信号リソースの前記セットの電力情報、又は、前記N個の参照信号リソースの前記セットの符号リソース情報、のうちの少なくとも1つを含み、
前記第4の指示情報は、前記N個の参照信号リソースの前記セットの中の前記第3の指示情報によって示される前記時間周波数リソースの範囲の中の目標ポートを示すのに使用され、前記目標ポートは、前記N個の参照信号リソースの前記セットの中の前記N1個の参照信号リソースについて多重化される前記X1個のポートのうちの前記M1個のポートである、ということをさらに含む。
【０１５５】
選択的に、前記ユーザ機器によって、前記N個の参照信号リソースを含む前記セットの中のN2個の参照信号リソースにしたがって干渉測定を実行するステップの前に、当該方法は、
前記ユーザ機器によって、前記N個の参照信号リソースを含む前記セットの前記時間周波数リソースの前記位置情報及び前記N個の参照信号リソースを含む前記セットの中の前記N1個の参照信号リソースの前記時間周波数リソースの前記位置情報にしたがって、前記N個の参照信号リソースを含む前記セットの中の前記N2個の参照信号リソースの時間周波数リソースの位置を決定するステップをさらに含む。
【０１５６】
選択的に、X1個のポートは、前記N個の参照信号リソースを含む前記セットの中の前記N1個の参照信号リソースについて多重化され、前記X1個のポートのうちの前記M1個のポートは、チャネル測定を実行するのに使用される前記非ゼロ電力参照信号を送信するように構成され、M1は、X1以下であり、
前記ユーザ機器によって、前記N個の参照信号リソースを含む前記セットの中のN2個の参照信号リソースにしたがって干渉測定を実行するステップの前に、当該方法は、
前記ユーザ機器によって、前記N個の参照信号リソースを含む前記セットの時間周波数リソースの位置及び前記X1個のポートのうちの前記M1個のポートにしたがって、前記N個の参照信号リソースを含む前記セットの中の前記N2個の参照信号リソースの時間周波数リソースの位置を決定するステップをさらに含む。
【０１５７】
選択的に、前記ユーザ機器によって、前記N個の参照信号リソースを含む前記セットの中のN2個の参照信号リソースにしたがって干渉測定を実行するステップは、
前記ユーザ機器によって、前記N個の参照信号リソースを含む前記セットの中のN2個の参照信号を使用することによって干渉測定を実行するステップを含み、前記N個の参照信号リソースを含む前記セットの中の前記N2個の参照信号リソースは、第1の参照信号リソース及び第2の参照信号リソースを含み、前記第1の参照信号リソースは、前記ユーザ機器の前記X1個のポートのうちの前記M1個のポートに対応する非ゼロ電力参照信号リソースであり、前記第2の参照信号リソースは、前記ユーザ機器が仮定したゼロ電力参照信号であり、
前記第2の参照信号リソースは、前記ユーザ機器の前記N個の参照信号リソースを含む前記セットに対応する前記時間周波数リソースのうちで、前記M1個のポートに対応する前記非ゼロ電力参照信号リソース以外の対応する時間周波数リソースである。
【０１５８】
選択的に、当該方法は、
前記非ゼロ電力参照信号リソースを使用して前記ユーザ機器が受信する信号は、前記基地局が前記ユーザ機器に送信した信号、干渉、及び雑音の合計を含むということ、及び、
前記ゼロ電力参照信号リソースを使用して前記ユーザ機器が受信する信号は、干渉及び雑音の合計を含むということ、をさらに含む。
【０１５９】
本発明の複数の実施形態の第8の態様は、基地局であって、
ユーザ機器に、N個の参照信号リソースを含むセットを示すように構成される第5のユニットであって、前記N個の参照信号リソースの前記セットの中のN1個の参照信号リソースは、チャネル情報測定を実行するのに使用され、前記N個の参照信号リソースを含む前記セットの中のN2個の参照信号リソースは、干渉情報測定を実行するのに使用され、Nは、2以上の正の整数であり、N1は、N以下の正の整数であり、N2は、N以下の正の整数であり、それによって、前記ユーザ機器は、前記N個の参照信号リソースを含む前記セットの中の前記N1個の参照信号リソースにしたがって、チャネル情報測定を実行して、チャネル情報を取得し、前記ユーザ機器は、前記N個の参照信号リソースを含む前記セットの中の前記N2個の参照信号リソースにしたがって、干渉情報測定を実行して、干渉情報を取得し、前記ユーザ機器は、前記チャネル情報及び前記干渉情報にしたがって、チャネル状態情報(CSI)を決定する、第5のユニットと、
前記ユーザ機器が送信した前記チャネル状態情報(CSI)を受信するように構成される第6のユニットと、を含む基地局を提供する。
【０１６０】
選択的に、前記N個の参照信号リソースを含む前記セットの中の前記N1個の参照信号ソース及び前記N個の参照信号リソースを含む前記セットの中の前記N2個の参照信号リソースは、重複するリソースを有し、前記N1個の参照信号リソースは、チャネル情報測定を実行するのに使用され、前記N2個の参照信号リソースは、干渉情報測定を実行するのに使用される。
【０１６１】
選択的に、前記N個の参照信号リソースを含む前記セットの中の前記N2個の参照信号リソースは、非ゼロ電力を有するように構成されるN21個の参照信号リソース及び/又はゼロ電力を有するように構成されるN22個の参照信号リソースを含み、N21は、N以下であり、N22は、N以下である。
【０１６２】
選択的に、前記N2個の参照信号リソースに含まれるとともに非ゼロ電力を有するように構成される前記N21個の参照信号リソースは、前記N個の参照信号リソースを含む前記セットの中の前記N1個の参照信号リソースと同じである。
【０１６３】
選択的に、前記基地局は、前記ユーザ機器に、前記N個の参照信号リソースを含む前記セットの中の前記N1個の参照信号リソースの構成情報を示すのに使用される上位層シグナリングを送信し、又は、前記基地局は、前記ユーザ機器に、前記N個の参照信号リソースを含む前記セットの中の前記N1個の参照信号リソースの構成情報を示すのに使用される動的シグナリングを送信し、
前記構成情報は、前記N個の参照信号リソースの前記セットの中の前記N1個の参照信号リソースの時間周波数リソースの位置情報を含み、
前記構成情報は、
前記N個の参照信号リソースの前記セットの中の前記N1個の参照信号リソースの電力情報、又は、前記N個の参照信号リソースの前記セットの中の前記N1個の参照信号リソースの符号リソース情報、のうちの少なくとも1つをさらに含む。
【０１６４】
選択的に、X1個のポートは、前記N個の参照信号リソースを含む前記セットの中の前記N1個の参照信号リソースについて多重化され、
前記基地局は、前記ユーザ機器に構成情報を送信し、前記構成情報は、前記X1個のポートのうちのM1個のポートが、チャネル測定を実行するのに使用される第1の参照信号を送信するように構成されるということを示すのに使用され、前記第1の参照信号は、非ゼロ電力参照信号であり、M1は、X1以下であり、
前記基地局は、前記X1個のポートのうちの前記M1個のポートを使用することによって、前記ユーザ機器に前記第1の参照信号を送信し、それによって、前記ユーザ機器は、前記X1個のポートのうちの前記M1個のポートを使用することによって取得される前記第1の参照信号にしたがってチャネル測定を実行する。
【０１６５】
選択的に、前記構成情報は、第1の指示情報及び第2の指示情報を含み、前記第1の指示情報は、上位層シグナリングを使用することによって前記ユーザ機器によって取得される情報であり、前記第1の指示情報は、前記N個の参照信号リソースの前記セットの中の前記N1個の参照信号リソースについて多重化される前記X1個のポートを示すのに使用され、前記第2の指示情報は、動的シグナリングを使用することによって前記ユーザ機器によって取得される情報であり、前記第2の指示情報は、前記N個の参照信号リソースの前記セットの中の前記N1個の参照信号リソースについて多重化される前記X1個のポートのうちの前記M1個のポートを示すのに使用される。
【０１６６】
選択的に、前記N個の参照信号リソースを含む前記セットの中の前記N1個の参照信号リソースについての前記X1個のポートの前記多重化は、符号分割多重化であり、又は、
前記N個の参照信号リソースを含む前記セットの中の前記N1個の参照信号リソースについての前記X1個のポートの前記多重化は、時間周波数多重化及び符号分割多重化である。
【０１６７】
選択的に、前記基地局は、さらに、前記ユーザ機器に、前記N個の参照信号リソースを含む前記セットの中の前記N2個の参照信号リソースの構成情報を示すのに使用される上位層シグナリングを送信するように構成されるか、又は、前記基地局によって前記ユーザ機器に、前記N個の参照信号リソースを含む前記セットの中の前記N2個の参照信号リソースの構成情報を示すのに使用される動的シグナリングを送信するように構成され、
前記構成情報は、前記N2個の参照信号リソースの時間周波数リソースの位置情報を含み、
前記構成情報は、
前記N2個の参照信号リソースの電力情報、又は、前記N2個の参照信号リソースの符号リソース情報、のうちの少なくとも1つをさらに含む。
【０１６８】
選択的に、前記基地局は、さらに、前記ユーザ機器が、あらかじめ格納されている指示情報にしたがって、前記N個の参照信号リソースを含む前記セットの構成情報を決定することを可能とするように構成され、前記指示情報は、前記基地局と前記ユーザ機器とによって前もって合意されており、前記指示情報は、前記N個の参照信号リソースを含む前記セットの前記構成情報を示すのに使用され、又は、
前記基地局は、さらに、前記ユーザ機器に、前記N個の参照信号リソースを含む前記セットの構成を示すのに使用される上位層シグナリングを送信するように構成され、又は、
前記基地局は、さらに、前記ユーザ機器に、前記N個の参照信号リソースを含む前記セットの構成及び情報を示すのに使用される動的シグナリングを送信するように構成される。
【０１６９】
選択的に、前記構成情報は、第3の指示情報及び第4の指示情報を含み、前記第3の指示情報は、上位層シグナリングを使用することによって前記ユーザ機器によって取得される情報であり、
前記第3の指示情報は、前記N個の参照信号リソースの前記セットの時間周波数リソースの位置情報を含み、
前記第3の指示情報は、
前記N個の参照信号リソースの前記セットの電力情報、又は、前記N個の参照信号リソースの前記セットの符号リソース情報、のうちの少なくとも1つをさらに含み、
前記第4の指示情報は、前記N個の参照信号リソースの前記セットの中の前記第3の指示情報によって示される前記時間周波数リソースの範囲の中の目標ポートを示すのに使用され、前記目標ポートは、前記N個の参照信号リソースの前記セットの中の前記N1個の参照信号リソースについて多重化される前記X1個のポートのうちの前記M1個のポートである。
【０１７０】
選択的に、前記ユーザ機器は、前記N個の参照信号リソースを含む前記セットの前記時間周波数リソースの前記位置情報及び前記N個の参照信号リソースを含む前記セットの中の前記N1個の参照信号リソースの前記時間周波数リソースの前記位置情報にしたがって、前記N個の参照信号リソースを含む前記セットの中の前記N2個の参照信号リソースの時間周波数リソースの位置を決定する。
【０１７１】
選択的に、X1個のポートは、前記N個の参照信号リソースを含む前記セットの中の前記N1個の参照信号リソースについて多重化され、前記X1個のポートのうちのM1個のポートは、チャネル測定を実行するのに使用される非ゼロ電力参照信号を送信するように構成され、M1は、X1以下であり、
前記ユーザ機器は、前記N個の参照信号リソースを含む前記セットの時間周波数リソースの位置及び前記X1個のポートのうちの前記M1個のポートにしたがって、前記N個の参照信号リソースを含む前記セットの中の前記N2個の参照信号リソースの時間周波数リソースの位置を決定する。
【０１７２】
選択的に、前記ユーザ機器は、前記N個の参照信号リソースを含む前記セットの中のN2個の参照信号を使用することによって干渉測定を実行し、前記N個の参照信号リソースを含む前記セットの中の前記N2個の参照信号リソースは、第1の参照信号リソース及び第2の参照信号リソースを含み、前記第1の参照信号リソースは、前記ユーザ機器の前記X1個のポートのうちの前記M1個のポートに対応する非ゼロ電力参照信号リソースであり、前記第2の参照信号リソースは、前記ユーザ機器が仮定したゼロ電力参照信号であり、
前記第2の参照信号リソースは、前記ユーザ機器の前記N個の参照信号リソースを含む前記セットに対応する前記時間周波数リソースのうちで、前記M1個のポートに対応する前記非ゼロ電力参照信号リソース以外の対応する時間周波数リソースである。
【０１７３】
本発明の複数の実施形態は、データ送信方法及び関連するデバイスを開示する。そのデータ送信方法は、ユーザ機器によって、測定プロセスのタイプにしたがって、測定手順及びフィードバックされるチャネル状態情報(CSI)のタイプを決定するステップであって、その測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、ステップと、ユーザ機器によって、決定された測定手順及び/又はフィードバックされるCSIの決定されたタイプにしたがって測定及びフィードバックを実行するステップと、を含む。ユーザ機器は、測定プロセスの異なるタイプにしたがって、異なる測定手順及びフィードバックされるチャネル状態情報(CSI)の異なるタイプを決定することが可能であり、それによって、ユーザは、異なる測定プロセス及びフィードバックされるチャネル状態情報(CSI)の異なるタイプにしたがって、基地局へとより正確なダウンリンクチャネル情報をフィードバックすることが可能であり、結果として、その基地局とそのユーザ機器との間のデータ送信のパフォーマンスを改善する。
【図面の簡単な説明】
【０１７４】
【図１】本発明の1つの実施形態にしたがったデータ送信方法の1つの実施形態のステップのフローチャートである。
【図２】本発明の1つの実施形態にしたがったデータ送信方法の他の実施形態のステップのフローチャートである。
【図３】本発明の1つの実施形態にしたがったデータ送信シナリオの1つの実施形態の概略図である。
【図４】本発明の1つの実施形態にしたがったデータ送信シナリオの他の実施形態の概略図である。
【図５】本発明の1つの実施形態にしたがったデータ送信シナリオの他の実施形態の概略図である。
【図６】本発明の1つの実施形態にしたがったデータ送信シナリオの他の実施形態の概略図である。
【図７】本発明の1つの実施形態にしたがったデータ送信シナリオの他の実施形態の概略図である。
【図８】本発明の1つの実施形態にしたがったデータ送信シナリオの他の実施形態の概略図である。
【図９】本発明の1つの実施形態にしたがったユーザ機器の概略的な構成図である。
【図１０】本発明の1つの実施形態にしたがったユーザ機器の他の概略的な構成図である。
【図１１】本発明の1つの実施形態にしたがった基地局の概略的な構成図である。
【図１２】本発明の1つの実施形態にしたがった基地局の他の概略的な構成図である。
【図１３】本発明の1つの実施形態にしたがったユーザ機器の他の概略的な構成図である。
【図１４】本発明の1つの実施形態にしたがった基地局の他の概略的な構成図である。
【図１５】本発明の1つの実施形態にしたがったデータ送信方法の他の実施形態のステップのフローチャートである。
【図１６】本発明の1つの実施形態にしたがったデータ送信シナリオの他の実施形態の概略図である。
【図１７】本発明の1つの実施形態にしたがったデータ送信シナリオの他の実施形態の概略図である。
【発明を実施するための形態】
【０１７５】
本発明の1つの実施形態にしたがって提供されるデータ送信方法は、図1を参照して以下で詳細に説明される。
【０１７６】
そのデータ送信方法は、以下のステップを含む。
【０１７７】
101:  基地局は、ユーザ機器に測定プロセスのタイプを示す。
【０１７８】
測定プロセスのタイプは、信号測定パイロットの定義及び干渉測定パイロットの定義を含む。
【０１７９】
すなわち、基地局は、測定プロセスのタイプを使用することによって、ユーザ機器に、測定手順及びフィードバックされるチャネル状態情報(CSI)のタイプを決定するように指示する。
【０１８０】
102:  ユーザ機器は、測定プロセスのタイプにしたがって、測定手順及びフィードバックされるチャネル状態情報(CSI)のタイプを決定する。
【０１８１】
具体的には、基地局が送信する信号測定パイロット又は干渉測定パイロットのいずれかが異なっている場合には、ユーザ機器が決定する測定手順は、異なっている。
【０１８２】
測定プロセスの異なるタイプは、異なる測定手順及びフィードバックされるCSIの異なるタイプに対応する。
【０１８３】
103:  ユーザ機器は、決定された測定手順及び/又はフィードバックされるCSIの決定されたタイプにしたがって測定及びフィードバックを実行する。
【０１８４】
104:  基地局は、ユーザ機器が送信したフィードバックを受信する。
【０１８５】
フィードバックは、決定された測定手順及び/又はフィードバックされるCSIの決定されたタイプにしたがって、ユーザ機器によって生成される。
【０１８６】
この実施形態においては、基地局は、ユーザ機器が送信したフィードバックにしたがって、関連するダウンリンクデータのスケジューリングを実行してもよい。
【０１８７】
本発明のこの実施形態においては、ユーザ機器は、測定プロセスの異なるタイプにしたがって、異なる測定手順及びフィードバックされるチャネル状態情報(CSI)の異なるタイプを決定することが可能であり、それによって、ユーザは、基地局へとより正確なダウンリンクチャネル情報をフィードバックすることが可能であり、結果として、その基地局とそのユーザ機器との間のデータ送信のパフォーマンスを改善する。
【０１８８】
さらに、具体的に、どのようにして、ユーザ機器が、測定プロセスのある1つのタイプにしたがって、ある1つの測定手順及びフィードバックされるチャネル状態情報(CSI)のある1つのタイプを決定するのかに関する1つの例は、複数の添付の図面を参照して以下で説明される。ユーザ機器によってある1つの測定手順及びフィードバックされるチャネル状態情報(CSI)のある1つのタイプを決定するステップに関する以下の説明は、1つの例であり、限定を構成するものではないということに留意すべきである。
【０１８９】
最初に、上記のデータ送信方法は、図2及び図3を参照して詳細に説明される。
【０１９０】
201:  ユーザ機器は、基地局が送信した第1の測定パイロットを受信する。
【０１９１】
図3に示されているように、基地局は、第1の測定パイロットを周期的に送信してもよい。選択的に、基地局は、5[ms]の周期によって第1の測定パイロットを送信する。
【０１９２】
もちろん、第1の測定パイロットの送信方法及び送信周期は、この実施形態においては限定されない。
【０１９３】
選択的に、第1の測定パイロットは、プリコーディングされたパイロットであり、又は、第1の測定パイロットは、プリコーディングされていないパイロットである。
【０１９４】
202:  ユーザ機器は、基地局に第1のCSIをフィードバックする。
【０１９５】
具体的には、測定プロセスによって定義される信号測定パイロットが第1の測定パイロットである場合には、ユーザ機器は、フィードバックされるCSIのタイプが第1のCSIであるということを決定する。
【０１９６】
具体的には、第1の測定パイロットがプリコーディングされていないパイロットである場合には、第1のCSIは、ランク指標(RI)、プリコーディング行列指標(PMI)、及びチャネル品質指標(CQI)を含む。
【０１９７】
第1の測定パイロットがプリコーディングされているパイロットである場合には、第1のCSIは、RI及びPMIを含む。
【０１９８】
203:  基地局は、第1のCSIにしたがって第1のスケジューリング情報を生成する。
【０１９９】
具体的には、基地局が(n＋1)番目のサブフレームでユーザのスケジューリングを実行する必要がある場合には、その基地局は、n番目のサブフレームで第1のスケジューリング情報を送信する。
【０２００】
第1のスケジューリング情報は、物理ダウンリンク共有チャネルPDSCHのスケジューリングされた周波数領域リソース、新しいデータ指標、冗長バージョン、疑似コロケーション、スクランブルID等を含む。n番目のサブフレームにおいて、基地局は、第1のスケジューリング情報のみを送信するが、PDSCHを送信せず、そして、第1のスケジューリング情報によって示される周波数領域リソースの範囲の中で第2の測定パイロットを送信する。第1のスケジューリング情報は、第2の測定パイロットの構成情報を示す。例えば、第2の測定パイロットの構成情報は、第2の測定パイロットの時間周波数リソース位置、ポート番号、電力情報等を示す。
【０２０１】
204:  ユーザ機器は、第1のスケジューリング情報を受信する。
【０２０２】
ユーザ機器は、第1のスケジューリング情報にしたがって、第2の測定パイロットの構成情報を決定してもよい。
【０２０３】
205:  ユーザ機器は、基地局が送信した第2の測定パイロットを受信する。
【０２０４】
具体的には、ユーザ機器は、第2の測定パイロットの構成情報にしたがって、第2の測定パイロットの時間周波数リソース位置を決定し、そして、指定された時間周波数リソース位置において、第2の測定パイロットを受信する。
【０２０５】
206:  ユーザ機器は、基地局に第2のCSIをフィードバックする。
【０２０６】
測定プロセスによって定義される信号測定パイロットが第2の測定パイロットである場合に、ユーザ機器は、フィードバックされるCSIのタイプが第2のCSIであるということを決定する。
【０２０７】
第1のCSIに含まれるフィードバック量と第2のCSIに含まれるフィードバック量は、異なっている。
【０２０８】
選択的に、第2の測定パイロットの時間周波数リソース位置は、サブフレームの第1のスロットの中に存在する。
【０２０９】
ユーザ機器は、第2の測定パイロットが位置しているサブフレームの第2のスロットにおいて、第2のCSIをフィードバックする。
【０２１０】
この実施形態においては、具体的には、第2の測定パイロットは、n番目のサブフレームの第1のスロットslotにおいて送信され、ユーザ機器は、そのn番目のサブフレームの第2のスロットにおいて第2のCSIの測定及び報告を完了する。
【０２１１】
具体的には、第2のCSIは、RI、PMI、及びCQIを含むか、又は第2のCSIは、CQIを含むか、又は第2のCSIは、選択されたビームを示すインデックス(BI)、RI、及びCQIを含む。
【０２１２】
BI(beam  index,  ビームインデックス)は、少なくとも2つの第1の測定パイロット又はポートから選択するためのリソース指標又はポート指標であり、各々のポートは、1つのビーム方向に対応する。
【０２１３】
第2のCSIに含まれるCQIについて、干渉は、瞬間的な干渉であるということが仮定される。
【０２１４】
選択的に、第2の測定パイロットを送信するのに使用されるn番目のサブフレームは、さらに、構成シグナリングを送信するのに使用されてもよい。
【０２１５】
構成シグナリング及び第2の測定パイロットは、同じスロットの中に存在し、構成シグナリングは、第2の測定パイロットを構成するのに使用され、構成シグナリングが位置しているシンボルは、第2の測定パイロットを送信するのに使用されるシンボルの前に位置している。
【０２１６】
さらに、選択的に、第2の測定パイロットを送信するのに使用されるn番目のサブフレームは、さらに、トリガシグナリングを送信するのに使用されてもよい。
【０２１７】
トリガシグナリング及び第2の測定パイロットは、同じスロットの中に存在し、トリガシグナリングは、CSIをフィードバックするようにユーザ機器に指示するのに使用され、トリガシグナリング及び第2の測定パイロットは、同じスロットの中に存在し、そして、トリガシグナリングが位置しているシンボルは、第2の測定パイロットを送信するのに使用されるシンボルの前に位置している。
【０２１８】
この実施形態に示されていることから理解することができるように、構成シグナリング、第2の測定パイロット、及びトリガシグナリングは、同じn番目のサブフレームによって送信される。
【０２１９】
さらに、選択的に、構成シグナリング及びトリガシグナリングは、同じDCIの中に存在する。
【０２２０】
207:  基地局は、第2のCSIにしたがって第2のスケジューリング情報を生成する。
【０２２１】
208:  基地局は、ユーザ機器に第2のスケジューリング情報を送信する。
【０２２２】
具体的には、n番目のサブフレームの第2のslotにおいてCQI情報を取得した後に、基地局は、ユーザ機器のリンク適応変調及び符号化スキームMCSとトランスポートブロックサイズとを決定し、その後、(n＋1)番目のサブフレームにおいて第2のスケジューリング情報を送信する。
【０２２３】
より具体的には、第2のスケジューリング情報は、MCS及びTB  sizeに関する情報を含み、PDSCHは、同時に送信される。ユーザ機器は、第1のスケジューリング情報にしたがって、PDSCHの周波数領域のスケジューリングリソース及び時間領域のスケジューリングリソースを決定し、第2のスケジューリング情報にしたがって、PDSCHのMCS及びTB  sizeを決定し、それにより、データ復調を実行する。
【０２２４】
第2のスケジューリング情報は、同様のPDCCH  format  3方式又はPHICH方式を使用してもよい。
【０２２５】
選択的に、この実施形態において、第2の測定パイロットにしたがったユーザ機器による測定によって取得される第2のCSIの基準リソースから報告時点までの時間期間は、X1であり、第1の測定パイロットにしたがった測定によって取得される第1のCSIの基準リソースから報告時点までの時間期間は、X2であり、X1＜X2である。
【０２２６】
基準リソースは、第2の測定パイロットを送信するのに使用されるサブフレームである。
【０２２７】
選択的に、第2の測定パイロットにしたがったユーザ機器による測定によって取得される第2のCSIの基準リソースから報告時点までの時間期間は、X1であり、X1は、上位層シグナリングを使用することによって構成されるか、又は、動的シグナリングを使用することによって構成される。
【０２２８】
選択的に、第2の測定パイロットにしたがったユーザ機器による測定の基準リソースから報告時点までの時間期間は、X1であり、X1は、1つの測定手順に含まれる第2の測定パイロットのリソースの数及び/又は各々の第2の測定パイロットに含まれるポートの数に関連付けられる。
【０２２９】
この実施形態においては、基地局は、動的シグナリングを構成し、そして、ユーザ機器にその動的シグナリングを送信してもよい。
【０２３０】
基地局は、動的シグナリングを使用することによって、ユーザ機器に、CSIフィードバックを実行するように指示してもよい。
【０２３１】
具体的には、動的シグナリングは、
CSIフィードバックのタイプセットの中の少なくとも1つに対応するCSIフィードバックタイプ、CSIの周波数領域粒度、CSIフィードバックタイプをフィードバックするのに使用される対応するフィードバック時点、又は、CSIフィードバックのアップリンクチャネルタイプ、のうちの少なくとも2つを示す。
【０２３２】
具体的には、この実施形態において示されるCSIの周波数領域粒度は、CSIフィードバックのサブバンドインデックス及び/又はCSIフィードバックを実行するためのサブバンドのサイズを含む。
【０２３３】
フィードバック時点及びCSIフィードバックタイプは、この実施形態においては限定されない。
【０２３４】
より具体的には、CSIフィードバックのタイプセットは、
RI、PMI、CQI、干渉電力、干渉共分散行列、チャネル共分散行列、CQI、Beam選択情報、Beamの合成のための係数、明示的なフィードバックを実行するようにユーザ機器に指示するのに使用される指示情報、又は、黙示的なフィードバックを実行するようにユーザ機器に指示するのに使用される指示情報、のうちの少なくとも2つのCSIフィードバックタイプを含む。
【０２３５】
この実施形態において示される方法によって理解することができるように、基地局は、ある特定のシナリオ及びスケジューリング要件にしたがって、ユーザ機器に、フィードバック時点及びそのフィードバック時点においてフィードバックされるCSIフィードバックのタイプを示すことが可能であり、それにより、フィードバックされる必要のないコンテンツのフィードバック及びフィードバック遅延を減少させるとともに、その基地局とそのユーザ機器との間の情報送信の効率を改善する。
【０２３６】
本発明のこの実施形態をよりよく理解するために、動的シグナリングが、以下で具体的に説明される。
【０２３７】
選択的に、この実施形態においては、基地局が動的シグナリングを構成するシナリオにしたがって、目標CSIフィードバックタイプは、異なるフィードバック時点に対応してもよい。
【０２３８】
目標CSIフィードバックタイプは、CSIフィードバックのタイプセットに含まれる少なくとも2つのCSIフィードバックタイプのうちのいずれか1つである。
【０２３９】
例えば、基地局が、動的シグナリングを使用することによって、CSIフィードバックのタイプセットがRI及びCQIを含むということをユーザ機器に通知する場合には、目標CSIフィードバックタイプは、RI及びCQIである。
【０２４０】
ユーザ機器は、動的シグナリングにしたがって、少なくとも2つの目標CSIフィードバックタイプのうちのいずれか1つをフィードバックするのに使用されるフィードバック時点を決定してもよい。
【０２４１】
具体的には、この実施形態において、目標CSIフィードバックタイプのフィードバック時点は、独立に構成される。
【０２４２】
選択的に、この実施形態において、目標CSIフィードバックタイプは、同じフィードバック時点を有していてもよい。
【０２４３】
目標CSIフィードバックタイプがRI及びCQIであり、基地局がn番目の時点においてユーザ機器に動的シグナリングを送信する例を使用する場合には、動的シグナリングは、RI及びCQIの双方が、同じ(n＋p)番目の時点においてフィードバックされるということを示してもよい。この実施形態においては、(n＋p)番目の時点の例は、具体的には限定されない。その(n＋p)番目の時点は、(n＋p)番目のサブフレーム、又は(n＋p)番目のOFDMシンボル、又は(n＋p)番目のスロットを表していてもよく、n及びpは、正の整数である。
【０２４４】
選択的に、この実施形態においては、目標CSIフィードバックタイプは、異なるフィードバック時点を有していてもよい、すなわち、異なる目標CSIフィードバックタイプは、異なるフィードバック時点を有している。
【０２４５】
目標CSIフィードバックタイプがRI及びCQIであり、基地局がn番目の時点においてユーザ機器に動的シグナリングを送信する例を使用する場合には、動的シグナリングは、RIが(n＋p1)番目の時点においてフィードバックされ、CQIが(n＋p2)番目の時点においてフィードバックされるということを示してもよい。この実施形態においては、(n＋p1)番目の時点及び(n＋p2)番目の時点の例は、具体的には限定されない。(n＋p1)番目の時点は、(n＋p1)番目のサブフレーム、又は(n＋p1)番目のOFDMシンボル、又は(n＋p1)番目のスロットを表してもよい。(n＋p2)番目の時点は、(n＋p2)番目のサブフレーム、又は(n＋p2)番目のOFDMシンボル、又は(n＋p2)番目のスロットを表してもよい。n、p1、及びp2は、正の整数である。
【０２４６】
選択的に、この実施形態において、CSIフィードバックのタイプセットが、複数の目標CSIフィードバックタイプを含む場合には、それらの複数の目標CSIフィードバックタイプのうちの少なくとも2つの目標CSIフィードバックタイプは、同じフィードバック時点を有する。
【０２４７】
目標CSIフィードバックタイプがRI、CQI、及びチャネル共分散行列であり、基地局がn番目の時点においてユーザ機器に動的シグナリングを送信する例を使用する場合には、動的シグナリングは、RI及びチャネル共分散行列が(n＋p1)番目の時点においてフィードバックされ、CQIが(n＋p2)番目の時点においてフィードバックされるということを示してもよい。n、p1、及びp2については、上記の説明を参照するべきである。本明細書においては、細部は再び説明されない。
【０２４８】
選択的に、この実施形態において、ユーザ機器は、動的シグナリングにしたがって、目標CSIフィードバックタイプのうちのいずれか1つをフィードバックするのに使用されるフィードバック時点が、目標フィードバック時点であるということを決定し、その目標フィードバック時点は、少なくとも2つの異なる時点を含む。例えば、ある1つの目標フィードバックタイプについて、複数の時点におけるフィードバックは、その目標CSIフィードバックタイプの送信の信頼性を増加させることが可能である。
【０２４９】
すなわち、動的シグナリングは、1つの目標CSIフィードバックタイプが少なくとも2つの異なるフィードバック時点を有するということを示す。
【０２５０】
目標CSIフィードバックタイプがRIであり、基地局がn番目の時点においてユーザ機器に動的シグナリングを送信する例を使用する場合には、動的シグナリングは、RIが(n＋p1)番目の時点及び(n＋p2)番目の時点においてフィードバックされるということを示してもよい。
【０２５１】
この実施形態において、ユーザ機器は、さらに、動的シグナリングにしたがって、参照信号を構成することが可能である。
【０２５２】
具体的には、基地局は、動的シグナリングを使用することによって、ユーザ機器に参照シグナリング構成情報を送信し、それによって、ユーザ機器は、その動的シグナリングにしたがって、その参照信号構成情報を取得する。
【０２５３】
ユーザ機器は、参照信号構成情報にしたがって、少なくとも1つの参照信号を決定し、参照信号構成情報の少なくとも1つの部分は、その少なくとも1つの参照信号を構成するのに使用される。
【０２５４】
少なくとも1つの参照信号のうちのいずれか1つは、CSIフィードバックのタイプセットに含まれる少なくとも1つのCSIフィードバックタイプに対応し、それにより、ユーザ機器が、参照信号に基づいて、そして、その参照信号に相関があるCSIフィードバックタイプにしたがって、チャネル測定を実行して、CSIフィードバックタイプを取得するとともにフィードバックを実行することを可能にする。
【０２５５】
具体的には、複数の参照信号は、CSIフィードバックのタイプセットに含まれる異なるCSIフィードバックタイプに対応してもよく、又は、1つの参照信号は、CSIフィードバックのタイプセットに含まれる少なくとも2つのCSIフィードバックタイプに対応してもよい。
【０２５６】
より具体的には、この実施形態において、ユーザ機器が構成する参照信号及びそれらの参照信号に対応するCSIフィードバックタイプは、独立に構成される。
【０２５７】
例えば、ユーザ機器は、動的シグナリングにしたがって、1つの目標CSIフィードバックタイプがRIであるということを決定し、そして、他の目標CSIフィードバックタイプがCQIであるということを決定し、基地局は、n番目の時点において、ユーザ機器に動的シグナリングを送信する。
【０２５８】
ユーザ機器は、動的シグナリングにしたがって参照信号構成情報を取得し、その参照信号構成情報にしたがって参照信号を構成し、それによって、異なる参照信号は、異なるCSIフィードバックタイプに対応する。
【０２５９】
もちろん、この実施形態においては、参照信号とCSIフィードバックタイプとの間の対応関係手法の説明は、随意的な例である。すなわち、ある特定の応用においては、1つの参照信号は、また、少なくとも2つのCSIフィードバックタイプに対応していてもよい。
【０２６０】
この実施形態においては、説明のために、異なる参照信号が、異なるCSIフィードバックタイプに対応している例を使用する。
【０２６１】
ユーザ機器は、同じ動的シグナリングによって、第1の参照信号が第1のCSI-RS(channel  state  information  reference  signal)であるということを設定してもよく、第1のCSI-RSに対応するCSIフィードバックタイプがRI(rank  indication)であってもよいということを設定してもよい。ユーザ機器は、さらに、その動的シグナリングによって、第2の参照信号が第2のCSI-RS  configuration  2であるということを設定してもよく、第2のCSI-RSに対応するCSIフィードバックタイプがCQI(channel  quality  indication)であるということを設定してもよい。
【０２６２】
選択的に、この実施形態において、基地局は、さらに、動的シグナリングを使用することによって、ユーザ機器に、CSIフィードバックのために使用されるアップリンクチャネルタイプを示してもよい。
【０２６３】
具体的には、基地局は、動的シグナリングを使用することによって、CSIフィードバックのアップリンクチャネルタイプ構成情報をユーザ機器に通知してもよい。ユーザ機器は、動的シグナリングにしたがって、少なくとも1つのCSIフィードバックのアップリンクチャネルタイプ構成情報を決定する。ユーザ機器は、少なくとも1つのCSIフィードバックのアップリンクチャネルタイプ構成情報にしたがって、少なくとも1つのCSIフィードバックのアップリンクチャネルタイプを決定する。少なくとも1つのCSIフィードバックのアップリンクチャネルタイプ構成情報は、少なくとも1つのCSIフィードバックのアップリンクチャネルタイプを構成するのに使用される。
【０２６４】
少なくとも1つのフィードバックチャネルのうちのいずれか1つは、CSIフィードバックのタイプセットに含まれる少なくとも1つのCSIフィードバックタイプに対応する。
【０２６５】
より具体的には、この実施形態において、ユーザ機器が構成するCSIフィードバックタイプに対応するCSIフィードバックのアップリンクチャネルタイプは、独立に構成される。
【０２６６】
例えば、ユーザ機器は、動的シグナリングにしたがって、1つの目標CSIフィードバックタイプがRIであるということを決定し、そして、他の目標CSIフィードバックタイプがCQIであるということを決定し、基地局は、n番目の時点において、ユーザ機器に動的シグナリングを送信する。
【０２６７】
ユーザ機器は、動的シグナリングにしたがって、CSIフィードバックのアップリンクチャネルタイプを構成し、それによって、異なるCSIフィードバックタイプは、CSIフィードバックの独立のアップリンクチャネルタイプに対応する。
【０２６８】
もちろん、この実施形態においては、フィードバックチャネルとCSIフィードバックタイプとの間の対応関係手法の説明は、随意的な例である。すなわち、ある特定の応用においては、1つのCSIフィードバックタイプは、また、少なくとも2つのCSIフィードバックタイプに対応していてもよい。
【０２６９】
この実施形態においては、説明のために、異なるフィードバックチャネルが、異なるCSIフィードバックタイプに対応している例を使用する。
【０２７０】
この実施形態において、ユーザ機器は、第1のCSIフィードバックのタイプがRIであるということを設定してもよく、RIに対応するCSIフィードバックのアップリンクチャネルタイプが第1のCSIフィードバックのアップリンクチャネルタイプPUCCHチャネルであるということを設定してもよい。ユーザ機器は、さらに、第2のCSIフィードバックのタイプがCQIであるということを設定してもよく、CQIに対応するCSIフィードバックのアップリンクチャネルタイプが第2のCSIフィードバックのアップリンクチャネルタイプPUSCHであるということを設定してもよい。
【０２７１】
この実施形態において、LTEにしたがったPUCCH及びPUSCHは、1つの例として使用される。5G等の他の適用シナリオにしたがったCSIフィードバックのアップリンクチャネルタイプは、さらに、CSIタイプをフィードバックするのに使用される他のアップリンクチャネルタイプであってもよい。
【０２７２】
ユーザ機器がこの実施形態に示されているフィードバックチャネルを構成するプロセスにおいて、構成されるフィードバックチャネルがPUCCHである場合には、複数のユーザがそのPUCCHを共有し、又は、構成されるフィードバックチャネルがPUSCHである場合には、ユーザは、そのPUSCHの中のリソースを独占的に使用する。
【０２７３】
第1のCSIフィードバックのアップリンクチャネルタイプの特徴は、複数のユーザが、例えば、符号分割方式にしたがってそのチャネルを共有するということである。第2のCSIフィードバックのアップリンクチャネルタイプは、シングルユーザスケジューリングの手法であり、複数のユーザは、そのチャネルを共有しない。
【０２７４】
第1のCSIフィードバックのアップリンクチャネルタイプ及び第2のCSIフィードバックのアップリンクチャネルタイプは、さらに、例えば、異なるサブキャリア間隔及び異なるシンボル長さ等の異なるnumerologyを有してもよい。
【０２７５】
上記で示されているデータ送信方法において、基地局は、ユーザ機器がフィードバックした第1のCSIにしたがって、スケジューリングを実行し、その第1のCSIにしたがって、第2の測定パイロットの構成情報を決定してもよい。ユーザ機器は、受信した第2の測定パイロットにしたがって、基地局に第2のCSIをフィードバックしてもよく、それによって、基地局は、その第2のCSIにしたがってリンク適応を実行してもよい。
【０２７６】
データ送信方法の上記の説明は、1つの例であり、限定を構成するものではない。他の例では、ユーザ機器は、第1の測定パイロットにしたがって、基地局に第1のCSIをフィードバックし、基地局は、その第1のCSIにしたがって、第2の測定パイロットの構成情報を決定し、それによって、基地局は、第2のCSIにしたがって、スケジューリング及びリンク適応を実行する。
【０２７７】
以下の記載では、ある特定の適用シナリオを使用して、具体的に、ユーザ機器が、どのようにして、測定プロセスによって定義される測定信号にしたがって、第2の測定パイロットを決定するかを説明する。
【０２７８】
この適用シナリオにおいては、基地局との間でデータ通信を実行するユーザ機器が、第1のユーザ機器及び第2のユーザ機器である例を使用する。この実施形態においては、基地局との間でデータ通信を実行することが可能であるユーザ機器の数は限定されないということに留意すべきである。
【０２７９】
基地局が第1の測定パイロットをプリコーディングしない場合には、第1の測定パイロットにしたがって第1のユーザ機器がフィードバックするPMIに対応するプリコーディング行列は、W1であり、第1の測定パイロットにしたがって第2のユーザ機器がフィードバックするPMIに対応するプリコーディング行列は、W2である。
【０２８０】
基地局は、W1及びW2にしたがって、ZF演算又は他のアルゴリズムを実行して、第1のユーザ機器及び第2のユーザ機器がマルチユーザMIMOシステム(Multiple-Input  Multiple-Output)対形成を実行した後に取得されるプリコーディング行列がそれぞれW1'及びW2'であるということを取得する。W1'及びW2'は、それぞれ、第1のユーザ機器及び第2のユーザ機器の第2の測定パイロットをプリコーディングするのに使用される。
【０２８１】
第1の測定パイロットがプリコーディングされているパイロットである場合に、第1の測定パイロットがM個のポート又はM個のリソースを有していると仮定すると、各々のポートは、1つのビーム方向に対応する。
【０２８２】
第1の測定パイロットにしたがって第1のユーザ機器がフィードバックする最適なBIは、BI  0であり、第1の測定パイロットにしたがって第2のユーザ機器がフィードバックする最適なBIは、BI  1である。
【０２８３】
基地局は、BI  0及びBI  1にしたがって、ZF演算又は他のアルゴリズムを実行して、第1のユーザ機器及び第2のユーザ機器がマルチユーザMIMOシステム対形成を実行した後に取得されるビーム方向が、それぞれ、BI  0'及びBI  1'であるということを取得し、それにしたがって、BI  0'及びBI  1'のビームを使用して、それぞれ、第1のユーザ機器及び第2のユーザ機器の第2の測定パイロットをプリコーディングする。
【０２８４】
1つの特定の適用シナリオに関連して、ユーザ機器が、どのようにして、第2の測定パイロットを受信するかを、以下で説明する。
【０２８５】
例えば、動的シグナリングを使用することによって、又はあらかじめ定義された手法にしたがって、又は上位層構成手法にしたがって、第2の測定パイロットを構成してもよい。
【０２８６】
具体的には、第2の測定パイロットは、CSI-RS又はDMRSであってもよい。
【０２８７】
他の例では、1つの適用シナリオにおいて、ユーザ機器は、第1のタイプのDCIシグナリングを使用することによって、第2の測定パイロットを決定する。
【０２８８】
具体的には、基地局は、第1のタイプのDCIシグナリングを使用することによって、第2の測定パイロットを構成する。
【０２８９】
基地局が第2の測定パイロットを構成するプロセスにおいて、その基地局は、第1のタイプのDCIシグナリングを使用することによって、第2の測定パイロットのパターンpattern、第2の測定パイロットのポート情報、第2の測定パイロットが位置している周波数領域のPRB  pairの位置、及び第2の測定パイロットの時間領域の位置をユーザ機器に通知する必要がある。
【０２９０】
この適用シナリオにおいて示されている第1のタイプのDCIシグナリングは、具体的には、第2の測定パイロットを構成するのに使用される。
【０２９１】
例えば、図4に示されているように、第1のユーザ機器UE1は、第1のPRB  pair  1において第3のユーザ機器UE3との間で対形成を実行する。
【０２９２】
UE1は、CSI-RSポート15を使用し、UE3は、CSI-RSポート16を使用する。
【０２９３】
第2のPRB  pair  2において、UE1は、第4のユーザ機器UE4との間で対形成を実行する。
【０２９４】
UE1は、CSI-RSポート16を使用し、UE4は、CSI-RSポート15を使用する。
【０２９５】
具体的には、基地局は、第1のタイプのDCIシグナリングを使用することによって、第2の測定パイロットが位置しているPRB  pairの位置をユーザ機器に通知する必要がある。
【０２９６】
例えば、基地局は、第1のタイプのDCIシグナリングを使用することによって、UE3の第2の測定パイロットが位置しているPRB  pairの位置が、PRB  pair  1であり、このPRB  pairにおけるポート番号が16であるということを通知する。
【０２９７】
他の例では、基地局は、第1のタイプのDCIシグナリングを使用することによって、UE4の第2の測定パイロットが位置しているPRB  pairが、PRB  pair  2であり、このPRB  pairにおけるポート番号が15であるということを通知する。
【０２９８】
基地局が第2の測定パイロットを他のユーザ機器に通知する手法は、詳細には説明されない。
【０２９９】
ある特定の適用シナリオにおいて、例えば、UEi、UEj、UEm、及びUEnといったように、ユーザ機器UEの数が過度に多い場合には、上記のシグナリングを使用することによって、各々のUEに通知する必要がある。第1のタイプのDCIを使用することによって第2の測定パイロットを通知する手法を使用する利点は、各々のUEが、そのUEの第2の測定パイロットに関する情報を明確に知ることが可能であるということにある。したがって、そのUEが測定する必要があるチャネルに関する(時間領域情報及び周波数領域情報等の)情報を、より精密な手法にしたがって測定することが可能である。例えば、UE1は、そのUE1が、PRB  pair  1及びPRB  pair  2のみのチャネルを測定する必要があるということを知る。
【０３００】
第1のタイプのDCIは、送信モードにしたがったDL  grant又はUL  grantの複数のDCIフォーマットのうちの1つのDCIフォーマットのサイズと同じサイズを有してもよい。一方で、スクランブリングを実行するのに異なるRNTIを使用してもよい。
【０３０１】
ユーザ機器が、どのようにして、第2の測定パイロットを受信するかに関する1つの例を説明するために、以下の記載では、他の適用シナリオを使用する。
【０３０２】
基地局は、第2のタイプのDCIシグナリングを使用することによって、第2の測定パイロットを構成してもよい。
【０３０３】
第2のタイプのDCIシグナリングは、第2の測定パイロットを構成するのに特に使用されるDCIシグナリングではなく、むしろ、データスケジューリングのための情報を搬送する。第2のタイプのDCIシグナリングが(n−X)番目のサブフレームにおいて送信される場合に、第2のタイプのDCIシグナリングを使用することによってスケジューリングされるデータは、n番目のサブフレームにおいて送信される。
【０３０４】
第2のタイプのDCIシグナリングは、データをスケジューリングするためのシグナリングであり、したがって、当然に、データのリソース割り当て情報を含む。そのリソース割り当て情報は、例えば、そのデータがスケジューリングされるべきPRB  pair  1、PRB  pair  3、及びRPB  pair  i等の複数のPRB  pairを含む。この場合には、これらの複数のPRB  pairは、第2の測定パイロットが位置しているPRB  pairである。すなわち、第2のタイプのDCIの中のリソース割り当て情報は、データのリソース割り当て及び第2の測定パイロットの周波数領域位置の双方を示す。
【０３０５】
この適用シナリオにおいて示される第2の測定パイロットの手法を使用する場合には、基地局は、第2の測定パイロットの周波数領域情報を通知するための余分なシグナリングを追加する必要はない。
【０３０６】
ユーザ機器が、どのようにして、第2の測定パイロットのポート情報を決定するかを、以下で説明する。
【０３０７】
ユーザ機器のポート番号及びそのユーザ機器と対にされているユーザ機器のポート番号を各々のサブバンドにおいて通知する場合には、過度に大きなシグナリングオーバーヘッドを必要とする。
【０３０８】
例えば、図4に示されているように、PRB  pair  1におけるUE1は、ポートport  15を使用し、UE1と対にされているUE3は、port  16を使用する。
【０３０９】
PRB  pair  2におけるUE1は、port  16を使用し、UE1と対にされているUE4は、port  15を使用する。黙示的な手法にしたがって、UEのポート番号及びそのUEと対にされているUEのポート番号を知ることが可能である手法は、具体的には、固定の第2の測定パイロットのある1つのpatternを仮定するとともに最大で2つのユーザ機器が対にされているということを仮定すると、各々のPRB  pairの中で2つのCSI-RSポートのみを必要とする。それらの2つのポートは、port  15及びport  16であるということが仮定される。
【０３１０】
第1のユーザ機器UE1は、最初に、port  15が信号であり、port  16が干渉であると仮定し、測定を実行して、信号対雑音比SINR1を取得する。UE1は、その後、port  16が信号であり、port  15が干渉であると仮定し、測定を実行して、SINR2を取得する。UE1は、各々のリソースに割り当てられたPRB  pairにおいて、SINR1及びSINR2を報告するか、又は、より大きなSINRに対応する選択されたポートportのインデックスを報告するとともに、そのポートに対応するSINRを報告する。
【０３１１】
基地局は、UE1が報告したポートportのインデックス及び対応するSINRにしたがって、第2の測定パイロットのポート情報を決定し、そして、第2の測定パイロットの決定されたポート情報をユーザ機器に通知してもよい。
【０３１２】
データ送信プロセスにおいて精度を改善するために、本発明にしたがったデータ送信方法にしたがって、ユーザ機器は、制限的な測定手法を使用することによって、測定パイロットの測定を実行してもよく、それによって、ユーザ機器は、測定の精度を改善することが可能であるとともに基地局に実際の信号を反映することが可能である。
【０３１３】
本発明にしたがったデータ送信方法においては、1つの測定プロセスが、M個の信号測定パイロット及びK個の干渉測定パイロットを含む。
【０３１４】
Mは、1以上の整数であり、Kは、1より大きな整数である。
【０３１５】
すなわち、この実施形態にしたがった第2の測定パイロットは、M個の信号測定パイロット及びK個の干渉測定パイロットを含む。
【０３１６】
具体的には、K個の干渉測定パイロットは、制限的な測定の独立の構成を使用し、及び/又は、
M個の信号測定パイロットは、制限的な測定の独立の構成を使用する。
【０３１７】
制限的な測定は、測定されることを可能とされるリソースの移動平均の範囲を制限するように構成される。
【０３１８】
この実施形態において、ユーザ機器が、具体的に、どのようにして、制限的な測定を実行するかを、図5を参照して以下で説明する。
【０３１９】
この実施形態において、制限的な測定を使用する原因となる理由は、基地局がユーザ機器に送信する測定パイロットのビーム方向は、変化し、そして、ユーザ機器が、ビーム方向が変化するパイロットにしたがって、チャネル測定を実行する場合には、CSIを使用することによってユーザ機器が基地局にフィードバックする平均信号対雑音比SNRは、正確ではない、ということであってもよい。
【０３２０】
上記のことを考慮すると、図5は、ビーム方向が変化する場合に、ユーザ機器が、どのようにして、正確な干渉測定を実装するかを説明する1つの例として使用される。
【０３２１】
この実施形態において、第1のセルcell1における第1のユーザ機器UE1のビーム方向の時間に伴う変化は、図4に示されている。すなわち、時点t0から時点t3まで、ビームは、B0であり、時点t4から時点t6まで、ビームは、B4であり、そして、時点t7から時点t12まで、ビームは、B0である。
【０３２２】
他のユーザ機器については、ビームの変化は異なっている。UE1と同じセルの中に存在する第2のユーザ機器UE2は、1つの例として使用される。UE2のビームの変化は、図4に示されている。すなわち、時点t0から時点t3まで、ビームは、B1であり、時点t4から時点t5まで、ビームは、B2であり、時点t6から時点t12まで、ビームは、B1である。UE3のビームの変化及びUE4のビームの変化については、図5を参照するべきである。本明細書においては、細部は、説明されない。
【０３２３】
図5に示されているように、UE1及びUE2がデータ送信プロセスにおいて対にされる必要がある場合に、基地局は、時点t4において、B4を使用して、UE1に第2の測定パイロットを送信し、その基地局は、B2を使用して、UE2に測定パイロットを送信する。基地局は、時点t4の後の時点において、UE1及びUE2を対にする必要があり、UE2からUE1への瞬間的な干渉を知る必要があるということが仮定される。基地局がUE1の信号を測定する時間ウィンドウは、t4、t5、及びt6である。したがって、その時間ウィンドウにおいて、UE1のビームは、変化しない。
【０３２４】
基地局がUE2からUE1への瞬間的な干渉を測定する時間ウィンドウは、t4及びt5である。したがって、その時間ウィンドウにおいては、UE2のビームは、変化しない。
【０３２５】
基地局が無作為化された干渉を測定する時間ウィンドウは、いずれかの長さを有していてもよく、或いは、制限的な測定を実行しなくてもよい。
【０３２６】
瞬間的な干渉を測定するための測定リソース及び無作為化された干渉を測定するための測定リソースは、異なっている。
【０３２７】
例えば、M個の信号測定パイロット及びK個の干渉測定パイロットが、1つの測定プロセスCSI  processにおいて構成される。
【０３２８】
例えば、M個の信号測定パイロットは、NZP  CSI-RS  resource  m0、NZP  CSI-RS  resource  m1、…NZP  CSI-RS  resource  mM−1である。各々のNZP(非ゼロ電力)CSI-RS  resource  m0は、NZP  CSI-RS  resource  m0のポートの数及び時間周波数リソースの位置を含む。
【０３２９】
ユーザ機器は、1つのCQIを決定するために、M個の信号測定パイロットにしたがって測定されるM個の信号の測定においてM1個の信号にしたがって合成を実行してもよく、M1は、1より大きく、且つ、M以下の整数である。
【０３３０】
選択的に、K個の干渉測定パイロットは、すべてが、非ゼロ電力パイロットであるか、又は、すべてが、ゼロ電力パイロットであり、或いは、K個の干渉測定パイロットは、非ゼロ電力パイロット及びゼロ電力パイロットを含む。
【０３３１】
K個の干渉測定パイロットは、NZP  CSI-RS  resource  k0、NZP  CSI-RS  resource  k1、…NZP  CSI-RS  resource  kK−1である。
【０３３２】
代替的に、K個の干渉測定パイロットは、ZP(zero  powerゼロ電力)CSI-RS  resource  k0、ZP  CSI-RS  resource  k1、…ZP  CSI-RS  resource  kKである。
【０３３３】
代替的に、K個の干渉測定パイロットは、K1個のZP  CSI-RSリソース、すなわち、ZP(zero powerゼロ電力)CSI-RS  resources k0、ZP  CSI-RS  resource  k1、ZP  CSI-RS  resource  kK1−1、及びK2個のNZP  CSI-RSリソース、すなわち、NZP  CSI-RS  resource  k  K1、ZP  CSI-RS  resource  k1、…ZP  CSI-RS  resource  kK−1である。
【０３３４】
K個の干渉測定パイロットのうちの少なくとも1つは、干渉測定を実行するための制限的な測定を無効化する手法にしたがって構成される。
【０３３５】
ユーザ機器は、1つのCQIを決定するために、K個の干渉測定パイロットにしたがって測定されるK個の干渉のうちのK1個の干渉の測定量にしたがって、合成を実行してもよく、K1は、1よりも大きく、且つ、K以下の整数である。
【０３３６】
K個の干渉測定パイロットにしたがって測定される干渉は、干渉の異なるタイプである。したがって、K個の干渉測定パイロットの制限的な測定は、K個の独立の構成を有していてもよい。例えば、UE１については、K＝2の場合に、図5に示されているように、例えば、NZP  CSI-RS  resource  k0及びNZP  CSI-RS  resource  k1は、干渉を測定するのに使用される。したがって、NZP  CSI-RS  resource  k0は、第1のタイプの干渉(又は、瞬間的な干渉)の測定に対応する。第1のタイプの干渉については、短時間の制限的な測定を実行する必要がある。例えば、同じセルの中の干渉が測定される。UE2及びUE1の双方が、cell1に属している。したがって、NZP  CSI-RS  resource  k0の制限的な測定の時間ウィンドウが、t4からt5(t4〜t5)となり、UE2のビームB2からUE1のビームB4への干渉を測定するという構成が行われる。cell2がUE3に送信した信号及びcell3がUE4に送信した信号からのUE1への干渉は、セル間干渉である。そのような干渉は、無作為化された干渉である。無作為化された干渉を取得するために、長時間にわたる平均処理を必要とする。したがって、NZP  CSI-RS  resource  k1は、それに対応して、第2のタイプの干渉、すなわち、無作為化された干渉を測定するのに使用される。第2のタイプの干渉は、相対的に長いウィンドウ長さを有する制限的な測定の時間ウィンドウを使用してもよく、又は、NZP  CSI-RS  resource  k1のための制限的な測定は、無効化される。
【０３３７】
選択的に、制限的な測定の独立の構成は、
制限的な測定の独立の有効化及び無効化、制限的な測定の時間ウィンドウの開始時間の独立の構成、制限的な測定の時間ウィンドウの終了時間の独立の構成、制限的な測定の平均ウィンドウの時間長の独立の構成、又は制限的な測定のシグナリングのタイプの独立の構成、のうちの少なくとも1つを含む。
【０３３８】
選択的に、制限的な測定のシグナリングのタイプの独立の構成は、制限的な測定が、上位層シグナリング又は動的シグナリングを使用することによって独立に構成されることを含み、動的シグナリングは、UL  grantシグナリング又はDL  grantシグナリングを使用することによって通知される。
【０３３９】
選択的に、制限的な測定のシグナリングのタイプの独立の構成は、制限的な測定が、上位層シグナリング又は動的シグナリングを使用することによって独立に構成されることを含み、動的シグナリングは、UL  grantシグナリング又はDL  grantシグナリングを使用することによって通知される。
【０３４０】
ユーザ機器による干渉及び信号測定を実装するために、N個のポートのパイロットは、測定プロセスにおいて構成され、N1個のポートのパイロットが、信号を測定するのに使用され、すべてのN個のポートのパイロットが、干渉を測定するのに使用される。
【０３４１】
代替的に、N個のポートを含む1つの測定パイロットは、測定プロセスにおいて構成され、1つのポートのパイロットは、信号を測定するのに使用され、目標ポートのパイロットは、干渉を測定するのに使用され、N個のポートの測定パイロットは、信号を測定するのに使用される1つのポートのパイロット及び目標ポートのパイロットを含み、ユーザ機器は、N個のポートの測定パイロットにしたがって測定を実行して、N個のCQIを取得するように構成される。
【０３４２】
代替的に、N個のポートを含む1つの測定パイロットは、測定プロセスにおいて構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【０３４３】
以下で詳細な説明を提供するために、ある特定の適用シナリオを使用する。この適用シナリオにおいては、第2の測定パイロットの中の信号測定に使用されるパイロットは、一般的に、第3のパイロットと称され、第2の測定パイロットの中の干渉測定に使用されるパイロットは、一般的に、第4のパイロットと称される。
【０３４４】
図6に示されているように、すべてのセルの中で基地局によって構成され、あらかじめ定義されている第4の測定パイロットは、同じ時間周波数リソース位置を有する。
【０３４５】
第3の測定パイロットは、少なくとも2つのセルにおいて、交互に配列されている時間周波数リソース位置を有する。
【０３４６】
例えば、cell1、cell2、及びcell3の第4の測定パイロットの時間周波数リソースは、整列されている。cell2及びcell3は、cell1が第3の測定パイロットを送信する時間周波数リソース位置において、mutingされる。すなわち、基地局は、cell1が第3の測定パイロットを送信する時間周波数リソース位置と同じ位置においては、信号を送信しない。
【０３４７】
基地局は、cell1が第3の測定パイロットを送信する時間周波数リソース位置と同じ位置において信号を送信しないので、cell1が送信する第3の測定パイロットに対するcell2及びcell3からの干渉を回避することが可能であり、それによって、cell1の第3の測定パイロットを使用することによって測定される信号は、より正確になる。
【０３４８】
さらに、cell1及びcell3は、mutingされる、すなわち、cell2が第3の測定パイロットを送信する時間周波数リソース位置においては信号を送信しない。したがって、cell2が送信した第3の測定パイロットへの干渉を回避することが可能である。このような方法によって、第3の測定パイロットを使用することによって測定によって得られる信号は、非常に正確になる。
【０３４９】
すべてのセルは、第4の測定パイロットにおいて信号を送信する。したがって、第4の測定パイロットにしたがった測定によって、すべてのセルから対象のセルへの干渉を取得することが可能である。すなわち、第4の測定パイロットによって受信される信号RBは、S＋Iと等しく、Sは、対象のセルの信号であり、Iは、他のセルの干渉である。第3の測定パイロットによる他のセルからの干渉については、mutingされていることにより、他のセルの干渉を受信することは不可能である。したがって、第3の測定パイロットによって受信される信号RAは、Sと等しい。したがって、RB−RA＝Iを使用することによって、比較的正確な干渉Iを取得することが可能である。
【０３５０】
ユーザ機器が、どのようにして、第2の測定パイロットにしたがって、信号測定を実行し、そして、干渉測定を実行するかに関する1つの例が、上記で説明されているが、その例は、限定を構成するものではない。以下の手法が、さらに、信号測定及び干渉測定を実行するのに使用されてもよい。
【０３５１】
図7に示されているように、すべてのセルの第2の測定パイロットが、同じ時間周波数リソース位置及び同じ数のポートを有している1つの例を使用する。
【０３５２】
ユーザ機器による精密な干渉及び信号測定を実装するために、ユーザ機器がCQIを算出する際に、ユーザ機器は、データの電力に対する各々のパイロットポートの信号測定電力の比がXであるということを決定し、Xは、N個のポートの周波数分割多重化サブキャリアの数に関連付けられているか、又は一定値である。
【０３５３】
CQIを算出する際に、ユーザ機器は、ユーザ機器が受信するデータの干渉の電力に対する各々のパイロットポートの干渉測定電力の比がYであるということを決定し、Yは、N個のポートの周波数分割多重化サブキャリアの数に関連付けられているか、又は一定値である。
【０３５４】
データの電力に対する各々のパイロットポートの信号測定電力の比Xは、ユーザ機器が受信するデータの干渉の電力に対する各々のパイロットポートの干渉測定電力の比Yと等しい。
【０３５５】
例えば、図7に示されているように、第2の測定パイロットのすべてについて、4つのポートを使用する。例えば、port0及びport1について、2つの同じリソースエレメントREを使用し、符号分割多重化方式を使用する。例えば、port0は、OCC符号(1,1)を使用し、port1は、OCC符号(1,−1)を使用する。同様に、port2及びport3について、2つの同じREを使用し、符号分割多重化方式を使用する。例えば、port2は、OCC符号(1,1)を使用し、port3は、OCC符号(1,−1)を使用する。
【０３５６】
図7に示されているように、対象のセルが2層データを送信する場合に、第2の測定パイロットの使用されるポートは、port0及びport1である。近隣のセルが4層データを送信する場合には、port0、port1、port2、及びport3が、その近隣のセルが送信した第2の測定パイロットのために使用される。
【０３５７】
ユーザ機器が干渉を正確に測定することを可能にするために、基地局は、送信されるデータの各々の層の電力に対する第2の測定パイロットの各々のポートの電力の比が、2、すなわち、3[dB]となるということを保証する。
【０３５８】
UE1は、cell1のユーザである。port0及びport1においてUE1が受信する信号R1は、S＋2I1＋σ2に等しく、Sは、UE1が測定する信号であり、測定される干渉及び雑音は、2I1＋σ2であり、σ2は、雑音である。
【０３５９】
2I1の中のI1は、最初の2つの層、すなわち、layer0及びlayer1への、干渉しているユーザのデータの仮定される干渉である。送信されるデータの各々の層の電力に対する第2の測定パイロットの各々のポートの電力の比は2であるので、測定される干渉は、2I1となる。
【０３６０】
port2及びport3において受信される信号R2は、2I2＋σ2に等しい。2I2の中のI2は、最後の2つの層、すなわち、layer2及びlayer3への、干渉しているユーザのデータの仮定される干渉である。
【０３６１】
以下の方法、すなわち、
（外１）
0006695424.tif 000002
を使用することによって、測定される合計の干渉を得ることが可能である。このことにより、基地局は、測定パイロットとデータとの間の電力差、すなわち、測定パイロットの電力が、データの電力の2倍の大きさとなるということを必要とし、それによって、正確な干渉及び雑音I1＋I2＋σ2を取得することが可能である。上記のI＝I1＋I2＋2σ2において、測定パイロットの電力が、データの電力の2倍の大きさとならないということが仮定される場合には、干渉測定は正確ではない。
【０３６２】
理解できるように、第2の測定パイロットは、少なくとも2つの周波数分割リソースによって送信される。第2の測定パイロットが、N個の周波数分割リソースを使用することによって送信される場合には、データの電力に対する各々の第2の測定パイロットポートの電力の比は、Nであり、
（外２）
0006695424.tif 000003
である。
【０３６３】
図8にしたがった手法について、対象のセルにおいて4層データが送信される場合に、第2の測定パイロットの使用されるポートは、port0及びport1である。近隣のセルが4層データを送信する場合には、port0、port1、port2、及びport3が、その近隣のセルが送信した第2の測定パイロットのために使用される。この場合に、送信されるデータの各々の層の電力に対する第2の測定パイロットの各々のポートの電力の比が、2、すなわち、3[dB]となるということが保証される。
【０３６４】
UE1は、cell1のユーザである。port0及びport1においてUE1が受信する信号R1は、S＋2I1＋σ2に等しく、Sは、UE1が測定する信号であり、測定される干渉及び雑音は、2I1＋σ2であり、σ2は、雑音である。
【０３６５】
2I1の中のI1は、最初の2つの層、すなわち、layer0及びlayer1への、干渉しているユーザのデータの仮定される干渉である。測定パイロットの電力は、データの電力の2倍の大きさであるので、測定される干渉は、2I1となる。port2及びport3において受信される信号R2は、S＋2I2＋σ2に等しい。2I2の中のI2は、最後の2つの層、すなわち、layer2及びlayer3への、干渉しているユーザのデータの仮定される干渉である。この場合に、以下の手法、すなわち、
（外３）
0006695424.tif 000004
を使用することによって、測定される合計の干渉を取得することが可能である。
【０３６６】
理解できるように、パイロットとデータとの間の電力差、すなわち、パイロットの電力は、データの電力の2倍の大きさとなり、それによって、正確な干渉及び雑音I1＋I2＋σ2を取得することが可能である。上記のI＝I1＋I2＋2σ2において、パイロットの電力が、データの電力の2倍の大きさとならないということが仮定される場合には、干渉測定は正確ではない。
【０３６７】
第2の測定パイロットは、少なくとも2つの周波数分割リソースによって送信される。第2の測定パイロットが、N個の周波数分割リソースを使用することによって送信される場合には、データの電力に対する第2のタイプの測定パイロットの各々のポートの電力の比は、Nであり、
（外４）
0006695424.tif 000005
である。
【０３６８】
図9に示されている1つの実施形態を参照して、本発明のその実施形態にしたがったユーザ機器のある特定の構成を、以下で詳細に説明する。
【０３６９】
そのユーザ機器は、
測定プロセスのタイプにしたがって、測定手順及びフィードバックされるチャネル状態情報(CSI)のタイプを決定するように構成される決定ユニット901であって、測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、決定ユニット901と、
決定された測定手順及び/又はフィードバックされるCSIの決定されたタイプにしたがって測定及びフィードバックを実行するように構成されるフィードバックユニット902と、を含む。
【０３７０】
本発明のこの実施形態においては、ユーザ機器は、測定プロセスの異なるタイプにしたがって、異なる測定手順及びフィードバックされるチャネル状態情報(CSI)の異なるタイプを決定することが可能であり、それによって、ユーザは、異なる測定プロセス及びフィードバックされるチャネル状態情報(CSI)の異なるタイプにしたがって、基地局へとより正確なダウンリンクチャネル情報をフィードバックすることが可能であり、結果として、その基地局とそのユーザ機器との間のデータ送信のパフォーマンスを改善する。
【０３７１】
図10を参照して、さらに、ユーザ機器のある特定の構成を以下で詳細に説明する。
【０３７２】
そのユーザ機器は、
測定プロセスのタイプにしたがって、測定手順及びフィードバックされるチャネル状態情報(CSI)のタイプを決定するように構成される決定ユニット1001であって、測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、決定ユニット1001と、
決定された測定手順及び/又はフィードバックされるCSIの決定されたタイプにしたがって測定及びフィードバックを実行するように構成されるフィードバックユニット1002と、を含む。
【０３７３】
決定ユニット1001は、
測定プロセスによって定義される信号測定パイロットが、第1の測定パイロットである場合に、フィードバックされるCSIのタイプが第1のCSIであるということを決定するように構成される第1の決定モジュール10011、又は、
測定プロセスによって定義される信号測定パイロットが、第2の測定パイロットである場合に、フィードバックされるCSIのタイプが第2のCSIであるということを決定するように構成される第2の決定モジュール10012、を含み、第1のCSIに含まれるフィードバック量と第2のCSIに含まれるフィードバック量は、異なっている。
【０３７４】
選択的に、第1の決定モジュール10011が決定する第1の測定パイロットは、プリコーディングされていないパイロット又はプリコーディングされているパイロットであり、及び/又は第1の測定パイロットは、周期的に送信されるパイロットであり、
第2の決定モジュール10012が決定する第2の測定パイロットは、プリコーディングされているパイロットであり、及び/又は第2の測定パイロットは、周期的には送られず、及び/又は第2の測定パイロットは、基地局によってトリガされ、及び/又は第2の測定パイロットは、サブバンドにおいて送信される。
【０３７５】
選択的に、第1の決定モジュール10011が決定する第1のCSIは、ランク指標(RI)、プリコーディング行列指標(PMI)、及びチャネル品質指標(CQI)を含むか、又は第1のCSIは、RI及びPMIを含み、
第2の決定モジュール10012が決定する第2のCSIは、RI、PMI、及びCQIを含むか、又は第2のCSIは、CQIを含むか、又は第2のCSIは、選択されたビームを示すインデックス(BI)、RI、及びCQIを含む。
【０３７６】
選択的に、決定ユニット1001は、さらに、1つの測定プロセスが、M個の信号測定パイロット及びK個の干渉測定パイロットを含むということを決定するように構成され、Mは、1以上の整数であり、Kは、1より大きな整数であり、K個の干渉測定パイロットは、制限的な測定の独立の構成を使用し、制限的な測定は、測定されることを可能とされるリソースの移動平均の範囲を制限するように構成される。
【０３７７】
選択的に、決定ユニット1001は、さらに、1つの測定プロセスが、M個の信号測定パイロット及びK個の干渉測定パイロットを含むということを決定するように構成され、Mは、1より大きな整数であり、Kは、1以上の整数であり、M個の信号測定パイロットは、制限的な測定の独立の構成を使用し、制限的な測定は、測定されることを可能とされるリソースの移動平均の範囲を制限するように構成される。
【０３７８】
選択的に、決定ユニット1001は、さらに、制限的な測定の独立の構成が、
制限的な測定の独立の有効化及び無効化、制限的な測定の時間ウィンドウの開始時間の独立の構成、制限的な測定の時間ウィンドウの終了時間の独立の構成、制限的な測定の平均ウィンドウの時間長の独立の構成、又は制限的な測定のシグナリングのタイプの独立の構成、のうちの少なくとも1つを含むということを決定するように構成される。
【０３７９】
選択的に、決定ユニット1001は、
1つのCQIを決定するために、K個の干渉測定パイロットにしたがって測定されるK個の干渉のうちのK1個の干渉の測定量にしたがって合成を実行するように構成される第3の決定モジュール10013であって、K1は、1よりも大きく、且つ、K以下の整数である、第3の決定モジュール10013と、
1つのCQIを決定するために、M個の信号測定パイロットにしたがって測定されるM個の信号の測定においてM1個の信号にしたがって合成を実行するように構成される第4の決定モジュール10014と、をさらに含み、M1は、1より大きく、且つ、M以下の整数である。
【０３８０】
選択的に、決定ユニット1001は、制限的な測定のシグナリングのタイプの独立の構成は、制限的な測定が上位層シグナリング又は動的シグナリングを使用することによって独立に構成されるということを含むということ決定し、動的シグナリングは、UL  grantシグナリング又はDL  grantシグナリングを使用することによって通知される。
【０３８１】
選択的に、決定ユニット1001は、さらに、K個の干渉測定パイロットは、すべてが、非ゼロ電力パイロットであるか、又は、すべてが、ゼロ電力パイロットであり、或いは、K個の干渉測定パイロットは、非ゼロ電力パイロット及びゼロ電力パイロットを含むということを決定するように構成される。
【０３８２】
選択的に、決定ユニット1001は、さらに、K個の干渉測定パイロットのうちの少なくとも1つが、干渉測定を実行するための制限的な測定を無効化する手法にしたがって構成されるということを決定するように構成される。
【０３８３】
選択的に、決定ユニット1001は、さらに、N個のポートのパイロットが、測定プロセスにおいて構成されるということを決定するように構成され、N1個のポートのパイロットが、信号を測定するのに使用され、すべてのN個のポートのパイロットが、干渉を測定するのに使用される。
【０３８４】
選択的に、決定ユニット1001は、さらに、N個のポートを含む1つの測定パイロットが、測定プロセスにおいて構成されるということを決定するように構成され、1つのポートのパイロットは、信号を測定するのに使用され、目標ポートのパイロットは、干渉を測定するのに使用され、N個のポートの測定パイロットは、信号を測定するのに使用される1つのポートのパイロット及び目標ポートのパイロットを含み、ユーザ機器は、N個のポートの測定パイロットにしたがって測定を実行して、N個のCQIを取得するように構成される。
【０３８５】
選択的に、決定ユニット1001は、さらに、N個のポートを含む1つの測定パイロットが、測定プロセスにおいて構成されるということを決定するように構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【０３８６】
選択的に、決定ユニット1001は、さらに、CQIを算出することを決定する際に、ユーザ機器によって、データの電力に対する各々のパイロットポートの信号測定電力の比がXであるということを決定するように構成され、Xは、N個のポートの周波数分割多重化サブキャリアの数に関連付けられているか、又は一定値である。
【０３８７】
選択的に、決定ユニット1001は、さらに、CQIを算出することを決定する際に、ユーザ機器によって、当該ユーザ機器が受信するデータの干渉の電力に対する各々のパイロットポートの干渉測定電力の比がYであるということを決定するように構成され、Yは、N個のポートの周波数分割多重化サブキャリアの数に関連付けられているか、又は一定値である。
【０３８８】
選択的に、決定ユニット1001は、さらに、データの電力に対する各々のパイロットポートの信号測定電力の比Xが、ユーザ機器が受信するデータの干渉の電力に対する各々のパイロットポートの干渉測定電力の比Yと等しいということを決定するように構成される。
【０３８９】
選択的に、決定ユニット1001は、さらに、第2の測定パイロットの時間周波数リソース位置が、サブフレームの第1のスロットの中に存在するということを決定するように構成される。
【０３９０】
選択的に、ユーザ機器は、送信ユニット1003をさらに含む。
【０３９１】
送信ユニット1003は、第2の測定パイロットが位置しているサブフレームの第2のスロットにおいて、第2のCSIをフィードバックするように構成される。
【０３９２】
選択的に、決定ユニット1001は、さらに、第2の測定パイロットにしたがった測定によって取得される第2のCSIの基準リソースから報告時点までの時間期間が、X1であり、第1の測定パイロットにしたがった測定によって取得される第1のCSIの基準リソースから報告時点までの時間期間が、X2であるということを決定するように構成され、X1＜X2であり、基準リソースは、第2の測定パイロットを送信するのに使用されるサブフレームである。
【０３９３】
選択的に、決定ユニット1001は、さらに、第2の測定パイロットにしたがった測定によって取得される第2のCSIの基準リソースから報告時点までの時間期間が、X1であるということを決定するように構成され、X1は、上位層シグナリングを使用することによって構成されるか、又は、動的シグナリングを使用することによって構成され、基準リソースは、第2の測定パイロットを送信するのに使用されるサブフレームである。
【０３９４】
選択的に、決定ユニット1001は、さらに、第2の測定パイロットにしたがった測定の基準リソースから報告時点までの時間期間が、X1であるということを決定するように構成され、X1は、1つの測定手順に含まれる第2の測定パイロットのリソースの数及び/又は各々の第2の測定パイロットに含まれるポートの数に関連付けられ、基準リソースは、第2の測定パイロットを送信するのに使用されるサブフレームである。
【０３９５】
この実施形態において示されるユーザ機器が、具体的に、どのようにして、データ送信方法を実行するかについては、細部に関しては、図1乃至図8に示されている複数の実施形態を参照するべきである。ある特定の実行プロセスは、この実施形態においては、再度、説明されない。
【０３９６】
図11を参照して、基地局のある特定の構成を、以下で詳細に説明する。
【０３９７】
その基地局は、
ユーザ機器に測定プロセスのタイプを示すように構成される指示ユニット1101であって、測定プロセスのタイプは、ユーザ機器が、測定プロセスのタイプにしたがって、測定手順及びフィードバックされるチャネル状態情報(CSI)のタイプを決定することを可能にするのに使用され、測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、指示ユニット1101と、
ユーザ機器が送信したフィードバックを受信するように構成される受信ユニット1102と、を含み、フィードバックは、決定された測定手順及び/又はフィードバックされるCSIにしたがってユーザ機器によって生成される。
【０３９８】
本発明のこの実施形態においては、ユーザ機器は、測定プロセスの異なるタイプにしたがって、異なる測定手順及びフィードバックされるチャネル状態情報(CSI)の異なるタイプを決定することが可能であり、それによって、ユーザは、異なる測定プロセス及びフィードバックされるチャネル状態情報(CSI)の異なるタイプにしたがって、基地局へとより正確なダウンリンクチャネル情報をフィードバックすることが可能であり、結果として、その基地局とそのユーザ機器との間のデータ送信のパフォーマンスを改善する。
【０３９９】
図12を参照して、基地局のある構成を、さらに、以下で詳細に説明する。
【０４００】
その基地局は、
ユーザ機器に測定プロセスのタイプを示すように構成される指示ユニット1201であって、測定プロセスのタイプは、ユーザ機器が、測定プロセスのタイプにしたがって、測定手順及びフィードバックされるチャネル状態情報(CSI)のタイプを決定することを可能にするのに使用され、測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する、指示ユニット1201と、
ユーザ機器が送信したフィードバックを受信するように構成される受信ユニット1202と、を含み、フィードバックは、決定された測定手順及び/又はフィードバックされるCSIにしたがってユーザ機器によって生成される。
【０４０１】
受信ユニット1202は、
測定プロセスによって定義される信号測定パイロットが、第1の測定パイロットである場合に、ユーザ機器が送信するとともにタイプが第1のCSIであるCSIを受信するように構成される第1の受信モジュール12021、又は、
測定プロセスによって定義される信号測定パイロットが、第2の測定パイロットである場合に、ユーザ機器が送信するとともにタイプが第2のCSIであるCSIを受信するように構成される第2の受信モジュール12022、を含み、第1のCSIに含まれるフィードバック量と第2のCSIに含まれるフィードバック量は、異なっている。
【０４０２】
選択的に、指示ユニット1201は、さらに、第1の測定パイロットが、プリコーディングされていないパイロット又はプリコーディングされているパイロットであり、及び/又は第1の測定パイロットが、周期的に送信されるパイロットであり、第2の測定パイロットが、プリコーディングされているパイロットであり、及び/又は第2の測定パイロットが、周期的には送信されず、及び/又は第2の測定パイロットが、基地局によってトリガされ、及び/又は第2の測定パイロットが、サブバンドにおいて送信される、ということを示すように構成される。
【０４０３】
選択的に、受信ユニット1202が受信する第1のCSIは、ランク指標(RI)、プリコーディング行列指標(PMI)、及びチャネル品質指標(CQI)を含むか、又は第1のCSIは、RI及びPMIを含む。
【０４０４】
受信ユニット1202が受信する第2のCSIは、RI、PMI、及びCQIを含むか、又は第2のCSIは、CQIを含むか、又は第2のCSIは、選択されたビームを示すインデックス(BI)、RI、及びCQIを含む。
【０４０５】
選択的に、指示ユニット1201は、さらに、1つの測定プロセスが、M個の信号測定パイロット及びK個の干渉測定パイロットを含むということを示すように構成され、Mは、1以上の整数であり、Kは、1より大きな整数であり、K個の干渉測定パイロットは、制限的な測定の独立の構成を使用し、制限的な測定は、測定されることを可能とされるリソースの移動平均の範囲を制限するように構成される。
【０４０６】
選択的に、指示ユニット1201は、さらに、1つの測定プロセスが、M個の信号測定パイロット及びK個の干渉測定パイロットを含むということを示すように構成され、Mは、1より大きな整数であり、Kは、1以上の整数であり、M個の信号測定パイロットは、制限的な測定の独立の構成を使用し、制限的な測定は、測定されることを可能とされるリソースの移動平均の範囲を制限するように構成される。
【０４０７】
選択的に、指示ユニット1201は、さらに、制限的な測定の独立の構成が、
制限的な測定の独立の有効化及び無効化、制限的な測定の時間ウィンドウの開始時間の独立の構成、制限的な測定の時間ウィンドウの終了時間の独立の構成、制限的な測定の平均ウィンドウの時間長の独立の構成、又は制限的な測定のシグナリングのタイプの独立の構成、のうちの少なくとも1つを含むということを示すように構成される。
【０４０８】
選択的に、受信ユニット1202は、さらに、ユーザ機器が送信したCQIを受信するように構成され、CQIは、K個の干渉測定パイロットにしたがって測定されるK個の干渉のうちのK1個の干渉の測定量にしたがって合成を実行することによってユーザ機器によって決定された1つのCQIであり、K1は、1よりも大きく、且つ、K以下である整数である。
【０４０９】
選択的に、受信ユニット1202は、さらに、ユーザ機器が送信したCQIを受信するように構成され、CQIは、M個の信号測定パイロットにしたがって測定されるM個の信号の測定においてM1個の信号にしたがって合成を実行することによってユーザ機器によって決定された1つのCQIであり、M1は、1より大きく、且つ、M以下である整数である。
【０４１０】
選択的に、指示ユニット1201は、さらに、制限的な測定のシグナリングのタイプの独立の構成は、制限的な測定が上位層シグナリング又は動的シグナリングを使用することによって独立に構成されるということを含むということを示すように構成され、動的シグナリングは、UL  grantシグナリング又はDL  grantシグナリングを使用することによって通知される。
【０４１１】
選択的に、指示ユニット1201は、さらに、K個の干渉測定パイロットは、すべてが、非ゼロ電力パイロットであるか、又は、すべてが、ゼロ電力パイロットであり、或いは、K個の干渉測定パイロットは、非ゼロ電力パイロット及びゼロ電力パイロットを含むということを示すように構成される。
【０４１２】
選択的に、指示ユニット1201は、さらに、K個の干渉測定パイロットのうちの少なくとも1つは、干渉測定を実行するための制限的な測定を無効化する手法にしたがって構成されるということを示すように構成される。
【０４１３】
選択的に、指示ユニット1201は、さらに、N個のポートのパイロットが、測定プロセスにおいて構成されるということを示すように構成され、N1個のポートのパイロットは、信号を測定するのに使用され、すべてのN個のポートのパイロットは、干渉を測定するのに使用される。
【０４１４】
選択的に、指示ユニット1201は、さらに、N個のポートを含む1つの測定パイロットが、測定プロセスにおいて構成されるということを示すように構成され、1つのポートのパイロットは、信号を測定するのに使用され、目標ポートのパイロットは、干渉を測定するのに使用され、N個のポートの測定パイロットは、信号を測定するのに使用される1つのポートのパイロット及び目標ポートのパイロットを含み、ユーザ機器は、N個のポートの測定パイロットにしたがって測定を実行して、N個のCQIを取得するように構成される。
【０４１５】
選択的に、指示ユニット1201は、さらに、N個のポートを含む1つの測定パイロットが、測定プロセスにおいて構成されるということを示すように構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【０４１６】
選択的に、指示ユニット1201は、さらに、データの電力に対する各々のパイロットポートの信号測定電力の比Xが、ユーザ機器が受信するデータの干渉の電力に対する各々のパイロットポートの干渉測定電力の比Yと等しいということを示すように構成される。
【０４１７】
選択的に、指示ユニット1201は、さらに、第2の測定パイロットの時間周波数リソース位置が、サブフレームの第1のスロットの中に存在するということを示すように構成される。
【０４１８】
選択的に、受信ユニット1202は、さらに、第2の測定パイロットが位置しているサブフレームの第2のスロットにおいて、ユーザ機器が送信した第2のCSIのフィードバックを受信するように構成される。
【０４１９】
選択的に、指示ユニット1201は、さらに、時間期間X1を決定し、X1は、第2の測定パイロットにしたがったユーザ機器による測定によって取得される第2のCSIの基準リソースから報告時点までの時間期間であり、時間期間X2を決定する、ように構成され、X2は、第1の測定パイロットにしたがったユーザ機器による測定によって取得される第1のCSIの基準リソースから報告時点までの時間期間である。
【０４２０】
X1＜X2であり、基準リソースは、第2の測定パイロットを送信するのに使用されるサブフレームである。
【０４２１】
選択的に、指示ユニット1201は、さらに、時間期間X1を決定するように構成され、X1は、第2の測定パイロットにしたがったユーザ機器による測定によって取得される第2のCSIの基準リソースから報告時点までの時間期間であり、X1は、上位層シグナリングを使用することによって構成されるか、又は、動的シグナリングを使用することによって構成され、基準リソースは、第2の測定パイロットを送信するのに使用されるサブフレームである。
【０４２２】
選択的に、指示ユニット1201は、さらに、時間期間X1を決定するように構成され、X1は、第2の測定パイロットにしたがったユーザ機器による測定によって取得される第2のCSIの基準リソースから報告時点までの時間期間であり、X1は、1つの測定手順に含まれる第2の測定パイロットのリソースの数及び/又は各々の第2の測定パイロットに含まれるポートの数に関連付けられ、基準リソースは、第2の測定パイロットを送信するのに使用されるサブフレームである。
【０４２３】
基地局が、具体的に、どのようにして、データ送信方法を実行するかについては、細部に関しては、図1乃至図8に示されている複数の実施形態を参照するべきである。細部は、この実施形態においては、再度、説明されない。
【０４２４】
図13を参照して、ハードウェアの観点から、ユーザ機器のある特定の構成を以下で説明する。
【０４２５】
図13に示されているように、ユーザ機器は、送信機1301、受信機1302、プロセッサ1303、及びメモリ1304を含む。1つ又は複数のプロセッサ1303が存在してもよい。この実施形態においては、1つのプロセッサ1303が、説明のための1つの例として使用される。
【０４２６】
この実施形態においては、送信機1301、受信機1302、メモリ1304、及びプロセッサ1303は、バスを使用することによって接続される。もちろん、他の接続手法を使用してもよい。ある1つの特定の接続手法は、この実施形態においては限定されない。
【０４２７】
本発明のこの実施形態にしたがったユーザ機器は、図13に示されている構成要素よりもより多くの構成要素又はより少ない構成要素を有していてもよい。2つ又はそれ以上の構成要素を組み合わせることが可能であり、或いは、それらの複数の構成要素の構成又は設定は異なっていてもよく、ハードウェア、ソフトウェア、又はハードウェア及びソフトウェアの組み合わせによって、それらの複数の構成要素を実装してもよく、ハードウェア及びソフトウェアの組み合わせは、1つ又は複数の信号処理集積回路及び/又は特定用途向け集積回路を含んでいてもよい。
【０４２８】
プロセッサ1303は、測定プロセスのタイプにしたがって、測定手順及びフィードバックされるチャネル状態情報(CSI)のタイプを決定するように構成され、測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する。
【０４２９】
送信機は、決定された測定手順及び/又はフィードバックされるCSIの決定されたタイプにしたがって測定及びフィードバックを実行するように構成される。
【０４３０】
選択的に、送信機は、測定プロセスによって定義される信号測定パイロットが、第1の測定パイロットである場合に、フィードバックされるCSIのタイプが第1のCSIであるということを決定するように構成される。
【０４３１】
代替的に、送信機1301は、測定プロセスによって定義される信号測定パイロットが、第2の測定パイロットである場合に、フィードバックされるCSIのタイプが第2のCSIであるということを決定するように構成され、第1のCSIに含まれるフィードバック量と第2のCSIに含まれるフィードバック量は、異なっている。
【０４３２】
選択的に、プロセッサ1303は、第1の測定パイロットが、プリコーディングされていないパイロット又はプリコーディングされているパイロットであり、及び/又は第1の測定パイロットが、周期的に送信されるパイロットであるということを決定するように構成される。
【０４３３】
プロセッサ1303は、第2の測定パイロットが、プリコーディングされているパイロットであり、及び/又は第2の測定パイロットが、周期的には送られず、及び/又は第2の測定パイロットが、基地局によってトリガされ、及び/又は第2の測定パイロットが、サブバンドにおいて送信される、ということを決定するように構成される。
【０４３４】
選択的に、プロセッサ1303は、第1のCSIが、ランク指標(RI)、プリコーディング行列指標(PMI)、及びチャネル品質指標(CQI)を含むか、又は第1のCSIが、RI及びPMIを含むということを決定するように構成される。
【０４３５】
第2のCSIは、RI、PMI、及びCQIを含むか、又は第2のCSIは、CQIを含むか、又は第2のCSIは、選択されたビームを示すインデックス(BI)、RI、及びCQIを含む。
【０４３６】
選択的に、プロセッサ1303は、1つの測定プロセスが、M個の信号測定パイロット及びK個の干渉測定パイロットを含むということを決定するように構成され、Mは、1以上の整数であり、Kは、1より大きな整数であり、K個の干渉測定パイロットは、制限的な測定の独立の構成を使用し、制限的な測定は、測定されることを可能とされるリソースの移動平均の範囲を制限するように構成される。
【０４３７】
選択的に、プロセッサ1303は、1つの測定プロセスが、M個の信号測定パイロット及びK個の干渉測定パイロットを含むということを決定するように構成され、Mは、1より大きな整数であり、Kは、1以上の整数であり、M個の信号測定パイロットは、制限的な測定の独立の構成を使用し、制限的な測定は、測定されることを可能とされるリソースの移動平均の範囲を制限するように構成される。
【０４３８】
選択的に、プロセッサ1303は、制限的な測定の独立の構成が、
制限的な測定の独立の有効化及び無効化、制限的な測定の時間ウィンドウの開始時間の独立の構成、制限的な測定の時間ウィンドウの終了時間の独立の構成、制限的な測定の平均ウィンドウの時間長の独立の構成、又は制限的な測定のシグナリングのタイプの独立の構成、のうちの少なくとも1つを含むということを決定するように構成される。
【０４３９】
選択的に、プロセッサ1303は、合成が、1つのCQIを決定するために、K個の干渉測定パイロットにしたがって測定されるK個の干渉のうちのK1個の干渉の測定量にしたがって実行されるということを決定するように構成され、K1は、1よりも大きく、且つ、K以下の整数である。
【０４４０】
選択的に、プロセッサ1303は、合成が、1つのCQIを決定するために、M個の信号測定パイロットにしたがって測定されるM個の信号の測定においてM1個の信号にしたがって実行されるということを決定するように構成され、M1は、1より大きく、且つ、M以下の整数である。
【０４４１】
選択的に、プロセッサ1303は、制限的な測定のシグナリングのタイプの独立の構成は、制限的な測定が上位層シグナリング又は動的シグナリングを使用することによって独立に構成されるということを含むということを決定するように構成され、動的シグナリングは、UL  grantシグナリング又はDL  grantシグナリングを使用することによって通知される。
【０４４２】
選択的に、プロセッサ1303は、K個の干渉測定パイロットは、すべてが、非ゼロ電力パイロットであるか、又は、すべてが、ゼロ電力パイロットであり、或いは、K個の干渉測定パイロットは、非ゼロ電力パイロット及びゼロ電力パイロットを含むということを決定するように構成される。
【０４４３】
選択的に、プロセッサ1303は、K個の干渉測定パイロットのうちの少なくとも1つが、干渉測定を実行するための制限的な測定を無効化する手法にしたがって構成されるということを決定するように構成される。
【０４４４】
選択的に、プロセッサ1303は、N個のポートのパイロットが、測定プロセスにおいて構成されるということを決定するように構成され、N1個のポートのパイロットが、信号を測定するのに使用され、すべてのN個のポートのパイロットが、干渉を測定するのに使用される。
【０４４５】
選択的に、プロセッサ1303は、N個のポートを含む1つの測定パイロットが、測定プロセスにおいて構成されるということを決定するように構成され、1つのポートのパイロットは、信号を測定するのに使用され、目標ポートのパイロットは、干渉を測定するのに使用され、N個のポートの測定パイロットは、信号を測定するのに使用される1つのポートのパイロット及び目標ポートのパイロットを含み、ユーザ機器は、N個のポートの測定パイロットにしたがって測定を実行して、N個のCQIを取得するように構成される。
【０４４６】
選択的に、プロセッサ1303は、N個のポートを含む1つの測定パイロットが、測定プロセスにおいて構成されるということを決定するように構成され、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【０４４７】
選択的に、プロセッサ1303は、ユーザ機器がCQIを算出する際に、ユーザ機器によって、データの電力に対する各々のパイロットポートの信号測定電力の比がXであるということを決定するように構成され、Xは、N個のポートの周波数分割多重化サブキャリアの数に関連付けられているか、又は一定値である。
【０４４８】
選択的に、プロセッサ1303は、ユーザ機器がCQIを算出する際に、ユーザ機器によって、当該ユーザ機器が受信するデータの干渉の電力に対する各々のパイロットポートの干渉測定電力の比がYであるということを決定するように構成され、Yは、N個のポートの周波数分割多重化サブキャリアの数に関連付けられているか、又は一定値である。
【０４４９】
選択的に、プロセッサ1303は、データの電力に対する各々のパイロットポートの信号測定電力の比Xは、ユーザ機器が受信するデータの干渉の電力に対する各々のパイロットポートの干渉測定電力の比Yと等しいということを決定するように構成される。
【０４５０】
選択的に、プロセッサ1303は、第2の測定パイロットの時間周波数リソース位置が、サブフレームの第1のスロットの中に存在するということを決定するように構成される。
【０４５１】
選択的に、プロセッサ1303は、第2のCSIのフィードバックが、第2の測定パイロットが位置しているサブフレームの第2のスロットにおいて実行されるということを決定するように構成される。
【０４５２】
選択的に、プロセッサ1303は、第2の測定パイロットにしたがった測定によって取得される第2のCSIの基準リソースから報告時点までの時間期間が、X1であり、第1の測定パイロットにしたがった測定によって取得される第1のCSIの基準リソースから報告時点までの時間期間が、X2であるということを決定するように構成され、X1＜X2であり、基準リソースは、第2の測定パイロットを送信するのに使用されるサブフレームである。
【０４５３】
選択的に、プロセッサ1303は、第2の測定パイロットにしたがった測定によって取得される第2のCSIの基準リソースから報告時点までの時間期間が、X1であるということを決定するように構成され、X1は、上位層シグナリングを使用することによって構成されるか、又は、動的シグナリングを使用することによって構成され、基準リソースは、第2の測定パイロットを送信するのに使用されるサブフレームである。
【０４５４】
選択的に、プロセッサ1303は、第2の測定パイロットにしたがった測定の基準リソースから報告時点までの時間期間が、X1であるということを決定するように構成され、X1は、1つの測定手順に含まれる第2の測定パイロットのリソースの数及び/又は各々の第2の測定パイロットに含まれるポートの数に関連付けられ、基準リソースは、第2の測定パイロットを送信するのに使用されるサブフレームである。
【０４５５】
図14を参照して、ハードウェアの観点から、基地局のある特定の構成を以下で説明する。
【０４５６】
図14に示されているように、基地局は、送信機1401、受信機1402、プロセッサ1403、及びメモリ1404を含む。1つ又は複数のプロセッサ1403が存在してもよい。この実施形態においては、1つのプロセッサ1403が、説明のための1つの例として使用される。
【０４５７】
この実施形態においては、送信機1401、受信機1402、メモリ1404、及びプロセッサ1403は、バスを使用することによって接続される。もちろん、他の接続手法を使用してもよい。ある1つの特定の接続手法は、この実施形態においては限定されない。
【０４５８】
本発明のこの実施形態にしたがった基地局は、図14に示されている構成要素よりもより多くの構成要素又はより少ない構成要素を含んでいてもよく、2つ又はそれ以上の構成要素を組み合わせることが可能であり、或いは、それらの複数の構成要素の構成又は設定は異なっていてもよく、ハードウェア、ソフトウェア、又はハードウェア又はソフトウェアの組み合わせによって、それらの複数の構成要素を実装してもよく、ハードウェア又はソフトウェアの組み合わせは、1つ又は複数の信号処理集積回路及び/又は特定用途向け集積回路を含んでいてもよい。
【０４５９】
送信機1401は、ユーザ機器に測定プロセスのタイプを示すように構成され、測定プロセスのタイプは、ユーザ機器が、測定プロセスのタイプにしたがって、測定手順及びフィードバックされるチャネル状態情報(CSI)のタイプを決定することを可能にするのに使用され、測定プロセスのタイプは、信号測定パイロットの定義及び干渉測定パイロットの定義を含み、測定プロセスの異なるタイプは、異なる測定手順及び/又はフィードバックされるチャネル状態情報(CSI)の異なるタイプに対応する。
【０４６０】
受信機1402は、ユーザ機器が送信したフィードバックを受信するように構成され、フィードバックは、決定された測定手順及び/又はフィードバックされるCSIにしたがってユーザ機器によって生成される。
【０４６１】
選択的に、受信機1402は、測定プロセスによって定義される信号測定パイロットが、第1の測定パイロットである場合に、ユーザ機器が送信するとともにタイプが第1のCSIであるCSIを基地局によって受信するように構成される。
【０４６２】
代替的に、受信機1402は、測定プロセスによって定義される信号測定パイロットが、第2の測定パイロットである場合に、ユーザ機器が送信するとともにタイプが第2のCSIであるCSIを受信するように構成され、第1のCSIに含まれるフィードバック量と第2のCSIに含まれるフィードバック量は、異なっている。
【０４６３】
選択的に、プロセッサ1404は、第1の測定パイロットが、プリコーディングされていないパイロット又はプリコーディングされているパイロットであり、及び/又は第1の測定パイロットが、周期的に送信されるパイロットである、ということを決定する。
【０４６４】
プロセッサ1404は、第2の測定パイロットが、プリコーディングされているパイロットであり、及び/又は第2の測定パイロットが、周期的には送信されず、及び/又は第2の測定パイロットが、基地局によってトリガされ、及び/又は第2の測定パイロットが、サブバンドにおいて送信される、ということを決定する。
【０４６５】
選択的に、プロセッサ1404は、第1のCSIが、ランク指標(RI)、プリコーディング行列指標(PMI)、及びチャネル品質指標(CQI)を含むか、又は第1のCSIが、RI及びPMIを含み、
第2のCSIが、RI、PMI、及びCQIを含むか、又は第2のCSIが、CQIを含むか、又は第2のCSIが、選択されたビームを示すインデックス(BI)、RI、及びCQIを含む、ということを決定する。
【０４６６】
選択的に、プロセッサ1404は、1つの測定プロセスが、M個の信号測定パイロット及びK個の干渉測定パイロットを含むということを決定し、Mは、1以上の整数であり、Kは、1より大きな整数であり、K個の干渉測定パイロットは、制限的な測定の独立の構成を使用し、制限的な測定は、測定されることを可能とされるリソースの移動平均の範囲を制限するように構成される。
【０４６７】
選択的に、プロセッサ1404は、1つの測定プロセスが、M個の信号測定パイロット及びK個の干渉測定パイロットを含むということを決定し、Mは、1より大きな整数であり、Kは、1以上の整数であり、M個の信号測定パイロットは、制限的な測定の独立の構成を使用し、制限的な測定は、測定されることを可能とされるリソースの移動平均の範囲を制限するように構成される。
【０４６８】
選択的に、プロセッサ1404は、制限的な測定の独立の構成が、
制限的な測定の独立の有効化及び無効化、制限的な測定の時間ウィンドウの開始時間の独立の構成、制限的な測定の時間ウィンドウの終了時間の独立の構成、制限的な測定の平均ウィンドウの時間長の独立の構成、又は制限的な測定のシグナリングのタイプの独立の構成、のうちの少なくとも1つを含むということを決定する。
【０４６９】
選択的に、受信機1402は、ユーザ機器が送信したCQIを受信し、CQIは、K個の干渉測定パイロットにしたがって測定されるK個の干渉のうちのK1個の干渉の測定量にしたがって合成を実行することによってユーザ機器によって決定された1つのCQIであり、K1は、1よりも大きく、且つ、K以下である整数である。
【０４７０】
選択的に、受信機1402は、ユーザ機器が送信したCQIを受信し、CQIは、M個の信号測定パイロットにしたがって測定されるM個の信号の測定においてM1個の信号にしたがって合成を実行することによってユーザ機器によって決定された1つのCQIであり、M1は、1より大きく、且つ、M以下である整数である。
【０４７１】
選択的に、プロセッサ1404は、制限的な測定のシグナリングのタイプの独立の構成は、制限的な測定が、上位層シグナリング又は動的シグナリングを使用することによって独立に構成されるということを含むということを決定し、動的シグナリングは、UL  grantシグナリング又はDL  grantシグナリングを使用することによって通知される。
【０４７２】
選択的に、プロセッサ1404は、K個の干渉測定パイロットは、すべてが、非ゼロ電力パイロットであるか、又は、すべてが、ゼロ電力パイロットであり、或いは、K個の干渉測定パイロットは、非ゼロ電力パイロット及びゼロ電力パイロットを含むということを決定する。
【０４７３】
選択的に、プロセッサ1404は、K個の干渉測定パイロットのうちの少なくとも1つが、干渉測定を実行するための制限的な測定を無効化する手法にしたがって構成されるということを決定する。
【０４７４】
選択的に、プロセッサ1404は、N個のポートのパイロットが、測定プロセスにおいて構成されるということを決定し、N1個のポートのパイロットは、信号を測定するのに使用され、すべてのN個のポートのパイロットは、干渉を測定するのに使用される。
【０４７５】
選択的に、プロセッサ1404は、N個のポートを含む1つの測定パイロットが、測定プロセスにおいて構成されるということを決定し、1つのポートのパイロットは、信号を測定するのに使用され、目標ポートのパイロットは、干渉を測定するのに使用され、N個のポートの測定パイロットは、信号を測定するのに使用される1つのポートのパイロット及び目標ポートのパイロットを含み、ユーザ機器は、N個のポートの測定パイロットにしたがって測定を実行して、N個のCQIを取得するように構成される。
【０４７６】
選択的に、プロセッサ1404は、N個のポートを含む1つの測定パイロットが、測定プロセスにおいて構成されるということを決定し、N1個のポートのパイロットは、信号を測定するのに使用され、(N−N1)個のポートのパイロットは、干渉を測定するのに使用され、Nは、1よりも大きな整数であり、N1は、1以上であってN以下の整数である。
【０４７７】
選択的に、プロセッサ1404は、データの電力に対する各々のパイロットポートの信号測定電力の比Xが、ユーザ機器が受信するデータの干渉の電力に対する各々のパイロットポートの干渉測定電力の比Yと等しいということを決定する。
【０４７８】
選択的に、プロセッサ1404は、第2の測定パイロットの時間周波数リソース位置が、サブフレームの第1のスロットの中に存在するということを決定する。
【０４７９】
選択的に、受信機1402は、第2の測定パイロットが位置しているサブフレームの第2のスロットにおいて、ユーザ機器が送信した第2のCSIのフィードバックを受信する。
【０４８０】
選択的に、プロセッサ1404は、基地局が時間期間X1を決定するということを決定し、X1は、第2の測定パイロットにしたがったユーザ機器による測定によって取得される第2のCSIの基準リソースから報告時点までの時間期間である。
【０４８１】
基地局は、時間期間X2を決定し、X2は、第1の測定パイロットにしたがったユーザ機器による測定によって取得される第1のCSIの基準リソースから報告時点までの時間期間である。
【０４８２】
X1＜X2であり、基準リソースは、第2の測定パイロットを送信するのに使用されるサブフレームである。
【０４８３】
選択的に、プロセッサ1404は、時間期間X1を決定し、X1は、第2の測定パイロットにしたがったユーザ機器による測定によって取得される第2のCSIの基準リソースから報告時点までの時間期間であり、X1は、上位層シグナリングを使用することによって構成されるか、又は、動的シグナリングを使用することによって構成され、基準リソースは、第2の測定パイロットを送信するのに使用されるサブフレームである。
【０４８４】
選択的に、プロセッサ1404は、時間期間X1を決定し、X1は、第2の測定パイロットにしたがったユーザ機器による測定によって取得される第2のCSIの基準リソースから報告時点までの時間期間であり、X1は、1つの測定手順に含まれる第2の測定パイロットのリソースの数及び/又は各々の第2の測定パイロットに含まれるポートの数に関連付けられ、基準リソースは、第2の測定パイロットを送信するのに使用されるサブフレームである。
【０４８５】
図15を参照して、この実施形態にしたがって提供されるデータ送信方法のさらに別のプロセスを以下で説明する。
【０４８６】
ステップ1501:  基地局は、ユーザ機器に、N個の参照信号リソースを含むセットの中のN1個の参照信号リソース及びN個の参照信号リソースを含むセットの中のN2個の参照信号リソースを示す。
【０４８７】
この実施形態においては、N個の参照信号リソースを含むセットは、時間周波数リソースを含み、N個の参照信号リソースを含むセットは、ユーザ機器が、N個の参照信号リソースを含むセットにしたがって測定及びチャネル状態情報(CSI)のフィードバックを実行するのに使用される。
【０４８８】
具体的には、この実施形態においては、N個の参照信号リソースのセットの中のN1個の参照信号リソースは、チャネル測定を実行するのに使用され、N個の参照信号リソースを含むセットの中のN2個の参照信号リソースは、干渉測定を実行するのに使用される。チャネル状態情報(CSI)は、チャネル情報及び干渉情報にしたがって決定される。
【０４８９】
Nは、2以上の正の整数であり、N1は、N以下の正の整数であり、N2は、N以下の正の整数である。
【０４９０】
この実施形態においては、N個の参照信号リソースを含むセットの中のN1個の参照信号ソース及びN個の参照信号リソースを含むセットの中のN2個の参照信号リソースは、重複するリソースを有する。
【０４９１】
選択的に、N個の参照信号リソースを含むセットの中のN1個の参照信号ソースは、N個の参照信号リソースを含むセットの中のN2個の参照信号リソースの適正なサブセットであるか、又は、N個の参照信号リソースを含むセットの中のN1個の参照信号ソース及びN個の参照信号リソースを含むセットの中のN2個の参照信号リソースは、完全に重複している。
【０４９２】
具体的には、N1個の参照信号リソースは、チャネル情報測定を実行するのに使用され、N2個の参照信号リソースは、干渉情報測定を実行するのに使用される。
【０４９３】
チャネル測定とは、ユーザ機器が、非ゼロ電力参照信号リソースによってチャネル推定を実行して、基地局がユーザ機器に送信した信号に関する情報を取得することをいう。
【０４９４】
この実施形態においては、N個の参照信号リソースを含むセットの中に存在するとともに干渉を測定するのに使用されるN2個の参照信号リソースは、具体的には、非ゼロ電力を有するように構成されるN21個の参照信号リソース及び/又はゼロ電力を有するように構成されるN22個の参照信号リソースを含む。
【０４９５】
N21は、N以下であり、N22は、N以下である。
【０４９６】
ユーザ機器は、N2個の参照信号リソースに含まれるN21個の非ゼロ電力参照信号リソースにしたがって、及び、第1の干渉測定方法を使用することによって、干渉測定を実行して、第1の干渉を取得してもよい。ユーザ機器は、さらに、N2個の参照信号リソースに含まれるN22個のゼロ電力参照信号リソースを使用することによって、及び、第2の干渉測定方法を使用することによって、干渉測定を実行して、第2の干渉を取得し、そして、第1の干渉及び第2の干渉を組み合わせて、合計の干渉を取得してもよい。
【０４９７】
第1の干渉測定方法は、非ゼロ電力参照信号リソースによって干渉を測定するように構成される。非ゼロ電力参照信号リソースによって受信される合計の信号は、基地局がユーザ機器に送信した信号と干渉との総和であるということが仮定される。ユーザ機器は、非ゼロ電力参照信号リソースによってチャネル推定を実行して、基地局がユーザ機器に送信した信号を取得し、そして、その合計の信号から、基地局がユーザ機器に送信した信号を分離する手法にしたがって、干渉を取得する。その干渉は、第1の干渉である。
【０４９８】
第2の干渉測定方法は、ゼロ電力参照信号リソースによって干渉を測定するように構成される。ゼロ電力参照信号リソースによって受信される信号は、ユーザ機器が受信した干渉であるということが仮定される。その干渉は、第2の干渉である。
【０４９９】
第1の干渉及び第2の干渉を組み合わせて、合計の干渉を取得する。
【０５００】
チャネル状態情報(CSI)は、上記のチャネル測定及び合計の干渉の測定にしたがって決定される。チャネル状態情報(CSI)は、RI、PMI、CQI、干渉共分散行列、チャネル共分散行列、又はチャネル特徴ベクトル、のうちの少なくとも1つを含む。この実施形態において示される基地局が、具体的に、どのようにして、ユーザ機器に、N個の参照信号リソースを含むセットの中のN1個の参照信号リソース及びN個の参照信号リソースを含むセットの中のN2個の参照信号リソースを示すかは、以下で説明される。
【０５０１】
ユーザ機器が、N個の参照信号リソースを含むセットの中のN1個の参照信号リソース及びN個の参照信号リソースを含むセットの中のN2個の参照信号リソースを決定することが可能である限り、この実施形態にしたがったある特定の指示プロセスの説明は、1つの最適な例であり、限定を構成するものではないということに留意すべきである。
【０５０２】
ある1つの方法において、
【０５０３】
ユーザ機器が、N個の参照信号リソースを含むセットの中のN1個の参照信号リソースの時間周波数リソースの位置及びN個の参照信号リソースを含むセットの中のN2個の参照信号リソースの時間周波数リソースの位置を決定する際に、そのユーザ機器は、N個の参照信号リソースを含むセットの中における、非ゼロ電力参照信号リソースの時間周波数リソースの位置及びゼロ電力参照信号リソースの時間周波数リソースの位置を決定してもよい。
【０５０４】
ユーザ機器が、どのようにして、非ゼロ電力参照信号リソースの時間周波数リソースの位置を決定するかは、以下で説明される。
【０５０５】
基地局は、ユーザ機器に、N個の参照信号リソースを含むセットの中のN1個の参照信号リソースの構成情報を送信する。
【０５０６】
具体的には、構成情報を送信するための方法は、基地局が、上位層シグナリング又は動的シグナリングを使用することによって、構成情報を送信することであってもよい。
【０５０７】
より具体的には、構成情報は、N個の参照信号リソースのセットの中のN1個の参照信号リソースの時間周波数リソースの位置情報を含む。
【０５０８】
構成情報は、
N個の参照信号リソースのセットの中のN1個の参照信号リソースの電力情報、又は、N個の参照信号リソースのセットの中のN1個の参照信号リソースの符号リソース情報、のうちの少なくとも1つをさらに含み、参照信号リソースの電力情報は、参照信号の送信電力又はデータと参照信号リソース電力との間の相対的な関係を含む。
【０５０９】
この実施形態にしたがった構成情報に含まれる特定の情報は、1つの最適な例であり、限定を構成するものではないということに留意すべきである。
【０５１０】
ユーザ機器は、N個の参照信号リソースを含むセットの中のN1個の参照信号リソースを示すのに使用されるとともに基地局が送信した構成情報を受信する。
【０５１１】
ユーザ機器は、構成情報にしたがって、N個の参照信号リソースを含むセットの中のN1個の参照信号リソースの時間周波数リソースの位置を決定してもよい。
【０５１２】
具体的には、基地局は、ユーザ機器に少なくとも1つのポートを割り当ててもよい。ユーザ機器が、具体的に、非ゼロ電力参照信号を受信するのに使用されるポートを決定する手法は、以下で説明される。
【０５１３】
ユーザ機器は、基地局が送信した構成情報を受信する。構成情報は、X1個のポートのうちのM1個のポートが、チャネル測定を実行するのに使用される第1の参照信号を送信するように構成されるということを示すのに使用され、第1の参照信号は、非ゼロ電力参照信号であり、M1は、X1以下である。
【０５１４】
具体的には、X1は、N1個の参照信号リソースの時間周波数リソースの位置において多重化されるポートの最大数である。
【０５１５】
理解できるように、この実施形態において示されているユーザ機器は、構成情報にしたがって、X1個のポートのうちのM1個のポートが、第1の参照信号を受信するように構成されるポートであるということを決定するように構成されてもよく、それによって、そのユーザ機器は、X1個のポートのうちのM1個のポートを使用することによって、第1の参照信号を受信し、そのユーザ機器は、X1個のポートのうちのM1個のポートを使用することによって取得される第1の参照信号にしたがって、チャネル測定を実行する。
【０５１６】
より具体的には、構成情報は、第1の指示情報及び第2の指示情報を含み、第1の指示情報は、上位層シグナリングを使用することによってユーザ機器によって取得される情報であり、第1の指示情報は、N個の参照信号リソースのセットの中のN1個の参照信号リソースについて多重化されるX1個のポートを示すのに使用され、第2の指示情報は、動的シグナリングを使用することによってユーザ機器によって取得される情報であり、第2の指示情報は、N個の参照信号リソースのセットの中のN1個の参照信号リソースについて多重化されるX1個のポートのうちのM1個のポートを示すのに使用される。
【０５１７】
より具体的には、N個の参照信号リソースを含むセットの中のN1個の参照信号リソースについてのX1個のポートの多重化は、符号分割多重化である。
【０５１８】
代替的に、N個の参照信号リソースを含むセットの中のN1個の参照信号リソースについてのX1個のポートの多重化は、時間周波数多重化及び符号分割多重化である。図17を参照すると、1701は、1つのPRB  pairを表し、各々のボックスは、REを表す。例えば、N1個の参照信号リソースは、1702に対応している。対応するX1個のポートは、port0、port1、port2、及びport3である。port0は、2つのREを占有し、port1は、2つのREを占有する。例えば、(1,1)及び(1,−1)等の符号分割多重化は、port0とport1との間で実行される。port2は、2つのREを占有し、port3は、2つのREを占有する。例えば、(1,1)及び(1,−1)等の符号分割多重化は、また、port2とport3との間で実行される。周波数分割多重化が、port0/1とport2/3との間で実行される。
【０５１９】
ユーザ機器が、どのようにして、ゼロ電力参照信号リソースの時間周波数リソースの位置を決定するかは、以下で説明される。
【０５２０】
基地局は、ユーザ機器に、N個の参照信号リソースを含むセットの中のN2個の参照信号リソースを示すのに使用される構成情報を送信する。
【０５２１】
具体的には、基地局がユーザ機器に構成情報を送信するある特定の手法は、基地局が上位層シグナリングを使用することによって構成情報を送信するか、又は、基地局が動的シグナリングを使用することによって構成情報を送信するということであってもよい。
【０５２２】
より具体的には、構成情報は、N2個の参照信号リソースの時間周波数リソースの位置情報を含む。
【０５２３】
構成情報は、
N2個の参照信号リソースの電力情報、又は、N2個の参照信号リソースの符号リソース情報、のうちの少なくとも1つをさらに含み、参照信号リソースの電力情報は、参照信号の送信電力又はデータと参照信号リソース電力との間の相対的な関係を含む。
【０５２４】
ユーザ機器は、基地局が送信した構成情報を受信し、それによって、そのユーザ機器は、その構成情報にしたがって、N2個の参照信号リソースの時間周波数リソースの位置情報を取得する。
【０５２５】
図16に示されている1つの例を使用する。図16は、1つの最適な例を示しているにすぎず、限定を構成するものではないということに留意すべきである。
【０５２６】
図16に示されているように、ユーザ機器がcell1のユーザ機器である1つの例を使用する。ユーザ機器は、N個の参照信号リソースを含むセットの中のN1個の参照信号リソースの時間周波数リソースの位置1601を決定してもよい。ある特定の決定手法については、上記の説明を参照するべきである。本明細書においては、細部は説明されない。
【０５２７】
N個の参照信号リソースを含むセットの中のN1個の参照信号リソースの時間周波数リソースの位置1601は、N個の参照信号リソースを含むセットの中の非ゼロ電力参照信号リソースの時間周波数リソースの位置である。
【０５２８】
ユーザ機器は、さらに、N個の参照信号リソースを含むセットの中のN2個の参照信号リソースの時間周波数リソースの位置1600を決定してもよい。この場合に、ユーザ機器は、N個の参照信号リソースを含むセットの中のN2個の参照信号リソースの時間周波数リソースの位置1600にあるN個の参照信号リソースを含むセットの中のN1個の参照信号リソースの時間周波数リソースの位置1601以外の時間周波数リソースの位置が、ゼロ電力参照信号リソースの時間周波数リソースの位置1602であるということを決定してもよい。
【０５２９】
この実施形態において、X1個のポートは、N個の参照信号リソースを含むセットの中のN1個の参照信号リソースについて多重化されてもよい。
【０５３０】
この実施形態において、X1個のポートは、N個の参照信号リソースを含むセットの中のN1個の参照信号リソースについて多重化されてもよい。この実施形態においては、X1個のポートのある特定の数は限定されない。図16に示されている例を使用する。N個の参照信号リソースを含むセットは、4つのリソースエレメントREを含む。例えば、port0及びport1等の2つのポートは、N個の参照信号リソースを含むセットの中のN1個の参照信号リソースについて多重化されてもよい。port0及びport1は、2つの同じリソースエレメントREを使用し、符号分割多重化方式を使用する。例えば、port0は、OCC符号(1,1)を使用し、port1は、OCC符号(1,−1)を使用する。
【０５３１】
具体的には、この実施形態において、N個の参照信号リソースを含むセットの中のN1個の参照信号リソースについてのX1個のポートの多重化は、符号分割多重化であり、又は、N個の参照信号リソースを含むセットの中のN1個の参照信号リソースについてのX1個のポートの多重化は、時間周波数多重化及び符号分割多重化である。
【０５３２】
この実施形態においては、基地局が、N個の参照信号リソースを含むセットの中のN1個の参照信号リソースの時間周波数リソースのユーザ機器が示す位置をユーザ機器に通知することが可能である限り、基地局が、ユーザ機器に、N個の参照信号リソースを含むセットの中のN1個の参照信号リソースの時間周波数リソースの位置を示すある特定のプロセスは、1つの最適な例であり、限定を構成するものではないということに留意すべきである。
【０５３３】
図16に示されている例を使用する。ユーザ機器がcell1のユーザ機器である1つの例を使用する。基地局は、ユーザ機器に、port2及びport3に対応する参照信号リソースを示してもよく、それによって、そのユーザ機器は、port2及びport3に対応する参照信号リソースがゼロ電力参照信号であるということを仮定して、干渉測定を実行することが可能である。
【０５３４】
図17に示されている1つの例を使用する。ユーザ機器がcell1のユーザ機器である例を使用する。基地局は、ユーザ機器にport4からport7までを割り当ててもよく、それによって、そのユーザ機器は、port4からport7までを使用することによって、基地局が送信したゼロ電力参照信号を受信することが可能である。基地局は、ユーザ機器にport0からport3までを割り当ててもよく、それによって、そのユーザ機器は、port0からport3までを使用することによって、基地局が送信した非ゼロ電力参照信号を受信することが可能である。
【０５３５】
他の方法において、
【０５３６】
基地局は、ユーザ機器に、N個の参照信号リソースを含むセットの時間周波数リソースの位置を示す。
【０５３７】
基地局は、ユーザ機器に、N個の参照信号リソースを含むセットの中のN1個の参照信号リソースの時間周波数リソースの位置を示す。
【０５３８】
ユーザ機器が、N個の参照信号リソースを含むセットの時間周波数リソースの位置及びN個の参照信号リソースを含むセットの中のN1個の参照信号リソースの時間周波数リソースの位置を決定した後に、そのユーザ機器は、N個の参照信号リソースを含むセットの中における、非ゼロ電力参照信号リソースの時間周波数リソースの位置及びゼロ電力参照信号リソースの時間周波数リソースの位置を決定してもよい。
【０５３９】
図16に示されている例を使用する。ユーザ機器がcell1のユーザ機器である例を使用する。ユーザ機器は、N個の参照信号リソースを含むセットの時間周波数リソースの位置1600を決定してもよい。
【０５４０】
ユーザ機器は、さらに、N個の参照信号リソースを含むセットの中のN1個の参照信号リソースの時間周波数リソースの位置1601を決定してもよい、すなわち、ユーザ機器は、N個の参照信号リソースのセットの中の非ゼロ電力参照信号リソースの時間周波数リソースの位置を決定する。
【０５４１】
ゼロ電力参照信号リソースの時間周波数リソースの位置は、N個の参照信号リソースを含むセットの時間周波数リソースの位置1600にあるN個の参照信号リソースを含むセットの中のN1個の参照信号リソースの時間周波数リソースの位置1601以外の時間周波数リソースの位置、すなわち、ゼロ電力参照信号リソースの時間周波数リソースの位置である。
【０５４２】
この実施形態において、基地局が、ユーザ機器に、N個の参照信号リソースを含むセットの中のN1個の参照信号リソースの時間周波数リソースの位置を示すということに関する詳細については、上記の複数の実施形態を参照するべきである。この実施形態においては、細部は、再び説明されない。
【０５４３】
基地局が、ユーザ機器に、N個の参照信号リソースを含むセットの時間周波数リソースの位置を示すことを以下で詳細に説明する。
【０５４４】
選択的に、ユーザ機器は、あらかじめ格納されている指示情報にしたがって、N個の参照信号リソースを含むセットの構成情報を決定し、指示情報は、基地局とユーザ機器とによって前もって合意されており、指示情報は、N個の参照信号リソースを含むセットの構成情報を示すのに使用される。
【０５４５】
基地局及びユーザ機器は、N個の参照信号リソースを含むセットの時間周波数リソースの位置に関して、事前に合意していてもよい。その事前の合意の後に、ユーザ機器は、指示情報を格納してもよく、その指示情報は、N個の参照信号リソースを含むセットの時間周波数リソースの位置を示すのに使用される。
【０５４６】
ユーザ機器が、N個の参照信号リソースを含むセットの時間周波数リソースの位置を決定する必要がある場合に、そのユーザ機器は、格納されている指示情報を直接的に検索してもよい。そのユーザ機器は、その指示情報にしたがって、N個の参照信号リソースを含むセットの時間周波数リソースの位置を決定してもよい。
【０５４７】
選択的に、ユーザ機器は、基地局が送信して、N個の参照信号リソースを含むセットの構成を示すのに使用される上位層シグナリングを受信する。
【０５４８】
選択的に、ユーザ機器は、基地局が送信して、N個の参照信号リソースを含むセットの構成及び情報を示すのに使用される動的シグナリングを受信する。
【０５４９】
具体的には、構成情報は、第3の指示情報及び第4の指示情報を含む。
【０５５０】
第3の指示情報は、上位層シグナリングを使用することによってユーザ機器によって取得される情報である。
【０５５１】
第3の指示情報は、N個の参照信号リソースのセットの時間周波数リソースの位置情報を含む。
【０５５２】
第3の指示情報は、
N個の参照信号リソースのセットの電力情報、又は、N個の参照信号リソースのセットの符号リソース情報、のうちの少なくとも1つをさらに含む。
【０５５３】
第4の指示情報は、N個の参照信号リソースのセットの第3の指示情報によって示される時間周波数リソースの範囲の中の目標ポートを示すのに使用される。目標ポートは、N個の参照信号リソースのセットの中のN1個の参照信号リソースについて多重化されるX1個のポートのうちのM1個のポートである。
【０５５４】
第3の指示情報は、上位層シグナリングであり、第4の指示情報は、動的シグナリングである。
【０５５５】
基地局がユーザ機器に目標ポートを示すプロセスにおいては、基地局は、N個の参照信号リソースを含むセットの時間周波数リソースの第3の指示情報によって示される位置情報の範囲の中の目標ポートを指定し、それによって、その目標ポートを示すためのオーバーヘッドを減少させ、データ送信の効率を改善する。
【０５５６】
この実施形態においては、ユーザ機器は、N個の参照信号リソースを含むセットの時間周波数リソースの位置情報及びN個の参照信号リソースを含むセットの中のN1個の参照信号リソースの時間周波数リソースの位置情報にしたがって、N個の参照信号リソースを含むセットの中のN2個の参照信号リソースの時間周波数リソースの位置を決定する。
【０５５７】
具体的には、X1個のポートは、N個の参照信号リソースを含むセットの中のN1個の参照信号リソースについて多重化され、X1個のポートのうちのM1個のポートは、チャネル測定を実行するのに使用される非ゼロ電力参照信号を送信するように構成され、M1は、X1以下である。
【０５５８】
ユーザ機器は、N個の参照信号リソースを含むセットの時間周波数リソースの位置及びX1個のポートのうちのM1個のポートにしたがって、N個の参照信号リソースを含むセットの中のN2個の参照信号リソースの時間周波数リソースの位置を決定する。
【０５５９】
理解することができるように、この実施形態において示される方法によって、基地局は、ユーザ機器に、N個の参照信号リソースを含むセットの中のN2個の参照信号リソースの時間周波数リソースの位置を示す必要はない。ユーザ機器は、N個の参照信号リソースを含むセットの時間周波数リソースの位置及びN個の参照信号リソースを含むセットの中のN1個の参照信号リソースの時間周波数リソースの位置にしたがって、N個の参照信号リソースを含むセットの中のN2個の参照信号リソースの時間周波数リソースの位置を決定しさえすればよい。N個の参照信号リソースを含むセットの中のN2個の参照信号リソースの時間周波数リソースの位置は、X1個の非ゼロ電力参照信号ポートに対応する時間周波数リソース及びN個の参照信号リソースのセットの中のX1個の非ゼロ電力参照信号ポートに対応する時間周波数リソース以外のリソースを含み、N個の参照信号リソースのセットの中のX1個の非ゼロ電力参照信号ポートに対応する時間周波数リソース以外の参照信号リソースは、ゼロ電力参照信号リソースである。
【０５６０】
ステップ1502:  ユーザ機器は、N個の参照信号リソースを含むセットの中のN2個の参照信号リソースを使用することによって信号を受信する。
【０５６１】
この実施形態において、N個の参照信号リソースを含むセットの中のN2個の参照信号リソースを使用することによってユーザ機器が受信する信号については、詳細のために第2の測定パイロットの上記の説明を参照するべきである。この実施形態においては、第2の測定パイロットの細部は、再度説明されない。
【０５６２】
具体的には、ステップ1501によって、ユーザ機器は、N個の参照信号リソースを含むセットの中における、ゼロ電力参照信号リソースの時間周波数リソースの位置及び非ゼロ電力参照信号リソースの時間周波数リソースの位置を決定する。
【０５６３】
ユーザ機器は、N個の参照信号リソースを含むセットの中の非ゼロ電力参照信号リソースを使用することによって第1の参照信号を受信してもよい。第1の参照信号は、非ゼロ電力参照信号である。
【０５６４】
具体的には、第1の参照信号リソースは、ユーザ機器のX1個のポートのうちのM1個のポートに対応する非ゼロ電力参照信号リソースである。
【０５６５】
ユーザ機器は、N個の参照信号リソースを含むセットの中のゼロ電力参照信号リソースを使用することによって第2の参照信号を受信してもよい。
【０５６６】
具体的には、第2の参照信号は、ユーザ機器が仮定するゼロ電力参照信号である。
【０５６７】
第2の参照信号リソースは、ユーザ機器のN個の参照信号リソースを含むセットに対応する時間周波数リソースのうちで、M1個のポートに対応する非ゼロ電力参照信号リソース以外の対応する時間周波数リソースである。
【０５６８】
図16に示されている例をさらに使用する。基地局がN個の参照信号リソースを含むセットを決定する際に、セル又はユーザ機器のために構成する参照信号リソースを共同的に処理する。
【０５６９】
具体的には、あるセルのサービングユーザのために基地局が構成するとともにN個の参照信号リソースを含むセットにおいて、非ゼロ電力参照信号リソースが1601であり、ゼロ電力参照信号リソースが1602である場合に、基地局が他のセルのためにリソース構成を実行する際には、図16に示されているように、基地局がcell2のためにリソースを構成するプロセスにおいては、cell1及びcell2は、強い干渉の関係を有しているため、cell1のサービングユーザ機器のために構成される非ゼロ電力参照信号リソース1601及びcell2のサービングユーザのために構成される非ゼロ電力参照信号リソース1603は、互いに対して交互に配列される。
【０５７０】
より具体的には、図16に示されているように、cell2のサービングユーザのために参照信号リソースを構成するプロセスにおいては、cell1及びcell3は、信号を送信する距離が相対的に長いことに起因して、弱い干渉の関係を有しているため、cell3は、回避されるべきではない、すなわち、cell3は、回避されないべきである。図に示されているcell1、cell2、及びcell3は、同じ時間周波数リソースブロックの中に存在し、N個の参照信号リソースは、同じ時間周波数リソース位置を占有するということが仮定される。このことは、異なるセルに限定されず、例えば、同じセルの中のUE1、UE2、UE3といったように、同じセルの中の異なるユーザのために、参照信号リソースを柔軟に構成することが可能である。
【０５７１】
基地局は、cell1に関しているとともにチャネルを測定するのに使用される第1の参照信号リソースの時間周波数リソースに対して、弱い干渉セルcell3に関しているとともにチャネルを測定するのに使用される第1の参照信号リソースの時間周波数リソースを整列させることが可能であり、それにより、オーバーヘッド及びチャネル測定の精密さの実効的な柔軟性のある調整を実装する。
【０５７２】
この実施形態に示されている基地局のリソース構成手法を使用することによって、ユーザ機器は、チャネルを正確に推定することが可能であり、それによって、ユーザ機器は、基地局に正確なCSIをフィードバックする。
【０５７３】
選択的に、この実施形態において示されるユーザ機器は、第1の干渉測定リソース、第2の干渉測定リソース、及び第3の干渉測定リソースの間で動的な切り替えを実行してもよい。
【０５７４】
第1の干渉測定リソースは、もっぱら、非ゼロ電力参照信号リソースであり、非ゼロ電力参照信号リソースの数は、N21であり、N21は、Nと等しい。
【０５７５】
第2の干渉測定リソースは、もっぱら、ゼロ電力参照信号リソースであり、ゼロ電力参照信号リソースの数は、N22であり、N22は、Nと等しい。
【０５７６】
第3の干渉測定リソースは、非ゼロ電力参照信号リソース及びゼロ電力干渉信号リソースを含み、非ゼロ電力参照信号リソースの数は、N21であり、N21は、Nより小さく、ゼロ電力参照信号リソースの数は、N22であり、N22は、Nよりも小さい。
【０５７７】
この実施形態において示されているユーザ機器による動的な切り替えを実装することの有益な効果は、以下のようになる。
【０５７８】
ユーザ機器は、第1の干渉測定リソース、第2の干渉測定リソース、及び第3の干渉測定リソースの間で動的な切り替えを実行することが可能であるので、システムは、干渉測定の精度及び参照信号測定のオーバーヘッドの柔軟性のある調整を実行することが可能である。
【０５７９】
ユーザ機器が、第1の干渉測定リソースを使用して、干渉測定を実行する場合には、オーバーヘッドが減少する一方で、干渉は、相対的に大きい。結果として、測定の精度は減少する。
【０５８０】
ユーザ機器が、第2の干渉測定リソースを使用して、干渉測定を実行する場合には、オーバーヘッドが増加する一方で、干渉は、相対的に小さい。結果として、測定の結果はより正確となる。
【０５８１】
ある特定の適用において、ユーザ機器は、ある要求にしたがって、第1の干渉測定リソース及び第2の干渉測定リソースの間で第3の干渉測定リソースへの動的な切り替えを実行してもよく、それにより、相対的に小さなオーバーヘッド及び相対的に弱い干渉を保証するとともに正確な測定結果を保証する。
【０５８２】
ステップ1503:  ユーザ機器は、非ゼロ電力参照信号リソースによって受信した信号についてのチャネル測定を実行して、チャネル情報を取得する。
【０５８３】
非ゼロ電力参照信号リソースによってユーザ機器が受信する信号R1は、S＋2I1＋σ2に等しい。
【０５８４】
Sは、セルcell1のユーザUE1による信号推定及び測定によって取得される信号である、すなわち、Sは、基地局がユーザ機器に送信する信号であり、測定される干渉は、2I1＋σ2であり、σ2は、雑音である。
【０５８５】
具体的には、S＝H1*X1であり、H1は、基地局からユーザ機器へのチャネルを表し、X1は、基地局からユーザ機器への参照信号を表し、H1は、チャネル推定によって取得される。
【０５８６】
この実施形態において、ユーザ機器による信号対雑音比の算出を容易にするとともに、さらに、ユーザ機器が基地局にCSIをフィードバックするのを可能にするために、基地局が送信したデータの各々の層の電力に対する、非ゼロ電力参照信号リソースを使用することによって基地局がユーザ機器に送信した非ゼロ電力参照信号の参照信号電力の比は、Mであり、Mは、N及びN1を使用することによって決定されてもよい。
【０５８７】
図16に示されている例を使用する。セルcell1は、UEに2層データを送信する、すなわち、M＝2であるので、基地局が送信したデータの各々の層の電力に対する、非ゼロ電力参照信号リソースを使用することによって基地局がユーザ機器に送信した第1の参照信号リソースの参照信号電力の比は、2である、すなわち、3[dB]である。
【０５８８】
この実施形態においては、UE1が、port1を使用することによって第1の参照信号リソースを受信する1つの例を使用する。この実施形態においては、2I1の中のI1は、cell3の干渉しているユーザからの仮定される干渉であり、干渉しているユーザのデータの各々の層の電力に対する干渉しているユーザの非ゼロ電力参照信号電力の比は、2であるということが仮定される。したがって、測定される干渉は、2I1となる。
【０５８９】
さらに、図16に示されている例を参照するべきである。ユーザ機器UE1に対する干渉I1は、cell3の中のUE3の弱い干渉である。
【０５９０】
ステップ1504:  ユーザ機器は、ゼロ電力参照信号リソースによって受信した信号にしたがって測定を実行して、干渉情報を取得する。
【０５９１】
具体的には、図16に示されている例を使用する。cell1を1つの例として使用する。ユーザ機器がcell1のユーザである1つの例を使用し、セルcell1が2層データを送信する1つの例を使用する。
【０５９２】
この実施形態において、セルが送信するデータの層の数は、限定されないということに留意すべきである。
【０５９３】
ユーザ機器が受信する第2の参照信号リソースR2は、2I2＋σ2に等しい。
【０５９４】
第2の参照信号リソースにしたがってユーザ機器が測定する干渉及び雑音は、2I1＋σ2に等しく、σ2は、雑音である。干渉は、cell2の干渉しているユーザからの干渉であるということが仮定され、干渉しているユーザのデータの各々の層の電力に対する干渉しているユーザの非ゼロ電力参照信号電力の比は、2であるということが仮定される。したがって、測定される干渉は、2I1となる。
【０５９５】
この実施形態において、ユーザ機器による信号対雑音比の算出を容易にするとともに、さらに、ユーザ機器が基地局にCSIをフィードバックするのを可能にするために、基地局が送信したデータの各々の層の電力に対する、ゼロ電力参照信号リソースを使用することによって基地局がユーザ機器に送信した第2の参照信号リソースの参照信号電力の比は、Nであり、Nは、基地局が送信したデータの層の数である。
【０５９６】
図16に示されている例を使用する。セルcell1は、2層データを送信する、すなわち、M＝2であるので、基地局が送信したデータの各々の層の電力に対する、ゼロ電力参照信号リソースを使用することによって基地局がユーザ機器に送信した第2の参照信号リソースの参照信号電力の比は、2である、すなわち、3[dB]である。
【０５９７】
この実施形態においては、UE1が、port2及びport3を使用することによって第2の参照信号リソースを受信する1つの例を使用する。この実施形態においては、2I1の中のI1は、干渉しているユーザの仮定される干渉であり、干渉しているユーザに対応するデータの各々の層の電力に対する干渉しているユーザのデータの非ゼロ電力参照信号電力の比は、2である。したがって、測定される干渉は、2I1となる。
【０５９８】
ステップ1505:  ユーザ機器は、チャネル情報及び干渉情報にしたがってチャネル状態情報(CSI)を決定する。
【０５９９】
選択的に、この実施形態において示されているチャネル状態情報(CSI)は、信号対雑音比である。
【０６００】
ユーザ機器が信号対雑音比を算出するある特定のプロセスは、以下のようになる。
【０６０１】
この実施形態において、SINR＝S/(I＋σ2)であり、Iは、合計の干渉であり、そして、I＝I1＋I2である。
【０６０２】
ステップ1503において、ユーザ機器は、R1＝S＋2I1＋σ2にしたがって、I1を算出してもよい。
【０６０３】
ステップ1504において、ユーザ機器は、R2＝2I2＋σ2にしたがってI2を算出してもよい。
【０６０４】
ユーザ機器は、I＝I1＋I2にI1及びI2を代入して、
（外５）
0006695424.tif 000006
を取得してもよく、それにより、さらに、SINR＝S/(I＋σ2)に取得したIを代入する。
【０６０５】
理解することができるように、ユーザ機器による信号対雑音比の算出を容易にするために、基地局がユーザ機器に送信する第1の参照信号リソース及び第2の参照信号リソースは、基地局がユーザ機器に送信するデータに対する電力差を有し、その電力差は、第1の参照信号リソース又は第2の参照信号リソースの電力が、データの電力の2倍の大きさとなるということである。この実施形態にしたがった処理の手法を使用することによって、正確な干渉及び雑音I1＋I2＋σ2を取得することが可能である。そうでない場合には、上記のI＝I1＋I2＋2σ2において、第1の参照信号リソース又は第2の参照信号リソースの電力が、データの電力の2倍の大きさとならないということが仮定され、干渉測定は正確ではない。
【０６０６】
理解できるように、第1の参照信号リソース及び第2の参照信号リソースは、少なくとも2つの周波数分割リソースを使用することによって送信される。第1の参照信号リソース及び第2の参照信号リソースが、N個の周波数分割リソースを使用することによって送信される場合には、データの電力に対する各々の参照信号ポートの電力の比は、Nであり、
（外６）
0006695424.tif 000007
である。Mは、N個のリソースによって占有される周波数分割リソースの数を使用することによって決定されてもよい。
【０６０７】
ステップ1506:  ユーザ機器は、信号対雑音比を量子化し、基地局にその量子化された信号対雑音比をフィードバックする。
【０６０８】
この実施形態においては、説明のために、チャネル状態情報(CSI)が信号対雑音比である1つの例を使用するということに留意すべきである。ある特定の適用においては、チャネル状態情報(CSI)は、検出された第1の参照信号リソース及び検出された第2の参照信号リソースであってもよい。この場合には、ユーザ機器は、基地局に、その第1の参照信号リソース及びその第2の参照信号リソースを直接的にフィードバックしてもよい。基地局は、それらの受信した第1の参照信号リソース及び第2の参照信号リソースにしたがって信号対雑音比を測定する。基地局が信号対雑音比を測定するある特定のプロセスについては、詳細のために、上記におけるユーザ機器による信号対雑音比の測定プロセスを参照するべきである。この実施形態においては、細部は、再び説明されない。
【０６０９】
ステップ1507:  基地局は、ユーザ機器がフィードバックした信号対雑音比を受信する。
【０６１０】
この実施形態において提供される基地局及びユーザ機器の特定の構成は、また、図15に示されている方法を実装するように構成されてもよい。基地局及びユーザ機器の複数の特定の機能モジュールは、それらの複数の機能モジュールがこの実施形態において示されている方法を実装することが可能である限り、この実施形態においては限定されない。
【０６１１】
当業者は、利便性及び説明の簡潔さの観点から、上記のシステム、装置、及びユニットの詳細な動作プロセスについては、上記の方法の実施形態における対応するプロセスを参照することが可能であるということを明確に理解することが可能であり、本明細書においては、細部は再び説明されない。
【０６１２】
この出願で提供された上記の複数の実施形態において、開示されたシステム、装置及び方法は、他の手法にしたがって実装することが可能であるということを理解すべきである。たとえば、説明された装置実施形態は、1つの例にすぎない。たとえば、ユニットの区分は、論理的な機能の区分に過ぎず、実際の実装においては、他の区分となってもよい。たとえば、複数のユニット又は構成要素を組み合わせ、又は一体化して、他のシステムにすることができ、或いは、いくつかの機能を無視し又は実行しなくてもよい。さらに、いくつかのインターフェイスを使用することによって、示され又は論じられた相互結合又は直接的な結合又は通信接続を実装してもよい。電気的な形態、機械的な形態、又は他の形態によって、複数の装置又はユニットの間の直接的な結合又は通信接続を実装してもよい。
【０６１３】
別個の部分として説明されたユニットは、物理的に分離していてもよく又は物理的に分離していなくてもよく、ユニットとして示された部分は、物理的ユニットであってもよく又は物理的ユニットでなくてもよく、1つの位置に設置されていてもよく又は複数のネットワークユニットに分散されていてもよい。複数の実施形態の解決方法の目的を達成するために、実際の必要に応じて、ユニットの一部又は全部を選択してもよい。
【０６１４】
さらに、本発明の複数の実施形態にしたがった機能ユニットを一体化して、1つの処理ユニットにしてもよく、或いは、ユニットの各々が物理的に独立して存在してもよく、或いは、2つ又はより多くのユニットを1つのユニットに一体化してもよい。その一体化ユニットは、ハードウェアの形態で実装されてもよく、又は、ソフトウェア機能ユニットの形態で実装されてもよい。
【０６１５】
一体化されたユニットがソフトウェア機能ユニットの形態で実装され、独立した製品として販売又は使用される場合に、その一体化されたユニットは、コンピュータ読み取り可能な記憶媒体の中に格納されてもよい。そのような理解に基づいて、本発明の技術的解決方法は、本質的に、或いは、従来技術に寄与する部分又はそれらの技術的解決方法のうちの全部又は一部は、ソフトウェア製品の形態で実装されてもよい。ソフトウェア製品は、記憶媒体の中に格納され、複数の命令を含み、それらの複数の命令は、本発明の複数の実施形態において説明された方法のステップの全部又は一部を実行するように、(パーソナルコンピュータ、サーバ、又はネットワーク・デバイスであってもよい)コンピュータデバイスに指示する。上記の記憶媒体は、プログラムコードを格納することが可能なUSBフラッシュドライブ、取外し可能ハードディスク、読み出し専用メモリ(ROM,  Read-Only  Memory)、ランダムアクセスメモリ(RAM,  Random  Access  Memory)、磁気ディスク、又は光ディスク等のいずれかの媒体を含む。
【０６１６】
上記の複数の実施形態は、本発明の複数の技術的解決方法を説明することを意図したものに過ぎず、本発明を限定することを意図したものではない。本発明は、上記の複数の実施形態を参照して詳細に説明されているが、当業者は、それらの当業者が、さらに、本発明のそれらの複数の実施形態の複数の技術的解決方法の趣旨及び範囲から離れることなく、上記の複数の実施形態において説明されている複数の技術的解決方法に修正をおこない、或いは、それらの複数の技術的解決方法のうちの一部の技術的解決方法に対して等価な置換を行うことが可能であるということを理解するはずである。
【図１】
0006695424.tif 000008
【図２】
0006695424.tif 000009
【図３】
0006695424.tif 000010
【図４】
0006695424.tif 000011
【図５】
0006695424.tif 000012
【図６】
0006695424.tif 000013
【図７】
0006695424.tif 000014
【図８】
0006695424.tif 000015
【図９】
0006695424.tif 000016
【図１０】
0006695424.tif 000017
【図１１】
0006695424.tif 000018
【図１２】
0006695424.tif 000019
【図１３】
0006695424.tif 000020
【図１４】
0006695424.tif 000021
【図１５】
0006695424.tif 000022
【図１６】
0006695424.tif 000023
【図１７】
0006695424.tif 000024